(57)【特許請求の範囲】
【請求項１】
画像を記憶している複数の画像記憶装置と接続されている画像収集システムであって、
前記画像記憶装置に記憶されている画像の取得位置を示す取得位置情報と、前記画像の取得時刻を示す取得時刻情報と、前記画像を特定する画像特定情報と、を含む画像管理情報を受信する画像管理情報受信手段と、
前記受信した画像管理情報を記憶する画像管理情報記憶手段と、
前記記憶されている画像管理情報に含まれる画像特定情報で特定される画像の送信を要求する画像送信要求手段と、
前記画像送信要求手段による要求に基づいて前記画像記憶装置より送信される画像を受信する画像受信手段と、
前記受信した画像を記憶媒体に格納する画像格納手段と、
前記記憶媒体に格納される画像に関して、前記記憶媒体に記憶されていることを示す情報を追記することで、前記画像管理情報記憶手段で記憶されている画像管理情報を更新する画像管理情報更新手段と、
位置範囲を指定する位置範囲情報と、時間帯を示す時間帯情報と、を含む画像要求情報を受信する画像要求情報受信手段と、
前記受信された画像要求情報に含まれる位置範囲情報と時間帯情報に基づいて特定される範囲内で撮影された画像のうち、前記記憶媒体に格納されておらず前記画像記憶装置に記憶されている画像を前記画像記憶装置から収集するかを確認する収集要否確認情報を送信する処理を行う画像要求処理手段と、
を具備し、
前記画像送信要求手段は、前記収集確認情報に基づいて画像の収集を指示された場合に、前記画像の送信を要求する、
画像収集システム。
【発明の詳細な説明】
【技術分野】
【０００１】
本発明は、画像収集システムに関し、特に複数のカメラで撮像された画像を収集して管理する画像収集システムに関する。また、当該画像収集システムに画像を提供する画像撮像・記憶システムに関する。また、当該画像収集システムと画像撮像・記憶システムとを含んで構成される画像管理システムに関する。
【背景技術】
【０００２】
近年社会問題化しているものの一つとして、街中に取り付けられたカメラ群がある。これは、正しく使えば防犯機能を高めて治安維持向上に寄与する防犯システムとなる一方、使い方を間違えれば、私達の生活の自由が脅かされる監視システムとなる。
【０００３】
例えば、某国の独裁政権が防犯のためといって街中にカメラを無数に設置したとしよう。これらのカメラで撮影された映像が、中央データベースに送られてこの独裁政権に一元管理される。これは、防犯システムか、それとも防犯システムの名の下に隠蔽された監視システムか。
【０００４】
結局、防犯システムとなるか監視システムとなるかは映像管理者のモラル次第である。逆に言えば、映像管理者のモラルによって、防犯システムが監視システムへ変貌する危険性を潜在的にはらんでいるシステムであると言える。
【０００５】
すなわち、国の政治機構や警察機構が汚職や不正で腐り始めた時、これを正す力があるのは外国からの軍事介入か、国民の革命のどちらかである。外国の軍事介入で苦しむのは弱き市民であり、できれば国民が自ら国を立て直したい。しかし、この時監視システムが張り巡らされていると、どのような正しき革命の芽も詰まれてしまい、国の建て直しが効かなくなる。
【０００６】
このような問題を解決するシステムとして、特許文献１に開示の画像収集システムがある。当該画像収集システムでは、移動体に取り付けられたカメラで撮影した映像（画像）を撮影位置と撮影時刻と対応付けた状態で分散して記憶部に記憶しておき、事件捜査等に映像が必要な場合に各記憶部に位置情報と時刻情報を送信し、各記憶部から必要な画像を取り出して統合するシステムである。
【０００７】
この先行文献１の画像収集システムは、防犯システムとしての機能を有しながらも上記監視システムへ変貌する危険性がない。その理由は、当該画像収集システムが現実社会と一対一で対応しているからである。
【０００８】
現実社会では、事件が発生すると警察官が事件周辺に赴き、住民に「××３丁目で昨日１９時３０分に殺人事件があったのですが、不審者に心当たりありませんでしたか？」と質問し、犯人の手がかりとなる情報を得ようとすることが捜査の基本である。
【０００９】
ここで、各住民（各画像記録装置）は、日常生活の中で目（カメラ）から入射（入力）された映像を脳（記憶部）に記憶している。警察は、住民（画像記録装置）に対して「××３丁目という位置と１９時３０分という時刻」に関する検索情報を問いかけ、各住民（各画像記録装置）にその位置と時刻の映像を脳内（記憶部内）で検索させる。そして、該当する情報が脳（記憶部）に蓄積されている住民は、その情報を警察に提供する（出力する）。警察は、各住民（各画像記録装置）から集めた情報（映像）を統合して、事件当時の状況を特定し、犯人逮捕に繋げていく。
【００１０】
このように、先行文献１の発明は、アナログ時代の現実社会の事件捜査手法をそっくりそのままデジタル時代の情報社会に写像化しているので、プライバシーの問題が起こらないのである。
【先行技術文献】
【特許文献】
【００１１】
【特許文献１】特開２００９−６０４７７号公報
【発明の開示】
【発明が解決しようとする課題】
【００１２】
複数の画像記憶装置に分散されて記憶・管理されている中から画像を収集する特許文献１の分散型画像収集システムは、プライバシー保護の観点で高い利点を有しているものの、街中に設置した固定カメラで撮像された画像をすべて回収する一元管理型画像収集システムと比べて画像収集効率が落ちるという問題がある。
【００１３】
従って、犯罪捜査等で画像が必要となった場合に、必要量の画像が集まるまでに時間がかかるため、早急に画像を回収したい場合に対応しきれない可能性が生じていた。
【００１４】
本発明は、上記課題に鑑み、より広い画像提供源を対象として画像を回収するシステムを構築することで、より早く必要な画像を収集することができる画像収集システムを提供することを目的とする。
【課題を解決するための手段】
【００１５】
本発明の画像収集システムは、画像を記憶している複数の画像記憶装置と接続されている画像収集システムであって、前記画像記憶装置に記憶されている画像に関する情報である画像管理情報を受信する画像管理情報受信手段と、前記受信した画像管理情報を記憶する画像管理情報記憶手段と、画像要求を受信する画像要求受信手段と、前記画像要求受信手段で受信される前記画像要求で要求されている条件を満たす画像が前記複数の画像記憶装置に記憶されているかを前記画像管理情報記憶手段に記憶されている前記画像管理情報を参照して判定する判定手段と、前記判定の結果に基づいて、前記画像要求で要求されている条件を満たす画像が前記複数の画像記憶装置に記憶されている場合に、前記画像要求で要求されている条件を満たす画像が記憶されている画像記憶装置に対して前記画像要求で要求されている条件を満たす画像の送信を要求する要求手段と、を具備する。
【００１６】
また、本発明の別態様である画像収集システムは、画像を記憶している複数の画像記憶装置と接続されている画像収集システムであって、前記画像記憶装置に記憶されている画像に関する情報である画像管理情報を受信する画像管理情報受信手段と、前記受信した画像管理情報を記憶する画像管理情報記憶手段と、利用可能画像情報要求を受信する利用可能画像情報要求受信手段と、前記画像管理情報記憶手段に記憶された前記画像管理情報を参照して、前記利用可能画像情報要求受信手段で受信される前記利用可能画像情報要求に基づいて特定される条件を満たす画像に関する情報を纏めた利用可能画像情報を生成する利用可能画像情報生成手段と、前記利用可能画像情報を送信する利用可能画像情報送信手段と、を具備する。
【００１７】
また、本発明の別態様である画像撮像装置は、画像を撮像する画像撮像手段と、前記撮像された画像を記憶する画像記憶手段と、前記画像記憶手段に記憶されている画像の撮像位置と撮像時刻に関する情報を含む画像管理情報を生成する画像管理情報生成手段と、前記画像管理情報を送信する画像管理情報送信手段と、前記画像記憶手段に記憶されている画像の送信要求を受信する画像送信要求受信手段と、前記画像送信要求受信手段で受信された画像を送信する画像送信手段と、を具備する。
【００１８】
また、本発明の別態様である画像記憶装置は、画像を撮像する画像撮像装置で撮像された画像と、前記画像の撮像位置と撮像時刻に関する情報を含む画像管理情報とを受信する受信手段と、前記受信手段で受信された前記画像撮像装置で撮像された画像を記憶する記憶手段と、前記受信手段で受信された前記画像の撮像位置と撮像時刻に関する情報を含む画像管理情報を送信する画像管理情報送信手段と、前記画像記憶手段に記憶されている画像の送信要求を受信する画像送信要求受信手段と、前記画像送信要求受信手段で受信された前記送信要求で要求される画像を送信する画像送信手段と、を具備する。
【発明の効果】
【００１９】
本発明によれば、より広い画像提供源を対象として画像を回収するシステムを構築することで、より早く必要な画像を収集することができる画像収集システムを提供することができる。
【図面の簡単な説明】
【００２０】
【図１】本発明の画像管理システムの概念図
【図２】実施形態１に係る中央処理サーバのブロック図
【図３】画像要求（パケット）の構成を説明する図
【図４】画像管理情報の一例を示す図
【図５】画像検索情報の一例を示す図
【図６】中央処理サーバの処理の流れを示すフローチャート図
【図７】実施形態１の画像撮像記憶装置の構成を示すブロック図
【図８】画像撮像記憶装置における画像撮像・記憶処理の流れを示すフローチャート図
【図９】画像撮像記憶装置における画像検索・送信処理の流れを示すフローチャート図
【図１０】画像撮像装置の構成を示すブロック図
【図１１】画像撮像装置の一種であるスマートフォンの外観を現す６面図
【図１２】画像撮像装置の接続確立・送信処理の流れを示すフローチャート図
【図１３】画像撮像装置の記憶部に記憶される画像管理ファイルの一例を示す図
【図１４】画像記憶装置の構成を示すブロック図
【図１５】画像記憶装置の接続確立・画像格納処理の流れを示すフローチャート図図
【図１６】情報処理装置の構成を示すブロック図
【図１７】情報処理装置の構成を示すブロック図
【図１８】画像撮像装置固有情報の一例を示す図
【図１９】実施形態２に係る画像撮像記憶装置の構成を示すブロック図
【図２０】画像撮像記憶装置の記憶部におけるフォルダ構成を示す図
【図２１】画像撮像記憶装置の画像撮像・格納処理の流れを示すシーケンス図
【図２２】画像撮像装置の構成を示すブロック図
【図２３】画像記憶装置の構成を示すブロック図
【図２４】実施形態３に係る画像撮像記憶装置の構成を示すブロック図
【図２５】画像管理ファイルの一例を示す図
【図２６】画像撮像装置の構成を示すブロック図
【図２７】実施形態４に係る中央処理サーバの構成を示すブロック図
【図２８】ネットワーク側ユーザからの画像要求の一例を示す図
【図２９】実施形態５に係る画像管理システムの概念を示す図
【図３０】実施形態５に係る中央処理サーバの構成を示すブロック図
【図３１】利用可能画像一覧ファイルの一例を示す図
【図３２】ユーザ側の端末の画像表示装置において地図が表示されている様子を示す図
【図３３】地図管理情報の一例を示す図
【図３４】ＤＢに記憶されている画像に関する情報を纏めた第１管理情報の一例を示す図
【図３５】画像管理システム内であってＤＢ以外の場所に記憶されている画像に関する情報を纏めた第２管理情報の一例を示す図
【図３６】第２管理情報の更新処理を示すフローチャート図
【図３７】外部より中央処理サーバに送られてくる画像管理情報の一例を示す図
【図３８】外部より中央処理サーバに送られてくる画像管理情報の具体例を示す図
【図３９】更新後の第２画像管理情報の具体例を示す図
【図４０】第２画像管理情報の更新処理の流れを示すフローチャート図
【図４１】実施形態５に係る画像撮像記憶装置の構成を示すブロック図
【図４２】画像撮像記憶装置で作成・管理される画像管理情報（画像管理ファイル）の一例を示す図
【図４３】中央処理サーバへ送信する提出用の画像管理情報（画像管理ファイル）の一例を示す図
【図４４】画像撮像記憶装置で作成・管理される更新後の画像管理情報（画像管理ファイル）の一例を示す図
【図４５】画像収集システム側より各画像記憶装置等へ送られる画像送信要求の一例を示す図
【図４６】画像（撮像）記憶装置における画像管理情報の生成・送信処理の流れを示すフローチャート図
【図４７】画像（撮像）記憶装置における画像管理情報更新処理の流れを示すフローチャート図
【図４８】画像（撮像）記憶装置における画像提出処理の流れを示すフローチャート図
【図４９】実施形態６に係る画像記憶装置の構成を示すブロック図
【図５０】実施形態６に係る情報処理装置の構成を示すブロック図
【図５１】実施形態７に係る中央処理サーバの構成を示すブロック図
【図５２】実施形態７に係る画像管理情報の一例を示す図
【図５３】実施形態８に係る利用可能画像一覧（ファイル）要求の一例を示す図
【図５４】実施形態８に係る中央処理サーバの構成を示す図
【図５５】実施形態８に係る画像管理情報の一例を示す図
【図５６】実施形態８に係る画像撮像記憶装置の構成を示すブロック図
【図５７】実施形態８に係る画像提出条件登録情報の一例を示す図
【図５８】実施形態８に係る提出用の画像管理情報を示す図
【図５９】実施形態９に係る中央処理サーバの構成を示す図
【図６０】実施形態９に係る中央処理サーバで管理される画像管理情報の一例を示す図
【図６１】実施形態９に係る画像撮像記憶装置の構成を示す図
【図６２】実施形態１０に係る情報処理システムの概念図
【図６３】実施形態１０に係るデータベースの構成を示す図
【図６４】実施形態１０に係る中央処理サーバの構成を示す図
【図６５】アクセス認証情報の一例を示す図
【図６６】データ管理テーブル群の一例を示す図
【図６７】データ管理テーブル群の別の一例を示す図
【図６８】データ管理テーブル群を構成するデータ管理テーブルの一例を示す図
【図６９】アクセス条件管理テーブルを示す図
【図７０】実施形態１０に係るデータ取得管理装置の構成を示す図
【発明を実施するための最良の形態】
【００２１】
以下、各実施の形態において本発明を詳細に説明する。以下の説明において同一の符号が付されているものは実質的に同一の機能を備える。なお、以下の実施の形態は、本発明の一態様を例示したものであり、本発明がこれに限定されるものではない。以下の説明において重複部分は発明の明確化のために適宜説明が省略されている。
【００２２】
なお、以下の説明では、撮像装置等で撮像されるデータを「画像」という言葉を用いて説明するが、これは静止画像だけではなく動画像、すなわち映像も含まれる。従って、「画像」を「撮像する」という表現には、「映像」を「録画する」という表現や、「画像」を「撮影する」という表現が含まれるものとする。また、動画像である映像には音声も含まれるため、当該以下の説明の「画像」には、画像と同期した音声も合わせて含まれる。また、以下の説明ではデジタルデータである画像を必要に応じて画像データと明確に表記することがあるが、「画像」と言う表現には当該画像データが含まれる。
【００２３】
また、「画像」を保管する用語として「記憶」という言葉を用いて説明するが、これは「記録」と置き換えることも可能である。本画像管理システムでは、撮像される画像はデジタルデータであるため、「記憶」という言葉を用いて説明する。
【００２４】
（実施の形態１）
図１は、本発明の実施の形態１に係る画像管理システムを模式的に示した図である。ここで、画像管理システムとは、カメラ等の撮像装置において撮像された画像を空間又は仮想的に分散して記憶し、必要に応じて複数の画像を収集及び統合して利用するシステム全体を指す。
【００２５】
画像管理システムは、大きく分けて画像収集システム１０と複数の画像撮像・記憶システム１００ａ〜１００ｎとを含んで構成される。なお、当該画像収集システム１０は、当該システムに対して画像を要求するユーザ側から見た場合には画像提供システムとなる。まず、画像収集システム１０について説明する。
【００２６】
本実施の形態１に係る画像収集システム１０は、複数の画像撮像・記憶システムに分散して記憶されている画像を収集するシステムであり、大きく分けて、画像記憶データベース１１（以下ＤＢと略する）と、中央処理サーバ１２とを備える。
【００２７】
ＤＢ１１は、中央処理サーバ１２によって収集された画像を保管しておくための大型の記憶装置である。なお、当該ＤＢ１１は、中央処理サーバ１２に組み込まれて１つの装置として構成されていても良い。
【００２８】
中央処理サーバ１２は、点在する複数の画像撮像・記憶システムに分散して記憶されている画像を必要に応じて回収し、ＤＢ１１に格納すると共に、犯罪捜査等、種々の用途に利用するための情報処理装置である。中央処理サーバ１２は、１つの装置で構成されていても良いし、複数の装置が組み合わされたシステムであっても良い。以下の説明では、いずれの変形例も含めて共通して中央処理サーバ１２と称する。
【００２９】
図２は、中央処理サーバ１２の構成を示すブロック図である。中央処理サーバ１２は、画像要求受信部１３と、画像要求処理部１４と、画像要求記憶部１５と、画像管理情報記憶部１６と、画像読み出し部１７と、画像送信部１８と、画像検索情報生成部１９と、画像検索情報送信部２０と、画像受信部２１と、画像格納部２２と、を備える。以下、各部について詳細に説明する。
【００３０】
画像要求受信部１３は、ネットワーク側より送られてくる画像要求を受信する。ここで、「画像要求」とは、所定の画像を要求するユーザより送信されるパケットデータである。インターネット等のネットワーク上に接続されたパーソナルコンピュータ（ＰＣ）や携帯電話等の端末装置から特定の位置・時刻に撮影された画像を欲するユーザからの指示で当該画像要求が中央処理サーバ１２宛に送信される。
【００３１】
図３は、当該画像要求のパケットの一例を示している。当該画像要求は、要求元識別情報と、要求画像位置情報と、要求時間情報と、を少なくとも含む。
【００３２】
要求元識別情報とは、当該画像要求が送信された端末を識別するための情報であり、例えばパケット送信元のＩＰアドレスとすることができる。
【００３３】
要求画像位置情報は、どの位置で撮像された画像を要求するかを特定するための情報である。例えば、画像を要求する範囲を特定するために、複数のＧＰＳ位置情報を当該要求画像位置情報とすることができる。後述する画像要求処理部１４において、当該複数のＧＰＳ位置情報を頂点として結んだ位置範囲内を、画像を要求する範囲と解釈するプロトコルを設定しても良い。また、１つのＧＰＳ位置情報を当該要求画像位置情報としても良い。当該ＧＰＳ位置情報から所定距離の範囲を画像を要求する範囲と解釈するプロトコルであっても良い。その他、無線通信基地局を特定する基地局ＩＤを要求画像位置情報として利用することも可能である。すなわち、当該基地局ＩＤのカバレッジエリアを画像を要求する位置範囲として指定する指定方法であっても良い。
【００３４】
画像要求時間情報は、どの時間帯で撮像された画像を要求するかを特定するための情報である。例えば、画像を要求する時間帯を特定するために２つの時刻を当該画像要求時間情報として指定しても良い。画像要求処理部１４において、当該２つの時刻の間の時間帯が、画像を要求している時間帯であるとして特定されるプロトコルを設定しても良い。また、１つの時刻を画像要求時間情報としても良い。当該時刻の前後所定の時間内を、画像を要求する時間帯として特定する構成であっても良い。また、１つの時刻と１つの時間幅を当該画像要求時間情報とし、当該時刻前後の当該時間幅で特定される時間帯を、画像を要求している時間帯として特定するプロトコルであっても良い。
【００３５】
上記画像要求位置情報と画像要求時間情報における画像を要求する位置及び時間帯の特定方法は上記例に限るものではなく適宜変更が可能であり、プロトコルとして設定することができる。
【００３６】
なお、上記画像要求には、その他中央処理サーバ１２のＩＰアドレスやその他画像要求についての条件等の付加情報が含まれていても良い。なお、このような付加情報として、例えば画像の提出が金銭を伴う売買になる場合は、画像の買値の上限と下限を示す情報が含まれていても良いし、要求する画像の画素数やその画素数範囲、画素数下限などの画質に関する情報が含まれていても良い。その他、当該付加情報として、撮像したユーザのユーザ名、撮像装置の識別ＩＤや画像の使用目的、画像を暗号化するための暗号鍵、画像要求の要求元の機関を識別する識別子、要求する画像の使用目的等、様々な情報を画像要求パケットに含めることができる。
【００３７】
その他、上記画像要求には、画像要求に関するパケットであることを識別する識別子が含まれていても良い。中央処理サーバ１２は、パケット内に当該画像要求であることを示す識別子がついている場合に、後続の処理を行うよう構成されていても良い。
【００３８】
画像要求処理部１４は、画像要求受信部１３で受信された画像要求を処理する。具体的には、当該画像要求に基づいて画像を送信するために必要となる処理を行う。このような処理には、ＤＢ１１に該当画像が記憶されているかの判定処理や、画像を送信する送信パケットを生成するパケット生成処理、付加情報を読み出して適切に処理する付加情報処理や画像の暗号化を行う暗号化処理、画像読み出し部１７に対する画像読み出し指示の生成処理、画像検索情報生成部１９に対する画像検索情報生成指示の生成処理等を行う。
【００３９】
画像要求処理部１４は、画像要求に含まれる画像要求位置情報と画像要求時間情報とから要求される画像の撮像位置・撮像時刻の範囲を特定する。次に、画像要求処理部１４は、画像管理情報記憶部１６にアクセスし、当該画像管理情報記憶部１６に記憶されている画像管理情報を参照して、上記撮像位置・撮像時刻の範囲で撮像された画像がＤＢ１１に記憶されているかを判定する。
【００４０】
画像要求処理部１４は、上記判定の結果、該当画像がＤＢ１１に記憶されている場合は、画像読み出し部１７に該当画像の読み出しを指示する。具体的には、上記判定処理において画像要求に基づいて特定される位置・時間範囲内で撮像された画像をＤＢ１１より読み出す画像として決定する。画像要求処理部１４は、後述する画像管理情報を参照して、当該読み出す画像の格納アドレスを含む画像読み出し指示を画像読み出し部１７に出力する。
【００４１】
また、画像要求処理部１４は、上記判定の結果、該当画像がＤＢ１１に記憶されていない場合は、画像検索情報生成部１９に画像検索情報の生成を指示する。具体的には、画像要求に含まれる要求画像位置情報及び要求画像時間情報を必要に応じてフォーマット変換を行った上で画像検索情報生成指示に含めて画像検索情報生成部１９に出力する。
【００４２】
また、画像要求処理部１４は、画像読み出し部１７で読み出された画像を画像要求に含まれる要求元識別情報で特定される要求元アドレスを宛先（ＩＰアドレス）とするパケットに入れて画像送信部１８に出力する。
【００４３】
なお、画像要求に含まれる付加情報に、暗号化のための暗号鍵及び暗号化要否を示す暗号化要否ビットが含まれ、当該暗号化要否ビットが「暗号化要」を示す「１」に設定されている場合は、画像要求処理部１４は、読み出された画像に対して上記暗号鍵で暗号化を行った上でパケットに格納しても良い。
【００４４】
画像要求処理部１４は、画像要求受信部１３より受け取った画像要求を画像要求記憶部１５に格納する。画像要求処理部１４は、後述する画像格納部２２より画像を受け取った場合は、当該画像に対応する画像要求を画像要求記憶部１５より読み出し、当該画像要求に含まれる要求元識別子を宛先とするパケットに当該画像を分割して格納した上で画像送信部１８に送る。
【００４５】
画像管理情報記憶部１６は、ＤＢ１１に記憶されている画像を管理するための画像管理情報を記憶する。図４は、当該画像管理情報記憶部１６に記憶される画像管理情報の一例を示している。
【００４６】
図４に示すように、画像管理情報は、ＤＢ１１に記憶されている画像のファイル名と、当該画像の取得位置（撮像位置）を示す画像取得位置情報と、当該画像の取得時刻（撮像時刻）を示す画像取得時刻情報と、当該画像の提供者（送信者）を特定する画像提供者識別情報と、当該画像データのＤＢ１１上での格納位置を示す格納アドレスがそれぞれ対応付けされた管理テーブルである。
【００４７】
図４の例では、画像取得位置情報として、画像を取得した位置のＧＰＳ情報が用いられている。また、画像提供者を特定する画像提供者識別情報としては、当該画像を撮像した装置、又は画像を送信した送信装置を固有に識別する情報や、当該画像を撮像したユーザのＩＤ等を用いることができる。上記装置等を固有に識別する情報としては当該装置のＭＡＣアドレスを用いることができるが、これに限定されるものではない。
【００４８】
画像読み出し部１７は、画像要求処理部１４からの画像読み出し指示に基づいて、当該指示で指定されているＤＢ１１のアドレスにアクセスして当該アドレス位置に記憶されている画像を読み出す。画像読み出し部１７は、当該画像を画像要求処理部１４に出力する。
【００４９】
画像送信部１８は、画像要求処理部１４より送られてきた画像データがペイロード部分に含むパケットを送信することで、画像データを画像要求元に送る。
【００５０】
画像検索情報生成部１９は、画像要求処理部１４からの画像検索情報生成指示に基づいて画像検索情報を生成する。ここで画像検索情報とは、外部に分散して存在する小型・小規模の画像記憶装置に記憶されている画像の中に上記画像要求で指定される位置・時間範囲内で撮像された画像が存在するかどうかの検索を行うために用いられる情報である。
【００５１】
図５は、画像検索情報の一例を示している。画像検索情報は、要求元識別情報と、画像検索用位置範囲情報と、画像検索用時間範囲情報とを含む。
【００５２】
ここで、要求元識別情報は、分散して存在する画像撮像・記憶システムから検索の結果抽出された画像を送信する送信先を示す情報であり、ここでは当該中央処理サーバ１２を識別する情報が選択される。すなわち、画像検索情報生成部１９は、自装置である中央処理サーバ１２に設定されているＩＰアドレスを、画像パケットの送信先であり画像を要求する要求元を示す要求元識別情報に設定して画像検索情報を生成する。画像検索情報生成部１９はこれらの情報を含めて画像検索用パケットとし、画像検索情報送信部へ出力する。
【００５３】
ここで、画像検索情報生成部１９は、当該画像検索用パケットの宛先はブロードキャストアドレス又はマルチキャストアドレスに設定することで、数多く点在する画像撮像・記憶システムへ送信できるようにする。なお、当該一斉送信用のパケットとは別に、個別のユニキャストアドレスを設定した画像検索用パケットを生成しても良い。
【００５４】
画像検索情報に含まれる画像検索用位置範囲情報は、分散して存在する画像撮像・記憶システムで記憶された画像の中から抽出する画像の撮像位置範囲を指定するための情報である。画像検索情報生成部１９は、画像要求受信部１３で受信された画像要求に含まれる要求画像位置情報に基づいて画像検索用位置範囲情報を設定する。
【００５５】
画像検索情報に含まれる画像検索用時間範囲情報は、分散して存在する画像撮像・記憶システムで記憶された画像の中から抽出する画像の撮像時間範囲を指定するための情報である。画像検索情報生成部１９は、画像要求受信部１３で受信された画像要求に含まれる要求画像時間情報に基づいて画像検索用時間範囲情報を設定する。
【００５６】
ここで、上記画像要求と画像検索情報が同一フォーマットを採用している場合は、画像要求に含まれる要求画像位置情報及び要求画像時間情報をそのまま画像検索用位置範囲情報及び画像検索用時間範囲情報として設定しても良い。一方、画像要求と画像検索情報との間で異なるプロトコルが設定され、フォーマットの変更が必要である場合には、画像要求処理部１４は、画像要求に含まれる要求画像位置情報及び要求画像時間情報で特定される位置・時間範囲を、画像検索情報用のフォーマットの指定方法である画像検索用位置範囲情報及び画像検索用時間範囲情報に置き換えて画像検索情報生成部１９に出力する。
【００５７】
なお、画像検索情報には、図５に示す場合に限定されるものではない。画像検索情報生成部１９は、各記憶装置側で行う暗号化用の暗号鍵や、画像の買値を示す金銭情報、その他画像要求で指定される付加情報を含めて画像検索情報を生成しても良い。画像検索の条件として多くの条件を組み込むことで画像の収集効率が落ちるものの、各画像記憶装置内で精査・選別された画像だけが中央処理サーバ１２に送信されるため、中央処理サーバ１２の負荷を低減すると共に、不要な画像の流通が抑制されることによるプライバシー保護効果を高めることやネットワーク負荷の低減が達成できる。
【００５８】
画像検索情報送信部２０は、上記生成された画像検索情報を送信する。画像検索情報生成部１９で設定されたパケットの宛先アドレスに従って、複数の画像撮像・記憶システムへ一斉送信される。
【００５９】
画像検索情報生成部１９及び画像検索情報送信部２０は、別の見方では外部の画像記憶装置に対して画像の送信を要求する要求部と見ることができる。すなわち、上記画像検索情報は、各画像記憶装置に画像を検索させて、条件に該当する画像を送信させるための信号であるためである。つまり、当該要求部は、画像収集システム側のＤＢに記憶されていない画像について外部の画像記憶装置に当該画像の送信を要求していることになる。また、別の見方では、画像を送信させる指示を行う送信指示部と見ることもできる。
【００６０】
画像受信部２１は、外部に分散して存在する画像撮像・記憶システムより送信された画像を受信し、受信した画像を画像格納部２２へ出力する。ここで、画像受信部２１が受信する画像は少なくとも当該画像の撮像位置と撮像時刻が関連付けされている。当該関連付けは、画像のヘッダ部分に当該撮像位置と撮像時刻を示す情報が含まれることで関連付けされていても良い。また、画像受信部２１が、画像とは別に当該画像のファイル名と撮像位置及び撮像時刻とが対応付けて纏められた画像管理ファイルを受信しても良い。この場合は当該画像管理ファイルもあわせて画像格納部２２に出力される。
【００６１】
画像格納部２２は、画像受信部２１より受け取った画像をＤＢ１１に格納する。また、当該画像のファイル名、画像に関連付けされた撮像位置及び撮像時刻（取得位置及び取得時刻）、画像の提供者を識別する情報、画像の格納位置を示す格納アドレス、を画像管理情報として画像管理情報記憶部１６に格納する。すなわち、画像格納部２２は、画像管理情報記憶部１６に記憶されている管理テーブル状の画像管理情報を更新する。
【００６２】
なお、上記画像に関連付けされた撮像位置及び撮像時刻に関する情報、画像の提供者を識別する情報、画像の格納位置を示す格納アドレス、を画像管理情報として画像管理情報に記憶する処理を画像格納部２２ではなく、別途画像管理格納部として設けても良い。
【００６３】
次に、中央処理サーバ１２の動作について説明する。図６は、中央処理サーバ１２の主な動作を示すフローチャート図である。
【００６４】
画像要求処理部１４は、画像要求受信部１３において新たな画像要求が受信されたかどうかを判定する（ステップＳ１０１）。受信されていない場合は、そのまま待機し、新たな画像要求が受信されることを待つ。
【００６５】
画像要求処理部１４は、画像要求受信部１３で新たな受信された画像要求を受け取った場合は、ＤＢ１１に当該画像要求で要求されている画像が記憶されているかを判定する（ステップＳ１０２）。
【００６６】
具体的には、画像要求処理部１４は、画像管理情報記憶部１６に記憶されている画像管理情報を参照し、受け取った画像要求に含まれる要求画像位置情報及び要求画像時間情報に基づいて特定される位置・時間範囲で撮像された画像がＤＢ１１に記憶されているかどうかを判定する。
【００６７】
画像要求処理部１４はステップＳ１０２の判定においてＤＢ１１に要求されている画像が記憶されていると判定した場合は、画像読み出し部１７に当該画像の格納アドレスを含む画像読み出し指示を行い、画像読み出し部１７に画像を読み出させる（ステップＳ１０３）。
【００６８】
画像読み出し指示を受け取った画像読み出し部１７は、当該画像読み出し指示で指定される格納アドレスにアクセスし、当該アドレス位置に記憶されている画像を読み出す（ステップＳ１０４）。
【００６９】
ステップＳ１０４において、画像読み出し部１７によって読み出された画像は画像要求処理部１４に送られ、画像要求処理部１４において暗号化等の必要な処理が行われた後にパケットに分割して格納され、最終的に画像送信部１８より画像要求元へ送信される（ステップＳ１０５）。
【００７０】
一方、ステップＳ１０２において、画像要求処理部１４がＤＢ１１に該当画像が記憶されていないと判定した場合は、画像要求処理部１４は、画像検索情報生成部１９に対して画像検索情報生成指示を出す（ステップＳ１０６）。具体的には、画像要求処理部１４は、画像要求受信部１３より受け取った画像要求に含まれる情報を必要に応じてフォーマット変換した上で画像検索情報生成指示に含めて画像検索情報生成部１９に出力する。
【００７１】
画像検索情報生成指示を受け取った画像検索情報生成部１９は、所定のフォーマットに従って画像検索情報を生成し、画像検索情報送信部へ出力する（ステップＳ１０７）。
【００７２】
画像検索情報送信部２０は、画像検索情報生成部１９より受け取った画像検索情報を外部へ送信する（ステップＳ１０８）。
【００７３】
画像受信部２１は、ステップＳ１０８で送信された画像検索情報に基づいて抽出されて送信された画像を受信する（ステップＳ１０９）。画像受信部２１で受信された画像は画像格納部２２に送られる。
【００７４】
画像格納部２２は、画像受信部２１より受け取った画像をＤＢ１１に格納する（ステップＳ１１０）。同時に、画像格納部２２は、当該画像に関連付けられた位置情報や時刻情報、その他画像を格納したＤＢ１１上の格納アドレスを画像管理情報として画像管理情報記憶部に格納することで、画像管理情報記憶部１６に記憶される画像管理情報を更新する（ステップＳ１１１）。
【００７５】
同時に、画像格納部２２は当該画像を画像処理部１４に送り、画像処理部１４で当該画像に対応する画像要求に含まれる要求元識別情報に基づいて特定されるＩＰアドレスを宛先とするパケットに画像が分割して格納された後に画像送信部１８より画像が画像要求元へ送信される（ステップＳ１１２）。
【００７６】
次に、画像を撮像及び記憶する画像撮像・記憶システム１００について説明する。画像撮像・記憶システム１００は様々な形態が取りうるため順に説明する。
【００７７】
図７は、画像撮像・記憶システムの一態様である画像撮像記憶装置１００ａの構成を示すブロック図である。ここで、画像撮像記憶装置は、１つの装置で画像を撮像する機能と画像を記憶する機能を有する装置である。
【００７８】
画像撮像記憶装置１００ａは、画像撮像部１１０と、位置情報取得部１２０と、時刻情報取得部１３０と、関連付け部１４０と、記憶部１５０と、画像検索情報受信部１６０と、画像検索部１７０と、画像送信部１８０と、を具備する。
【００７９】
画像撮像部１１０は、所謂カメラに該当し、画像を撮像する。画像撮像部１１０は、レンズを介してＣＣＤやＣＭＯＳ等の固体素子で撮像された画像にホワイトバランス調整等の画像補正を行い、ＪＰＥＧやＭＰＥＧ等の所定のフォーマットに圧縮符号化を行った後に、当該画像を関連付け部１４０に出力する。
【００８０】
位置情報取得部１２０は、現在の位置を求めて位置情報を取得する。位置情報取得部１２０は、ＧＰＳ衛星からの電波を受信し、所定の位置算出アルゴリズムに従って現在の位置を特定し、当該位置を位置情報として取得する。位置情報取得部１２０は、取得した現在の位置を示す位置情報を関連付け部１４０に送る。
【００８１】
なお、位置情報取得部１２０は、ネットワーク側のサーバと協調して位置情報を取得する構成であっても良い。例えば、位置情報取得部１２０は、ＧＰＳ衛星から受信した電波を復調及び復号することで得られる情報を一旦無線通信を行ってネットワークに送信し、ネットワーク内に配置された位置算出装置で算出された位置情報を無線受信することで位置情報を取得する構成であっても良い。
【００８２】
また、位置情報取得部１２０は、通信を行っている基地局のＩＤや基地局から送信される電磁波の強度及び方向に基づいて現在の位置を推定することにより位置情報を取得する構成であっても良い。
【００８３】
時刻情報取得部１３０は、現在の時刻を求めて時刻情報を取得する。具体的には、時刻情報取得部１３０として、内蔵クロック等の時間計測回路とする構成であっても良いし、ＧＰＳ衛星からの電波を受信し、所定の位置算出アルゴリズムに従って現在の時刻を特定し、当該時刻を時刻情報として取得する構成であっても良い。時刻情報取得部１３０は、取得した現在の時刻を示す時刻情報を関連付け部１４０に送る。
【００８４】
関連付け部１４０は、画像撮像部１１０より送られてきた画像と位置情報取得部１２０より受け取った位置情報及び時刻情報取得部１３０より受け取った時刻情報とを関連付ける。関連付け部１４０は、当該画像と当該位置情報及び時刻情報とを関連付けた状態で当該画像を記憶部１５０に格納する。
【００８５】
なお、関連付け部１４０における上記関連付け方法は様々な方法を採用することができる。例えば、関連付け部１４０は、上記画像のヘッダ部分に当該画像を撮像した位置及び時刻を示す情報として上記位置情報及び時刻情報を埋め込むことで関連付けを行っても良い。
【００８６】
また、関連付け部１４０は、当該画像のファイル名と当該位置情報及び時刻情報とを対応付けた管理ファイルを別途生成することで関連付けを行っても良い。この場合、関連付け部１４０は当該管理ファイルを合わせて記憶部１５０に格納する。具体的には、関連付け部１４０は、画像ファイル名と、撮像位置及び撮像時刻と、記憶部１５０における当該画像の格納アドレスとの対応付けを纏めた画像管理ファイルを記憶部１５０より読み出し、新たに関連付けを行った画像に関する画像ファイル名、位置情報及び時刻情報、格納アドレスを画像管理ファイルに追記して更新する。このように関連付けを行っても良い。
【００８７】
記憶部１５０は、関連付け部１４０で上記関連付けが行われた画像を記憶する。なお、上記管理ファイルを用いて関連付けが行われる場合は、当該管理ファイルを合わせて記憶する。このような記憶部１５０としてはハードディスクドライブ（ＨＤＤ）やメモリーカード等の記憶媒体を用いることができる。
【００８８】
画像検索情報受信部１６０は、中央処理サーバ１２より送信される画像検索情報を受信する。画像検索情報受信部１６０は、受信した画像検索情報を画像検索部１７０に送る。
【００８９】
画像検索部１７０は、受け取った画像検索情報に基づいて記憶部１５０に当該画像検索情報で示される検索条件を満たす画像が記憶されているかどうかの検索を行う。
【００９０】
具体的には、画像検索情報には、図５に示すように画像検索用位置範囲情報及び画像検索用時間範囲情報が含まれるため、これらの情報に基づいて特定される位置・時間範囲で撮像された画像が記憶されているかを検索する。すなわち、記憶部１５０に記憶されている画像に関連付けられた撮像位置及び撮像時刻を確認し、画像検索情報に含まれる画像検索用位置範囲情報及び画像検索用時間範囲情報に基づいて特定される位置・時間範囲で撮像された画像があるかを検索する。
【００９１】
画像検索部１７０は、上記検索の結果、上記位置・時間範囲で撮像された画像が記憶部１５０に記憶されている場合は、当該画像を抽出して画像送信部１８０に送る。
【００９２】
画像送信部１８０は、画像検索部１７０における上記検索の結果抽出されて送られてきた画像を画像検索情報に含まれる要求元識別情報に基づいて特定されるＩＰアドレスを宛先とするパケットに分割して格納した上で送信する。当該送信方法は有線に接続されている場合は有線による送信であっても良いし、そうでない場合は図示せぬ無線インターフェースを介して無線送信しても良い。このような無線としては、移動体無線通信網を利用することができる。
【００９３】
通常は、関連付け部１４０と画像検索部１７０は、ＣＰＵ（Central
Processing Unit）に所定のプログラムを実行させることで実現される。
【００９４】
次に画像撮像・記憶装置１００ａの動作について説明する。図８は、画像撮像・記憶装置１００ａにおける撮像処理及び記憶処理の動作の流れを示すフローチャート図である。
【００９５】
画像撮像部１１０は、画像を撮像する（ステップＳ２０１）。具体的には、画像撮像部１１０は図示せぬ操作入力部を介してユーザから撮像指示（録画指示）を受けた段階で画像の撮像を開始する。また、画像撮像・記憶装置１００ａが予め定められた状態に置かれた時に画像撮像部１１０は自動的に撮像を開始する構成であっても良い。
【００９６】
これと同時に、位置情報取得部１２０及び時刻情報取得部１３０でそれぞれ位置情報及び時刻情報が取得される（ステップＳ２０２）。取得された位置情報及び時刻情報は関連付け部１４０に送られる。
【００９７】
関連付け部１４０は、ステップＳ２０１で撮像された画像とステップＳ２０２で取得された位置情報及び時刻情報とを関連付けた上で当該画像を記憶部１５０に格納する（ステップＳ２０３）。
【００９８】
関連付け部１４０は、当該格納を行った段階で、ユーザより撮像停止指示（録画停止指示）が上記操作入力部を介して入力されたかを判定する（ステップＳ２０４）。撮像停止指示が入力されていない場合は、ステップＳ２０１に戻り撮像を継続する。一方、撮像停止指示が入力されていた場合は、画像撮像部１１０と位置情報取得部１２０と時刻情報取得部１３０に動作を停止させる停止指示信号を出力し、一連の撮像・記憶処理を終了する。
【００９９】
図９は、画像撮像・記憶装置１００ａにおける画像検索・送信処理の動作の流れを示すフローチャート図である。
【０１００】
画像検索部１７０は、画像検索情報受信部１６０において画像検索情報が受信されたかを判定する（ステップＳ３０１）。画像検索情報が受信されていない場合は画像検索部１７０は、そのまま待機し、画像検索情報が受信されることを待つ。
【０１０１】
画像検索部１７０は、画像検索情報受信部１６０で画像検索情報が受信されて、当該画像検索情報を受け取った場合は、画像の検索を実行する（ステップＳ３０２）。具体的には、画像検索情報に含まれる位置及び時間に関する情報に基づいて特定される位置・時間範囲内で撮像された画像が記憶部１５０に記憶されているかを画像に関連付けられた位置情報及び時刻情報を参照して確認する。
【０１０２】
画像検索部１７０は、ステップＳ３０２で実行した検索の結果、画像検索情報で求められている該当画像が記憶部１５０内に存在するかを判定する（ステップＳ３０３）。判定の結果、該当画像が記憶部１５０内に記憶されていない場合は、処理を終了する。
【０１０３】
一方、ステップＳ３０２における検索によって該当画像が記憶されていると判定された場合は、画像検索部１７０は、該当画像を抽出して画像送信部１８０に送る（ステップＳ３０４）。画像送信部１８０は、送られてきた画像を外部へ送信することで、要求された画像を提出する（ステップＳ３０５）。
【０１０４】
このように、画像撮像・記憶装置１００ａは、自ら移動する装置または移動体に取り付けられる装置であって、自装置の位置特定を可能としつつ、画像の撮像及び記憶が可能な装置である。このような装置としては、車等の移動体に搭載された経路誘導機能を合わせて有するカーナビゲーション装置やドライブレコーダ、スマートフォン等のカメラ付き携帯電話端末装置などがある。但し、画像撮像・記憶装置１００ａはこれに限定されるものではなく、上記説明した機能を有する様々な形態の装置とすることができる。
【０１０５】
次に、画像撮像・記憶システム１００ｂについて説明する。画像撮像・記憶システム１００ｂは、少なくとも画像撮像装置２００ｂと画像記憶装置３００ｂの２つの装置を含み、これら２つの装置間で通信が可能な構成を取る。
【０１０６】
図１０は、当該画像撮像装置２００ｂの構成を示すブロック図である。画像撮像装置２００ｂは、画像撮像部１１０と、位置情報取得部１２０と、時刻情報取得部１３０と、関連付け部１４０と、記憶部２５０と、接続状態確立部２７０と、画像抽出部２８０と、通信部２９０と、を具備する。以下、各部の機能について説明する。但し、画像撮像部１１０、位置情報取得部１２０、時刻情報取得部１３０、関連付け部１４０、は、画像撮像・記憶装置１００ａで説明した構成と略同一であるため説明を省略する。
【０１０７】
記憶部２５０は、撮像位置及び撮像時刻と関連付けされた画像を記憶する他に、後述する画像記憶装置３００ｂとの接続を確立するために必要となる接続情報を合わせて記憶する。当該接続情報には、接続先である画像記憶装置３００ｂを固有に識別する識別子や、画像記憶装置３００ｂとの接続状態の確立に用いられる暗号鍵や認証パスワード等がある。
【０１０８】
接続状態確立部２７０は、画像記憶装置３００ｂとの間の接続状態を確立する。具体的には、後述する通信部２９０を介して外部装置の存在を検出し、当該外部装置との接続を試みる。
【０１０９】
接続状態確立部２７０は、外部装置の存在を検出すると、まず記憶部２５０に記憶されている接続情報を参照し、予め登録されている装置であるかを確認する。具体的には、検出した外部装置を識別する識別子が接続情報に登録されている識別子と一致するかを判定する。識別子が一致した場合は、接続状態確立部２７０は、当該外部装置とのセッション確立を行い、必要に応じて認証処理や秘匿処理を行うことで接続状態を確立する。
【０１１０】
接続状態確立部２７０によって接続状態が確立された後に、画像抽出部２８０は、記憶部２５０に記憶されている画像を抽出して通信部２９０に送る。画像抽出部２８０は、これまでに記憶部２５０より抽出して送信済みの画像を合わせて管理しており、記憶部２５０に記憶されている画像であって、送信済みでない画像を抽出して通信部２９０に送る。
【０１１１】
通信部２９０は、画像抽出部２８０より送られてきた画像を、パケットに格納して接続状態確立部２７０によって接続状態が確立された外部装置に送信する。この時通信部２９０は、送信する画像を当該画像の撮像位置（取得位置）及び撮像時刻（取得時刻）と関連付けた状態で送信する。この場合、画像データ内に当該撮像位置情報及び撮像時刻情報が付与されていてもいいし、別途当該対応関係を纏めた管理ファイルを送信しても良い。
【０１１２】
このような画像撮像装置２００ｂとしては、例えばコンパクトカメラやカメラ付き携帯電話端末等がある。図１１は、当該画像撮像装置２００ｂの一種であるスマートフォン２０１の（ａ）正面図、（ｂ）背面図、（ｃ）平面図、（ｄ）底面図、（ｅ）左側面図（ｆ）右側面図、をそれぞれ示している。
【０１１３】
スマートフォン２０１の正面には、音声を再生するスピーカ２０２が上方に配置され、大部分を液晶パネルや有機ＥＬパネル等からなる画像表示パネル２０３が配置される。また、下方には、入力ボタン２０４が配置される。
【０１１４】
背面には、カメラ２０５が取り付けられている。上面には、ヘッドフォン等を接続するモジュラジャック２０６や電源スイッチ２０７が配置され、底面には、スピーカ２０８、２０９が両側に配置されると共に中心に接続ケーブルと接続する接続端子２１０が配置される。左側面には、電話番号を特定するための契約情報を記録したＳＩＭ（Subscriber Identity Module）カードを格納するＳＩＭカードスロット２１１が配置され、右側面には、音量を変更するボリュームスイッチ２１２が配置される。
【０１１５】
ここで、後述する画像記憶装置３００ｂとスマートフォン２０１とは、接続ケーブルで接続可能な構成をとる。このような接続ケーブルとしては例えばＵＳＢ等既存の接続方式を利用することができる。当該接続ケーブルの一端をスマートフォン側の接続端子２１０に繋げ、他端を画像記憶装置３００ｂの接続端子に繋げる事でスマートフォン２０１と画像記憶装置３００ｂとの間で通信が開始される。
【０１１６】
なお、図１１では画像撮像装置２００ｂとしてスマートフォンを説明したがこれに限るものではない。画像撮像装置２００ｂの一種であるデジタルカメラやドライブレコーダ等についても同様に接続ケーブルと接続する接続端子が設けられていても良い。
【０１１７】
図１０に戻って、接続ケーブルにより両装置が接続されることで、通信部２９０は通信を開始する。同時に接続状態確立部２７０が、通信部２９０を介して認証処理や秘匿処理等の接続状態確立処理を開始する。
【０１１８】
図１２は、画像撮像装置２００ｂの動作の流れを示すフローチャート図である。
【０１１９】
接続状態確立部２７０は、外部装置との接続を検出する（ステップＳ４０１）。具体的には、自装置に備えられた接続端子に接続ケーブルが接続され、当該接続ケーブルを介してデータが送られてくることを監視し、当該データを受け取った場合に外部装置と接続されたことを検出する方式を採用しても良い。
【０１２０】
接続状態確立部２７０は、外部装置との接続をステップＳ４０１で検出した場合、当該外部装置との接続を試みる接続処理を行う（ステップＳ４０２）。具体的には、当該外部装置から接続ケーブルを介して送信されるパケットに含まれるＭＡＣアドレス等、当該外部装置を一意に識別する固有ＩＤと、記憶部２５０に記憶されている接続情報に含まれる登録された装置の固有ＩＤとを比較する。当該２つの固有ＩＤが一致した場合に、当該外部装置は登録済みの装置であるとし、その他の認証処理や秘匿処理、暗号化処理等を行った上で接続状態を確立する。なお、上記接続処理は、セッション層やアプリケーション層などより上位レイヤにおいて認証処理等の接続処理を行う構成であっても良い。
【０１２１】
また、ステップＳ４０１における接続の検出は有線による接続に限られるものではなく、無線による接続であっても良い。画像撮像装置２００ｂが無線ＬＡＮ等の無線通信インターフェースを備え、接続状態検出部２７０は、アクセスポイント（ＡＰ）からの信号を受信することを持って外部装置との接続を検出する方式を採用しても良い。
【０１２２】
この場合は、接続状態確立部２８０は、当該受信した信号に含まれるアクセスポイントを識別する固有ＩＤと、記憶部２５０に記憶している接続確立用の接続情報に含まれる登録済みアクセスポイントの固有ＩＤとを比較する。これら２つＡＰの固有ＩＤが一致した場合は、更に接続情報に含まれる認証パスワードやＷＥＰを用いて当該ＡＰとの認証処理や秘匿処理を行い、当該ＡＰとの接続を確立した上で、その先に接続されている画像記憶装置３００ｂと同様の認証処理や秘匿処理を上記接続情報に含まれるパスワード等や暗号鍵を用いて行う。接続状態確立部２７０は、このような方法で接続を確立しても良い。
【０１２３】
ステップＳ４０２における接続処理の結果、接続が成功した場合は、ステップＳ４０４の画像送信処理に進む（ステップＳ４０３）。一方、ステップＳ４０２における接続処理の結果、接続が失敗した場合は、当該画像記憶装置３００ｂは予め登録された正規の装置ではないものとして接続状態を確立することなく接続処理を終了する。
【０１２４】
ステップＳ４０３において、ステップＳ４０２における接続処理が成功したと判定された場合は、画像抽出部２８０は、記憶部２５０に記憶されている画像を抽出し、画像送信部２９０から当該画像を送信する。
【０１２５】
なお、この場合において、記憶部２５０に記憶される画像は、撮像位置及び撮像時刻と関連付けられることに加えて、画像抽出部２８０で抽出されて画像が外部へ移送されたかどうかを合わせて関連付けても良い。
【０１２６】
図１３は、この場合における記憶部２５０に合わせて記憶される画像と撮像位置及び撮像時刻との対応付けを纏めた画像管理ファイルの一例を示している。図１３において、画像管理ファイルには、画像ファイル名、画像撮像位置及び撮像時刻を示す画像取得位置情報及び画像取得時刻情報、当該画像の記憶位置を示す格納アドレス、に加えて既に画像を抽出して外部へ送信したかどうかを示す送信済み判定ビットを合わせて対抗付けている。
【０１２７】
上記ステップ４０３で接続処理が成功したと判定された場合、画像抽出部２８０は、上記画像管理ファイルを読み込み、まだ画像の抽出及び送信が完了していないことを示す送信済み判定ビットが０の画像について、当該画像の格納アドレス位置から画像を読み出すことで画像を抽出する。
【０１２８】
図１３において、SRC100101.jpg とSRC100102.jpgは、既に画像の抽出及び送信が完了しているため、当該処理が完了していることを示す「１」に送信済み判定ビットが設定されているものの、
SRC100103.jpg とSRC100104.jpgの当該判定ビットは「０」である。画像抽出部２８０は、当該送信済み判定ビットが「０」であるSRC100103.jpg
とSRC100104.jpgの画像を抽出対象として特定し、当該画像の格納アドレスを参照して当該格納位置より画像を読み出す。画像抽出部２８０は、読み出した画像を画像送信部２９０に送る。画像抽出部２８０は、画像送信部２９０から外部装置である画像記憶装置３００ｂへの画像送信が完了した段階で、当該画像送信部２９０から画像送信が完了したことを示すAck信号を受け取る。画像抽出部２８０は、当該Ack信号を画像送信部２９０より受け取った場合に、画像管理ファイルにおける当該画像の送信済み判定ビットを「０」から「１」に書き換えることで画像管理ファイルの更新を行う。このように構成されていても良い。
【０１２９】
画像抽出部２８０が、１枚（１単位）の画像送信が完了した段階で更に送信する画像が記憶部２５０に記憶されているかを判定する（ステップＳ４０５）。具体的には、上記送信済み判定ビットが無い場合は、記憶部２５０に記憶されている画像をすべて送信し終えたかを判定する。また、上記送信済み判定ビットを用いる場合は、当該送信済み判定ビットが「０」である画像が記憶部２５０に記憶されているかを判定する。当該判定の結果、まだ必要な画像送信が完了していない場合は、ステップＳ４０４に戻り、画像抽出部２８０は次の画像抽出を行う。一方、送信が必要な画像すべての送信が完了した場合は処理を終了する。
【０１３０】
次に、画像の受け取り手である画像記憶装置３００ｂについて説明する。図１４は、画像記憶装置３００ｂの構成を示すブロック図である。画像記憶装置３００ｂは、通信部３１０と、接続状態確立部３２０と、画像格納部３３０と、記憶部３５０と、画像検索情報受信部３６０と、画像検索部３７０と、画像送信部３８０と、を備える。
【０１３１】
通信部３１０は、外部装置である画像撮像装置２００ｂと通信を行う。具体的には、画像記憶装置３００ｂも接続ケーブルを繋ぐ接続端子を有しており、当該接続端子に接続された接続ケーブルを介して画像撮像装置２００ｂと通信を行う。通信部３１０で受信される画像は一旦画像格納部３３０へ送られる。
【０１３２】
接続状態確立部３２０は、外部装置との接続状態を確立する。接続状態確立部３２０は、外部装置の存在を検出すると、まず記憶部３５０に記憶されている接続情報を参照し、予め登録されている装置であるかを確認する。例えば、検出した外部装置を識別する識別子が接続情報に登録されている識別子と一致するかを判定する。識別子が一致した場合は、接続状態確立部３２０は、当該外部装置とのセッション確立を行い、必要に応じて認証処理や秘匿処理を行うことで接続状態を確立する。
【０１３３】
画像格納部３３０は、通信部３１０より受け取った画像を記憶部３５０に格納する。この時、画像格納部３３０は、当該画像を撮像位置及び撮像時刻との関連付けを維持したまま記憶部３５０に格納する。当該関連付けの維持方法は、画像管理ファイルを生成して記憶部３５０に合わせて格納したり、通信部３１０で合わせて受信される当該関連付けを纏めた画像管理ファイルに記憶部３５０での当該画像格納アドレスを記した上で記憶部３５０に格納したりすることで対応できる。
【０１３４】
記憶部３５０は、接続状態確立部３２０が接続状態を確立した後に、通信部３１０によって受信されて画像格納部３３０より格納される画像を記憶する。ここで、通信部３１０は、撮像位置及び撮像時刻と関連付けられた状態で画像を受信し、記憶部３５０は、当該関連付けを維持したまま画像を記憶する。なお、画像ファイル名と撮像位置及び撮像時刻の対応関係を纏めた画像管理ファイルを通信部３１０が受信することで、上記関連付けが維持される場合は、記憶部３５０は、当該画像管理ファイルで示される内容を合わせて記憶する。
【０１３５】
画像検索情報受信部３６０は、中央処理サーバ１２より送信される画像検索情報を受信する。画像検索情報受信部３６０は受信した画像検索情報を画像検索部３７０に送る。
【０１３６】
画像検索部３７０は、受け取った画像検索情報に基づいて記憶部３５０に当該画像検索情報で示される検索条件を満たす画像が記憶されているかどうかの検索を行う。
【０１３７】
具体的には、上述した画像検索部１７０と同様、画像検索情報に含まれる画像検索用位置範囲情報及び画像検索用時間範囲情報に基づいて特定される位置・時間範囲で撮像された画像が記憶されているかを検索する。すなわち、記憶部３５０に記憶されている画像に関連付けられた撮像位置及び撮像時刻を確認し、画像検索情報に含まれる画像検索用位置範囲情報及び画像検索用時間範囲情報に基づいて特定される位置・時間範囲で撮像された画像があるかを検索する。
【０１３８】
画像検索部３７０は、上記検索の結果、上記位置・時間範囲で撮像された画像が記憶部３５０に記憶されている場合は、当該画像を抽出して画像送信部３８０に送る。
【０１３９】
画像送信部３８０は、画像検索部３７０における上記検索の結果抽出されて送られてきた画像を画像検索情報に含まれる要求元識別情報に基づいて特定されるＩＰアドレスを宛先とするパケットに分割して格納した上で送信する。当該送信方法は有線に接続されている場合は有線による送信であっても良いし、そうでない場合は図示せぬ無線インターフェースを介して無線送信しても良い。
【０１４０】
なお、画像記憶装置３００ｂは、家庭内に設置されたパーソナルコンピュータ等の形態をとることが一般的に想定されるため、有線でインターネット網と接続されることが期待される。このような場合は、画像送信部３８０は、当該有線を用いて高速に画像検索部３７０で抽出された画像を中央処理サーバ１２へ送信することができる。
【０１４１】
このように、画像撮像・記憶システム１００ｂは、画像を撮像する装置と画像を記憶する装置の少なくとも２つを含んで構成されることを特徴とする。一般的に、画像撮像装置１００ｂは、ユーザの携帯性や利便性を追求する結果、小型化や省電力化が求められ、記憶部２５０の記憶容量も比較的小さくなることが想定される。
【０１４２】
従って、このような装置で撮像される画像は、ユーザが帰宅した場合などであってパーソナルコンピュータ等に接続することで充電する場合や、家庭内無線ＬＡＮの在圏下に入った場合などでは、画像を自動的に画像撮像装置２００ｂから画像記憶装置３００ｂへ移送することが好ましい。当該構成とすることで、比較的大容量の情報記憶媒体を搭載できるパーソナルコンピュータ等により長期間の画像を記憶保管しておくことができる。
【０１４３】
なお、上記画像記憶装置３００ｂは、家庭内に配置される装置である必要は無く、オフィスや公衆エリア等に配置される装置であっても良い。
【０１４４】
また、上記の画像撮像装置２００ｂは、移動体の一つであるユーザ自身が見につける装置であっても良い。このようなものとして、スマートグラスがある。ここで、スマートグラスとは、多機能を有するデジタル眼鏡である。両眼レンズ部分にそれぞれ第１、第２の透過型液晶パネルが配置され、透過型液晶パネルの上方にそれぞれ第１、第２のカメラが配置されている。また当該デジタル眼鏡のフレーム部分内部には上方を処理するＣＰＵや当該カメラで撮像された画像を記憶する記憶部、現在の位置情報を取得するＧＰＳ受信機、外部と通信を行う無線通信部、電力を供給する電源部等が配置されている。当該スマートグラスに図１０で示した機能を搭載することで、画像撮像装置２００ｂとすることも可能である。
【０１４５】
次に、画像記憶装置３００ｂの動作について図１５のフローチャート図を参照して説明する。
【０１４６】
接続状態確立部３７０は、外部装置との接続を検出する（ステップＳ５０１）。具体的には、自装置に備えられた接続端子に接続ケーブルが接続され、当該接続ケーブルを介してデータが送られてくることを監視し、当該データを受け取った場合に外部装置と接続されたことを検出する方式を採用できる。また、当該接続端子に接続された接続ケーブルを介してデータを定期的に送信し、応答が合った場合に、外部装置との接続を検出しても良い。
【０１４７】
接続状態確立部３７０は、外部装置との接続をステップＳ４０１で検出した場合、当該外部装置との接続を試みる接続処理を行う（ステップＳ５０２）。具体的には、当該外部装置から接続ケーブルを介して送信されるパケットに含まれるＭＡＣアドレス等、当該外部装置を一意に識別する固有ＩＤと、記憶部３５０に記憶されている接続情報に含まれる登録された装置の固有ＩＤとを比較する。当該２つの固有ＩＤが一致した場合に、当該外部装置は登録済みの装置であるとし、その他の認証処理や秘匿処理、暗号化処理等を行った上で接続状態を確立する。なお、上記接続処理は、セッション層やアプリケーション層などより上位レイヤにおいて認証処理等の接続処理を行う構成であっても良い。
【０１４８】
また、ステップＳ５０１における接続の検出として、自装置にＬＡＮ接続された先の装置である無線ＬＡＮアクセスポイントより送られてくるパケットを監視することで外部装置との接続を検出する方式を採用しても良い。この場合、当該ＡＰを介して送信されるパケットの送信元を示す固有ＩＤと記憶部３５０に記憶している接続情報に含まれる登録済みの固有ＩＤとを比較し、一致した場合に、秘匿処理等を行うことで接続を確立することができる。
【０１４９】
ステップＳ５０２における接続処理の結果、接続が成功した場合は、ステップＳ５０４の画像受信処理に進む（ステップＳ５０３）。一方、ステップＳ５０２における接続処理の結果、接続が失敗した場合は、当該外部装置である画像撮像装置２００ｂは予め登録された正規の装置ではないものとして接続状態を確立することなく接続処理を終了する。
【０１５０】
ステップＳ５０３において、ステップＳ５０２における接続処理が成功したと判定された場合は、通信部３１０が、外部装置である画像撮像装置２００ｂより送信されてくる画像を受信する（ステップＳ５０４）。通信部３１０で受信される画像は画像格納部３３０に送られる。
【０１５１】
画像格納部３３０は、受け取った画像を記憶部３５０に画像撮像位置及び撮像時刻と関連付けた状態で格納する（ステップＳ５０５）。次に、画像格納部３３０は、通信部３１０において今回格納する全画像を受信済みかを判定する（ステップＳ５０６）。
【０１５２】
当該判定は、例えば画像撮像装置２００ｂ側で全ての画像が抽出及び送信が完了した段階で、画像抽出部２８０が当該全画像の送信が完了したことを示す送信完了情報を生成して通信部２９０より送信する仕組みを組み込んでも良い。画像格納部３３０が、当該送信完了情報を通信部３１０を介して受け取った場合に、今回の全画像の送受信が全て終了したと判断して、一連の画像格納処理を終了しても良い。
【０１５３】
ステップＳ５０６の判定の結果、全画像を受信していないと判定された場合は、ステップＳ５０４に戻り、後続の画像を受信する。なおステップＳ５０５で画像を適切に格納した後に、画像格納部３３０は、画像を適切に受信したことを示すＡｃｋ信号を生成し、当該Ａｃｋ信号を通信部３１０を通じて画像撮像装置２００ｂ側に送信する構成とするとなお良い。
【０１５４】
なお、画像検索情報受信部３６０、画像検索部３７０、画像送信部３８０が行う画像抽出・送信処理は、図９で説明した画像検索情報受信部１６０、画像検索部１７０、画像送信部１８０が行う画像抽出・送信処理と略同一であるため説明を省略する。
【０１５５】
このように、画像撮像・記憶装置１００ａを複数装置からなる画像撮像・記憶システム１００ｂのようにシステム化したものを中央処理サーバ１２における画像収集対象に組み込むことで、中央処理サーバ１２は画像収集用ターゲットを拡大し、画像収集効率を向上させることができる。
【０１５６】
次に、別形態の画像撮像・記憶システム１００ｃについて説明する。画像撮像・記憶システム１００ｃは、画像撮像装置２００ｃと情報処理装置４００ｃと情報記憶媒体５００ｃと、を含んで構成されるシステムである。
【０１５７】
なお、情報処理装置４００ｃと情報記憶媒体５００ｃとで構成される内部システムを画像記憶システム３００ｃと特に呼ぶことがある。画像記憶システム３００ｃは、上述した画像記憶装置３００ｂをシステム化したものに対応する。
【０１５８】
画像撮像装置２００ｃは、接続先が画像記憶装置３００ｂから情報処理装置４００ｃに変更された以外は、その機能構成が上述した画像撮像装置２００ｂと略同一であるため、ここでは説明を省略する。
【０１５９】
情報処理装置４００ｃは、例えば家庭内に配置されるパーソナルコンピュータ等の装置であり、情報記憶媒体５００ｃは、同家庭内に配置されるホームサーバ等の装置である。当該情報処理装置４００ｃと情報記憶媒体５００ｃは、家庭内ＬＡＮで相互に接続されている。なお、当該情報記憶媒体５００ｃは、家庭内ＬＡＮにより複数の情報処理装置４００ｃから接続可能な構成をとることが想定される。以下、情報処理装置４００ｃの構成について説明する。
【０１６０】
図１６は、情報処理装置４００ｃの構成を示すブロック図である。情報処理装置４００ｃは、通信部３１０と、接続状態確立部３２０と、画像格納部４３０と、記憶部４５０と、画像検索情報受信部３６０と、画像検索部３７０と、画像送信部３８０と、を備える。ここでは、図１４に示す画像記憶装置３００ｂと略同一部分については一部説明を省略する。
【０１６１】
記憶部４５０は、接続状態確立部３２０が外部装置との接続状態の確立を行うために用いる情報である接続情報を記憶する。接続状態確立部３２０は、当該記憶部４５０に記憶されている接続情報を用いて外部装置との接続状態の確立を試みる。このような接続情報として、登録済みの外部装置を識別する固有ＩＤや認証パスワード、暗号化用の暗号鍵や秘匿処理に用いる秘匿情報等が含まれる。
【０１６２】
また、記憶部４５０は、情報記憶媒体５００ｃに格納されている画像を管理する画像管理ファイルを合わせて記憶する。
【０１６３】
画像格納部４３０は、通信部３１０で受信されて送られてきた画像を外部に位置する情報記憶媒体５００ｃに格納する。この時、画像格納部４３０は、図１４の画像格納部３３０と同様、画像と当該画像の取得位置及び取得時刻と関連付けた状態で上記情報記憶媒体へ格納する。当該画像と取得位置（撮像位置）及び取得時刻（撮像時刻）と情報記憶媒体５００ｃにおける格納アドレスとの対応付けを纏めた画像管理ファイルは、記憶部４５０に格納される。すなわち、画像格納部４３０は、記憶部４５０に記憶されている当該画像管理ファイルを読み出し、情報記憶媒体へ新たに格納する画像に関する情報を更新していく。
【０１６４】
画像検索部３７０は、当該記憶部４５０に記憶されている当該画像管理ファイルを参照して、画像検索情報受信部３６０で受信された画像検索情報で指定される位置・時刻範囲内で撮影された画像が情報記憶媒体５００ｃに記憶されているかの検索を行う。当該画像が記憶されている場合は、情報記憶媒体５００ｃにアクセスして当該画像を読み込み、画像送信部３８０より中央処理サーバ１２へ送信する。
【０１６５】
このように、画像記憶システム３００ｃでは、外部装置である画像撮像装置や中央処理サーバ１２とのインターフェースとなる情報処理装置４００ｃに接続され、画像自体は情報記憶媒体５００ｃに記憶される。
【０１６６】
このようなシステム構成の典型例は家庭内ＬＡＮに接続された装置群であり、ホームサーバである情報記憶媒体５００ｃに画像を集約して記憶しておく。一般家庭において画像撮像装置２００ｃとなりうるスマートフォン等の携帯電話装置やコンパクトカメラは、家族人数分程度存在することが想定されるが、各装置で取得された画像を家庭内で個別に管理すると、管理が煩雑になる。そこで、家庭内ＬＡＮを構築した上で、書く画像撮像装置で撮像された画像をホームサーバである情報記憶媒体に集約して記憶保存しておくことで、中央処理サーバ１２からの画像検索情報への処理が簡略化されると共に、画像管理自体が簡略化される。
【０１６７】
また、一般的にホームサーバは装置自体の巨大化に容易に対応でき、数ヶ月から数年以上の長期間に渡って画像を保管しておくことが可能である。これだけ膨大な画像データでありながら、この画像はプライベート領域に隔離されており、パブリックである中央処理サーバからのアクセスは制限されている。従って、このようなプライベート領域に隔離された画像記憶システムが分散して存在することで、プライバシー保護を実現しつつ、全体として情報量が豊富な画像管理システムを構築することができる。
【０１６８】
次に、画像撮像・記憶システム１００ｄについて説明する。画像撮像・記憶システム１００ｄは、画像撮像装置２００ｄと、情報処理装置４００ｄと、情報記憶媒体５００ｄと、を含んで構成される。以下、図面を用いて説明する。
【０１６９】
画像撮像装置２００ｄは、画像を撮像する機能を有するカメラであり、ここでは固定カメラを想定している。ここで、固定カメラとは、移動体ではなく、自宅建物や宅内に固定して設置される防犯カメラ等を指す。当該画像撮像装置２００ｄは、画像を撮像する画像撮像部で撮像した画像を、通信回線を解して情報処理装置４００ｄに送信する。なお、通常はこのような画像撮像装置２００ｄは複数設置され、各画像撮像装置２００ｄで撮影された画像が情報処理装置４００ｄへ送信される。
【０１７０】
画像記憶システム３００ｄは上述した画像記憶システム３００ｃと同様の構成をとり、ここでは、情報記憶媒体５００ｄも上述した情報記憶媒体５００ｃと同様ホームサーバ等の装置が想定される。一方、情報処理装置４００ｄは、情報処理装置４００ｃと同様家庭内ＬＡＮに接続されたパーソナルコンピュータ等を想定しているものの、その機能は一部異なる。
【０１７１】
図１７は、情報処理装置４００ｄの構成を示すブロック図である。情報処理装置４００ｄは、画像受信部４１０と、時刻情報取得部４２０と、画像格納部４３０と、記憶部４５０と、画像検索情報受信部３６０と、画像検索部３７０と、画像送信部３８０と、を備える。ここでは、図１６に示す情報処理装置４００ｃと略同一部分については一部説明を省略する。
【０１７２】
画像受信部４１０は、各画像撮像装置２００ｄより送信される画像を受信する。受信した画像は、関連付け部４６０に一旦送られる。
【０１７３】
時刻情報取得部４２０は、現在の時刻を取得し、時刻情報として関連付け部４６０へ出力する。なお、時刻情報取得部４２０における時刻取得方法は既存の取得方法を用いることができる。
【０１７４】
記憶部４５０は、自装置と接続された画像撮像装置２００ｄに関する画像撮像装置固有情報を合わせて記憶する。図１８は当該画像撮像装置固有情報の一例を示している。
【０１７５】
画像撮像装置固有情報として、カメラナンバー、画像撮像装置固有ＩＤ、画像撮像装置情報、アクティブ状態、設置位置情報、カメラ方向、がそれぞれ対応付けされて登録されている。
【０１７６】
カメラナンバーは、画像撮像・記憶システム１００ｄ内に存在する固定カメラ（画像撮像装置２００ｄ）に割り当てられた番号を示している。画像撮像装置固有ＩＤは、当該画像撮像装置２００ｄを固有に識別するためのＩＤであり、具体的にはＭＡＣアドレス等を用いることができる。画像撮像装置情報は、当該装置ユーザが画像撮像装置を管理するために登録する内容であり、ユーザが当該画像撮像装置を認識しやすいように各自登録する情報である。アクティブ状態は、各画像撮像装置２００ｄが撮影中（アクティブ状態）であるか停止中（スリープ状態）であるかに関する情報である。設置位置情報は、各画像撮像装置２００ｄの設置位置を示しており、例えばＧＰＳ座標を用いてあらわすことができる。当該設置位置情報は、そのまま当該画像撮像装置における撮像位置を示すことになる。カメラ方向は、各画像撮像装置２００ｄが取り付けられた方向（方位）を示している。当該カメラ方向は、例えば０〜７の３ビットの情報で８方向を指定できるようにしても良いし、０〜１５の４ビットの情報で１６方向を指定できるようにしても良い。画像撮像装置２００ｄとして、固定設置型のカメラを想定しているため、当該情報も合わせて登録しておく。
【０１７７】
関連付け部４６０は、画像受信部４１０で受信された画像と、時刻情報取得部４２０で取得された時刻とを関連付ける。ここで、当該時刻情報取得部４２０で取得された時刻は当該画像を撮像した撮像時刻として関連付けられることになる。また、関連付け部４６０は、記憶部４５０に記憶されている上記画像撮像装置固有情報を参照して、当該画像を撮像した画像撮像装置に対応付けされた設置位置情報に記された値を当該画像の撮像位置として関連付ける。合わせて、関連付け部４６０は、当該画像撮像装置に対応付けされたカメラ方向に記された値を、当該画像の撮像方向（撮像方位）として関連付ける。関連付け部４６０は、関連付けを行った画像を画像格納部４３０へ送る。
【０１７８】
当該関連付けは、画像データのヘッダ部分に書き込むことで関連付けを行っても良いし、別途画像管理ファイルに、画像ファイル名、画像撮像位置、画像撮像時刻、画像撮像方向を対応付けることで関連付けを行っても良い。当該画像管理ファイルは、記憶部４５０に記憶されると主に、後述の画像格納部４３０からも参照され、更新される。
【０１７９】
画像格納部４３０は、関連付け部４６０で関連付け処理が行われた後の画像を外部の情報記憶媒体５００ｄに当該関連付けを維持した状態で格納する。画像格納部４３０は、関連付け部４６０が新たに書き込んだ画像管理ファイルに、当該画像を格納する情報記憶媒体５００ｄ上での格納アドレスを追記して画像管理ファイルを更新する。なお、当該画像管理ファイルは、記憶部４５０に記憶されても良いし、情報記憶媒体５００ｄに記憶されても良い。
【０１８０】
なお、画像検索情報受信部３６０、画像検索部３７０、画像送信部３８０、の構成については既に説明した情報処理装置４００ｃの構成と同様であるため説明を省略する。
【０１８１】
このように、民間人や民間組織が自衛のためにプライベート空間に設定する固定カメラ等の画像も中央処理サーバ１２の画像収集の対象とする。この場合においては、固定カメラであるため、予め定められた位置範囲を定点観測することになるため、移動体に取り付けられたカメラ等で撮像する場合と比較してプライバシー侵害確率が高まる。
【０１８２】
なぜならば、当該カメラの撮影先で生活している人は、常にこの固定されたカメラに晒されることになるためである。従って、プライバシー保護の観点からは、このようなカメラの撮影範囲は制限されることが好ましい。実際に、プライバシー保護のリテラシーが高いドイツでは、法律によって固定カメラの撮影範囲が軒先から〜メートル以内等の制限が課せられている。
【０１８３】
しかしながら、このような制限をクリアした上での固定カメラも、中央処理サーバ１２が張る画像収集システム１０にとって良好な画像提供源となりうる。更に、画像撮像・記憶システム１００ｄは、当該画像収集システム１０とは空間的・仮想的に分離されており、プライベート空間で管理されるため、一元的に画像撮像装置２００ｄで撮像された画像が回収されるといったことはないため、プライバシーを保つことができる。
【０１８４】
従って、このように各家庭がそれぞれ設置して、分散して管理されている固定カメラの映像を画像収集のターゲットに組み入れることで、中央処理サーバ１２はより迅速に効率よく画像収集を達成することができる。
【０１８５】
なお、上記説明では、関連付け部４６０は、画像格納の段階で画像撮像装置固有情報と関連付ける場合について説明したがこれに限るものではない。当該画像撮像装置固有情報に記された情報と関連付けられておく必要があるのは、当該画像が外部へ提出される段階である。
【０１８６】
従って、関連付け部４６０は、画像受信部４１０から受け取った画像と時刻情報取得部４２０から受け取った時刻情報とを関連付けた上で画像格納部４３０に送り、情報記憶媒体５００ｄへ画像を格納させる。当該画像と当該事項情報が示す撮像時刻との関連付けは画像管理ファイルに纏められて記憶部４５０に記憶される。
【０１８７】
その後、画像検索情報受信部３６０で受信された画像検索情報に基づいて画像検索部３７０が該当画像を抽出した場合、当該抽出された画像に対して関連付け部４６０が画像撮像装置固有情報に含まれる必要情報と関連付けを行う構成であっても良い。
【０１８８】
すなわち、画像検索部３７０は画像検索情報に基づく検索を、当該画像検索情報で特定される位置範囲を記憶部４５０に記憶されている画像撮像装置固有情報を参照して、また時刻範囲を記憶部４５０に記憶されている画像管理ファイルを参照してそれぞれ行い、該当画像の抽出を行う。
【０１８９】
そして、画像検索部３７０は、当該画像検索情報に基づいて特定される位置・時刻範囲で撮像された画像が抽出した場合は、当該抽出画像を関連付け部４６０へ送る。関連付け部４６０は、画像検索部３７０で抽出された画像を撮像した画像撮像装置２００ｄの設置位置情報及びカメラ方向を画像撮像装置固有情報を参照して特定し、当該画像と、撮像位置（設置位置情報）及びカメラ方向とを追加で関連付けて画像送信部３８０へ送る。
【０１９０】
このような構成によっても、画像送信部３８０より送信される画像は、撮像位置、撮像時刻、撮像方向とそれぞれ関連付けられているため、当該画像を受信する中央処理サーバ１２で適切に管理することができる。
【０１９１】
以上説明したように、本実施の形態１にかかる画像収集システムは、画像を記憶する画像記憶手段と、前記画像記憶手段で記憶されている画像の撮像位置と撮像時刻とを含む管理情報を記憶する管理情報記憶手段と、所定の位置範囲及び時刻範囲で撮像された画像を要求する画像要求を受信する画像要求受信手段と、前記画像要求で指定される前記位置範囲及び前記時刻範囲で撮像された画像が前記画像記憶手段に記憶されているかを前記管理情報に基づいて判定する判定手段と、前記判定の結果、前記画像記憶手段に記憶されていると判定された場合に前記画像記憶手段より該当する画像を読み出す読み出し手段と、前記判定の結果、前記画像記憶手段に記憶されていないと判定された場合に、外部の画像記憶装置に前記画像要求で指定される前記位置範囲及び前記時刻範囲で撮像された画像の送信を要求する要求手段と、を具備する。
【０１９２】
このように、システム内のＤＢ（画像記憶手段）に画像を記憶していきながらも、当該ＤＢに画像が記憶されていない場合は、外部に点在する小規模の画像記憶装置から画像を送信することを要求することで、外部からの画像要求に対する画像の供給能力を維持することができる。
【０１９３】
ここで、当該画像収集システムは、前記要求に基づいて前記外部の画像記憶装置より送信される画像を受信する画像受信手段と、前記受信した画像を前記画像記憶手段に格納する画像格納手段とを備えると、画像要求を処理する中で、徐々にＤＢに蓄積される画像を充実させていくことができる。
【０１９４】
また、当該画像収集システムにおいて、前記読み出し手段で読み出された画像又は前記画像受信手段で受信された画像を前記画像要求の要求元に送信する画像送信手段を備えることとできる。ここで、前記画像要求には、要求元を識別する要求元識別情報が含まれ、前記画像送信手段は、前記要求元識別情報で特定されるＩＰアドレスを宛先とするパケットに前記読み出し手段で読み出された画像又は前記画像受信手段で受信された画像を格納して送信すると良い。
【０１９５】
また、前記画像受信手段は、受信する画像の撮像位置及び撮像時刻に関する情報を更に受信し、前記受信する画像の撮像位置及び撮像時刻に関する情報を前記管理情報記憶手段に格納する管理情報格納手段を更に具備しても良い。
【０１９６】
画像収集のターゲットとして幅広い装置やシステムに設定しながらも、各装置や各システムはプライベート空間として、当該画像収集システムとは分離されている。すなわち、画像収集システムと各画像撮像・記憶システム間にはゲートウェイとなる装置・機能が備え付けられており、画像検索情報をトリガーとして、必要な画像だけが提出されるシステムを全体として構築している。
【０１９７】
従って、使用目的に沿わない不要な画像まで一元的に収集されて管理されることによる画像悪用やプライバシー侵害といった問題が発生することを抑制することが可能となる。
【０１９８】
なお、上記説明では、各装置に含まれる画像送信部は、画像を撮像位置及び撮像時刻、また必要に応じて撮像方向とそれぞれ関連付けられた状態で送信する場合について説明したが、当該画像送信部が画像自体に加えて当該関連付けを纏めた管理ファイルを合わせて送信する構成であっても良い。
【０１９９】
（実施の形態２）
本発明の画像収集システムでは、様々な形態の画像撮像装置で撮像された画像を収集対象としている。ここで、当該画像撮像装置には、スマートフォン等のカメラ付き携帯電話装置や、コンパクトデジタルカメラや一眼レフデジタルカメラのようなプライベートな画像を撮像する装置も対象としている。
【０２００】
すなわち、スマートフォンやデジタルカメラを車で移動中に車内に固定して車載カメラとして運用したりする場合が想定され、このような場合に撮像された画像をも画像収集対象としている。
【０２０１】
ここで、ユーザの中には、車載カメラとして使用した際に撮像された画像は提供することは許可するものの、プライベートで撮影した画像については、個人のプライバシーが非常に多く含まれているため、提供したくないというユーザが存在することになる。
【０２０２】
しかしながら、実施の形態１の画像撮像記憶装置１００ａや、画像撮像記憶システム１００ｂ、１００ｃ、１００ｄでは、このような２種類の画像を関係なく記憶していたため、ユーザが提出したくない画像が画像収集システムに回収されてしまうという問題や、当該事態を嫌って画像収集システムに画像を全く提供しないというユーザがでることになる。このことは、プライバシー保護と画像収集効率の観点で新たな課題となる。
【０２０３】
本実施の形態２に係る画像撮像記憶装置及び画像撮像記憶システムは、上記新たな課題を鑑み、プライベート情報を多く含む画像を適切に保護しつつも画像収集効率を維持することを実現することを特徴とする。以下、図面を用いて説明する。但し、実施の形態１で説明した部分については、発明の明確化のため一部説明を省略する。
【０２０４】
本実施の形態２に係る画像管理システムは、図１で示した画像管理システムと略同一であるため、図１を援用して説明する。但し、以下の説明において、画像撮像記憶装置６００ａが画像撮像記憶装置１００ａに、画像撮像システム６００ｂ、６００ｃが画像撮像システム１００ｂ、１００ｃに、画像撮像装置７００ｂ、７００ｃが画像撮像装置２００ｂ、２００ｃに、画像記憶装置８００ｂが画像記憶装置３００ｂに、それぞれ対応している。
【０２０５】
図１９は、本実施の形態２にかかる画像撮像・記憶装置６００ａの構成を示すブロック図である。画像撮像・記憶装置６００ａは、画像撮像・記憶装置１００ａに加えて新たに撮像状態検出部６１０と、撮像状態判定部６２０と、を備えることを特徴とする。なお、図１９では、ユーザからの入力を受ける操作入力部６３０も合わせて明記している。また、関連付け部１４０に後述する新たな機能が加わって関連付け部６４０に置き換えられている。なお、その他のブロックについては、実施の形態１で説明した機能と略同一であるため、説明を省略する。
【０２０６】
撮像状態検出部６１０は、現在の撮像状態を検出する。具体的には、撮像状態検出部６１０は、ユーザがプライベートに撮像している画像であるか、装置が自動的に撮像している状態であるかを検出する。
【０２０７】
更に具体的には、撮像状態検出部６１０は、ユーザが操作入力部６３０の一機能であるシャッターボタンを押下して撮像した画像であるかを検出する。なお、撮像状態検出部６１０は、内部に加速度センサや速度センサを具備し、当該センサで自装置の移動速度を検出しても良い。なお、撮像状態検出部６１０は、予め登録された無線装置より送信される信号を検出しても良い。なお、撮像状態検出部６１０は、現在の位置を検出しても良い。
【０２０８】
撮像状態判定部６２０は、撮像状態検出部６１０における検出結果に基づいて、画像撮像部１１０で撮像した画像が提出可能な画像であるか提出不可能な画像であるかを判定する。具体的には、画像撮像部１１０で撮像された画像がネットワーク側（画像収集システム側）からの画像提出要求に基づいて提出可能な画像であるかを判定する。ここでいう、画像提出要求とは画像検索情報のことである。当該画像収集システム側の中央処理サーバより送られてくる画像検索情報は、特定の条件を満たす画像の提出（送信）を自装置に対して要求する情報であるため、画像検索情報を画像提出要求と呼ぶことがある。
【０２０９】
撮像状態判定部６２０の上記判定方法の一例としては、撮像状態検出部６１０が、ユーザがシャッターボタンを押下して画像を撮像したと検出した場合に、当該画像はユーザ自らの意思で撮像したプライベート画像であり、提出不可能な画像と判定する。
【０２１０】
また、撮像状態判定部６２０における別の判定方法の一例としては、撮像状態検出部６１０が、内部の加速度センサや速度センサを用いて検出した自装置の移動速度が所定の基準値以上である場合は、車で移動中に車載カメラとして撮像した画像であるとして提出可能な画像と判定し、所定の基準以下の移動速度である場合は、プライベートな画像として提出不可能な画像と判定しても良い。
【０２１１】
また、撮像状態判定部６２０における別の判定方法の一例としては、撮像状態検出部６１０が、予め登録された無線装置より送信される信号を検出した場合は、車内に取り付けられたビーコン装置より送信された範囲内に自装置が取り付けられていると判定し、撮像される画像は車載画像であると判定し、提出可能な画像であると判定しても良い。
【０２１２】
また、撮像状態判定部６２０における別の判定方法の一例としては、撮像状態検出部６１０が、検出した現在の位置と予め除外エリアとして登録されている位置範囲とを比較し、現在の位置が除外エリア内である場合は、画像撮像部１１０で撮像される画像がプライベートエリアで撮像された提出不可能な画像と判定しても良い。
【０２１３】
また、画像状態判定部６２０は、図示せぬ画像を表示する画像表示部に、「画像提出可」又は「画像提出不可」をユーザが選択する選択画面を表示させ、操作入力部６３０を介してユーザから入力された指示に基づいて画像撮像部１１０で撮像された画像又はこれから撮像される画像を提出可能であるかどうかの判定を行っても良い。
【０２１４】
また、撮像状態判定部６２０における別の判定方法の一例としては、撮影状態検出部６１０が、周辺の光量をフォトダイオード等のセンサで測定することで現在の装置状態を検出し、当該検出の結果、検出される光量が所定の基準以下である場合に、現在の画像撮像部１１０における撮像モードが画像提出不可能な画像を撮像する撮像モードであるとの判定を行っても良い。
【０２１５】
撮像状態判定部６２０における判定結果は、関連付け部６４０に送られる。
【０２１６】
関連付け部６４０は、画像撮像部１１０より送られてきた画像と位置情報取得部１２０より受け取った位置情報及び時刻情報取得部１３０より受け取った時刻情報とを関連付ける。関連付け部６４０は、当該画像と当該位置情報及び時刻情報とを関連付けた状態で当該画像を記憶部１５０に格納する。
【０２１７】
この時、関連付け部６４０は、撮像状態判定部６２０から送られてきた判定結果に基づいて、上記判定に係る画像の格納先を決定する。すなわち、関連付け部６４０は、上記判定結果に基づいて、画像を記憶部１５０における対応するフォルダに格納する。
【０２１８】
別の見方をすると、関連付け部６４０は、撮像状態判定部６２０における判定結果に基づいて、画像撮像部１１０で撮像された画像をネットワーク側からの画像提出要求に基づいて提出可能な画像であるか提出不可能な画像であるかを判別可能な状態で記憶媒体である記憶部１５０に格納する。
【０２１９】
記憶部１５０は、目的に応じた複数のフォルダを有する。図２０は、記憶部１５０のディレクトリ構成（フォルダ構成）を示す図である。記憶部１５０は、最上位にルートフォルダを有し、その下位に、画像収集システムへの画像提出が可能な画像を格納する提出可能画像格納フォルダと、当該システムへの画像提出が不可能な画像（提出を許可しない画像）を格納する提出不可能画像格納フォルダの２つのフォルダを有する。また、管理情報等を格納する管理情報格納フォルダも合わせて設けられている。管理情報格納フォルダは、画像ファイル名と画像撮像位置及び撮像時刻との関連付けを纏めた画像管理ファイルなどが記憶される。当該画像ファイルは、記憶部１５０に記憶される画像全部を管理する管理ファイルの他に、上記２つのフォルダにそれぞれ記憶されている画像を個別に管理する第１画像管理ファイル（提出可能画像管理ファイル）と第２画像管理ファイル（提出不可能画像管理ファイル）を合わせて作成・記憶しても良い。
【０２２０】
これらのフォルダは、関連付け部６４０が画像の格納に先立って作成する構成であっても良いし、別途フォルダ作成部を設け、当該フォルダ作成部が上記各フォルダを記憶部１５０内に作成しても良い。
【０２２１】
関連付け部６４０は、撮像状態判定部６２０から送られてきた判定結果が、「画像提出可」であった場合は、関連付けした画像を記憶部１５０における提出可能画像格納フォルダの方へ格納する。一方、関連付け部６４０は、撮像状態判定部６２０から送られてきた判定結果が、「画像提出不可」であった場合は、関連付けした画像を記憶部１５０における提出不可能画像格納フォルダの方へ格納する。
【０２２２】
そして、画像検索部１７０は、画像検索情報受信部１６０で画像検索情報が受信されると、記憶部１５０における提出可能画像格納フォルダ内に記憶されている画像の中から画像検索を行う。すなわち、画像検索部１７０は、管理情報格納フォルダに格納されている提出可能画像管理ファイルに登録されている各画像の撮像位置及び撮像時刻を参照して、画像検索情報で特定される位置・時刻範囲内で撮像された画像があるかの検索を行う。この時、提出不可能画像格納フォルダは、検索しても最終的に画像提出にいたらないため、画像検索部１７０はこのフォルダ内の画像検索は行わない。
【０２２３】
画像検索部１７０は、記憶部１５０の提出可能画像格納フォルダの中から抽出された画像を画像送信部１８０に送り、画像送信部１８０が当該画像を送信する。
【０２２４】
このように、画像撮像・記憶装置６００ａは、パブリック用画像かプライベート用画像かを異なるフォルダに別々に格納することを特徴とする。従って、プライバシーを維持しつつ、画像収集効率を維持することが可能となる。
【０２２５】
なお、撮像状態判定部６２０は、予め登録された判定基準に従って現在の撮像状態を自動的に判定する構成とするとユーザを煩わせることなく画像管理できるため好ましい。このような、判定基準を登録した登録ファイルは、記憶部１５０の管理情報格納フォルダに合わせて格納されていても良い。撮像状態判定部６２０が、当該登録ファイルを読み出し、撮像状態検出部６１０で検出される撮像状態とを比較して、現在の撮像状態が提出可能な画像を撮影している撮影モードであるかどうかを判定しても良い。
【０２２６】
また、撮像状態判定部６２０は、撮像状態検出部６１０で検出される現在の装置の状態が、画像提出可能な状態であると判定した場合に、画像撮像部１１０を自動的に立ち上げ、自動的に撮像を開始させる制御を行っても良い。同様に、撮像状態判定部６２０は、撮像状態検出部６１０で検出される現在の装置の状態が、画像提出不可能な状態に戻ったと判定した場合には、画像撮像部１１０における撮影機能を停止させ、録画を停止させる制御を自動的に行っても良い。当該構成とすることで、車内の予め定められた場所にセットされた場合に、自動的に録画を開始することができ、ユーザからの操作が不要となって利便性が向上する。
【０２２７】
なお、撮像状態検出部６１０は、上記予め定められたポジションにセットされたかどうかを検出しても良い。このようなポジションとしては、車内に取り付けられた撮像装置ホルダー（スマートフォンホルダー）に取り付けられたかどうかを検出しても良い。通常このようなホルダーには車のバッテリーと接続された充電用端子が設けられているため、撮像状態検出部６１０は、時装置が当該充電用端子に接続されたことを持って、現在の状態が車内で車載動画撮影用の位置にセットされていることを検出することができる。
【０２２８】
次に、画像撮像・記憶装置６００ａの動作について説明する。図２１は、画像撮像・記憶装置６００ａの動作の一例を示すフローチャート図である。
【０２２９】
装置自体の電源が投入されると撮像状態検出部６１０が現在の装置の状態を検出する（ステップＳ６０１）。次に、撮像状態判定部６２０が、自動撮影が可能であるかを判定する（ステップＳ６０２）。ここで、自動撮影とは、ユーザからの撮像指示ボタンの押下をトリガーとせず、装置自身の判断で撮像を開始することであり、提出用画像の撮像など、画像撮像部１１０の機能がユーザによって使用されていない状態である時に、当該撮像機能を自動的に立ち上げて使用し、周辺風景等の画像を撮像することを言う。
【０２３０】
ステップＳ６０２において、自動撮影可能でないと判定された場合は、ステップＳ６０１に戻る。一方自動撮影可能と判定された場合はステップＳ６０３に進む。
【０２３１】
ステップＳ６０２で自動撮影可能と判定された場合は、撮像状態判定部６２０は、画像撮像部１１０の機能を立ち上げる（ステップＳ６０３）。撮像状態判定部６２０によって自動的に立ち上げられた画像撮像部１１０は、画像の撮像（映像の録画）を開始する（ステップＳ６０４）。
【０２３２】
これと同時に、位置情報取得部１２０及び時刻情報取得部１３０は、現在の位置及び時刻をそれぞれ、画像撮像部１１０で自動的に撮像される画像の撮像位置及び撮像時刻として取得する（ステップＳ６０５）。
【０２３３】
関連付け部６４０は、画像撮像部１１０で自動的に撮像される画像と位置情報取得部１２０及び時刻情報取得部１３０でそれぞれ取得される位置及び時刻を当該画像の撮像位置及び撮像時刻として関連付けた上で、記憶部１５０の提供可能画像格納フォルダへ格納する（ステップＳ６０６）。
【０２３４】
撮像状態判定部６２０は、撮像状態検出部６１０における検出結果を基にして、現在の状況（撮影状態）が変化したかどうかを判定する（ステップＳ６０７）。当該判定の結果、現在の状況が変化していないと判定された場合は、自動撮影モードを継続するものとしてステップＳ６０４に戻る。一方、当該判定の結果、現在の撮影状態が変化したと判定した場合は、撮影状態判定部６２０は、画像撮影部１１０における録画を停止し（ステップＳ６０８）、ステップＳ６０１に戻る。
【０２３５】
画像撮像・記憶装置６００ａが上記動作を行うことで、画像撮像部１１０がユーザによって意識的に使用されていない場合に、画像提出用の画像を自動的に撮像して、対応するフォルダに格納することで、画像収集システムから見た場合に豊富な画像が外部に分散して記憶されている状況となる。従って、画像収集効率を向上させることができると共に、一方で、フォルダで適切にパブリック用自動録画画像とプライベート用手動録画画像の両方を管理することができる。
【０２３６】
次に、画像撮像装置７００ｂについて図２２のブロック図を用いて説明する。画像撮像装置７００ｂは、実施の形態１で説明した画像撮像装置２００ｂに加えて新たに上記説明した撮像状態検出部６１０と、撮像状態判定部６２０と、操作入力部６３０と、を備える。また、関連付け部１４０、画像抽出部２８０、がそれぞれ、関連付け部６４０、画像抽出部７８０にそれぞれ置き換えられている。既に説明した重複部分については一部説明を省略する。
【０２３７】
関連付け部６４０は、画像撮像部１１０より送られてきた画像と位置情報取得部１２０より受け取った位置情報及び時刻情報取得部１３０より受け取った時刻情報とを関連付ける。関連付け部１４０は、当該画像と当該位置情報及び時刻情報とを関連付けた状態で当該画像を記憶部２５０に格納する。
【０２３８】
この時、関連付け部６４０は、撮像状態判定部６２０から送られてきた判定結果に基づいて、上記判定に係る画像の格納先を決定する。すなわち、関連付け部６４０は、上記判定結果に基づいて、画像を記憶部２５０における対応するフォルダに格納する。
【０２３９】
記憶部２５０は、画像収集システムへの画像提出が可能な画像を格納する提出可能画像格納フォルダと、当該システムへの画像提出が不可能な画像（提出を許可しない画像）を格納する提出不可能画像格納フォルダの２つのフォルダを有する。
【０２４０】
また、管理情報等を格納する管理情報格納フォルダも合わせて設けられている。管理情報格納フォルダは、画像ファイル名と画像撮像位置及び撮像時刻との関連付けを纏めた画像管理ファイルなどが記憶される。当該画像ファイルは、記憶部２５０に記憶される画像全部を管理する管理ファイルの他に、上記２つのフォルダにそれぞれ記憶されている画像を個別に管理する第１画像管理ファイル（提出可能画像管理ファイル）と第２画像管理ファイル（提出不可能画像管理ファイル）を合わせて作成・記憶しても良い。
【０２４１】
また、当該管理情報格納フォルダには、画像記憶装置８００ｂとの接続を確立するために必要となる接続情報を合わせて記憶する。当該接続情報には、接続先である画像記憶装置８００ｂを固有に識別する識別子や、画像記憶装置３００ｂとの接続状態の確立に用いられる暗号鍵や認証パスワード等がある。
【０２４２】
関連付け部６４０は、撮像状態判定部６２０から送られてきた判定結果が、「画像提出可」であった場合は、関連付けした画像を記憶部２５０における提出可能画像格納フォルダの方へ格納する。一方、関連付け部６４０は、撮像状態判定部６２０から送られてきた判定結果が、「画像提出不可」であった場合は、関連付けした画像を記憶部２５０における提出不可能画像格納フォルダの方へ格納する。
【０２４３】
接続状態確立部２７０は、外部装置である画像記憶装置８００ｂとの間の接続状態を確立する。具体的には、通信部２９０を介して外部装置の存在を検出し、当該外部装置との接続を試みる。
【０２４４】
接続状態確立部２７０によって接続状態が確立された後に、画像抽出部６８０は、記憶部２５０に記憶されている画像を抽出して通信部２９０に送る。この時、画像抽出部６８０は、接続される画像記憶装置８００ｂとの間で定められるプロトコルに従って画像を抽出する。例えば、画像提出が可能な画像のみを自動的に抽出して送信するプロトコルである場合は、画像抽出部６８０は、記憶部２５０に設けられた提出可能画像格納フォルダから画像を抽出して通信部２９０に送る。この場合は、画像抽出部６８０は、記憶部２５０に設けられた提出不可能画像格納フォルダに格納された提出が不可能な画像は抽出しない。
【０２４５】
また、当該プロトコルで、第１区間で提出可能な画像を送信し、その後の第２区間で提出不可能な画像を送信する、という取り決めがなされている時は、画像抽出部６８０は、第１に提出可能画像格納フォルダから画像を抽出して通信部２９０に送る。そして、画像抽出部６８０は、当該提出可能画像格納フォルダから今回送信に必要な画像を全て抽出し終えた後に、提出不可能画像格納フォルダから画像を抽出して通信部２９０に送る。このような構成であっても良い。なお、上記抽出する順序が逆でプロトコルが定められても良い。
【０２４６】
通信部２９０は、画像抽出部７８０から送られてくる画像をパケットに詰めて画像記憶装置８００ｂに送信する。なお、通信部２９０は、提出可能な画像を、提出可能な画像であることを示す１ビットの情報を含めたパケットに詰めて送信しても良い。
【０２４７】
図２３は、上記画像撮像装置７００ｂより画像を受け取って記憶する画像記憶装置８００ｂの構成を示すブロック図である。なお画像格納部８３０以外は、図１４の画像記憶装置３００ｂと略同一であるため説明を省略する。
【０２４８】
記憶部３５０も図２０に示す目的別のフォルダを有する。画像格納部８３０は、通信部３１０を介して画像撮像装置７００ｂより受け取った画像を記憶部３５０に格納する。
【０２４９】
ここで、画像格納部８３０は、受け取った画像が提出可能な画像である場合は提出可能画像格納フォルダへ、又、提出不可能な画像である場合は提出不可能画像格納フォルダに格納する。画像格納部８３０における当該画像の見分け方は、予め定められたプロトコルに従い、所定の期間に送られてくる画像を提出可能な画像として判定しても良いし、パケットに提出可能な画像であることを示す情報が含まれる場合は、当該情報を参照して判定しても良い。
【０２５０】
画像検索部３７０は、画像検索情報受信部３６０で受信された画像検索情報に基づいて、記憶部３５０のうち、提出可能画像格納フォルダに記憶されている画像の中から当該画像検索情報に基づいて画像を検索し、抽出した画像を画像送信部３８０よりネットワーク側へ送信する。
【０２５１】
なお、本実施の形態２における画像撮像・記憶システム６００ｃ、６００ｄにそれぞれ含まれる情報処理装置は、上記提出許可用のフォルダ（提出可能画像格納フォルダ）と提出不許可用のフォルダ（提出不可能画像格納フォルダ）とが、内部の記憶部に作られるか、外部の情報記憶媒体に作られるかの違いを除いて、画像記憶装置８００ｂと略同一であるため、説明を省略する。
【０２５２】
以上のように、本実施の形態２にかかる画像撮像装置は、画像を撮像する画像撮像手段と、前記画像撮像手段で撮像された画像がネットワーク側からの画像提出要求に基づいて提出可能な画像であるかを判定する判定手段と、前記判定結果に基づいて、前記画像撮像手段で撮像された画像をネットワーク側からの画像提出要求に基づいて提出可能な画像であるか提出不可能な画像であるかを判別可能な状態で記憶媒体に格納する格納手段と、を具備する。
【０２５３】
当該構成により、画像収集システム外部に点在する各画像撮像装置において、提出（公開）を許可しないプライベート画像（非公開画像）と提出を許可するパブリック画像（公開対象画像）とに判別可能な状態で管理されるため、画像撮像装置を安心して使用することができる。
【０２５４】
また、当該画像撮像装置は、ネットワーク側からの画像提出要求を受信する画像提出要求受信手段と、前記受信された画像提出要求に基づいて、前記判定手段における判定の結果、ネットワーク側からの画像提出要求に基づいて提出可能な画像であると判定されている画像を抽出する抽出手段と、前記抽出手段で抽出された画像を送信する画像送信手段と、を更に具備する。当該処理を経て、公開対象の画像が抽出されてネットワーク（画像管理システム）側に提出される。
【０２５５】
また、当該画像撮像装置は、前記画像撮像手段で撮像される画像の撮像位置を取得する撮像位置取得手段と、前記画像の撮像時刻を取得する撮像時刻取得手段と、を具備し、前記画像格納手段は、前記画像と前記撮像位置及び撮像時刻とを関連付けて記憶媒体に前記画像を格納する。
【０２５６】
ここで、前記画像提出要求は、位置範囲を特定する位置情報と時間範囲を特定する時間情報とを含み、前記抽出手段は、前記判定手段における判定の結果、ネットワーク側からの画像提出要求に基づいて提出可能な画像であると判定されている画像であって、前記画像提出要求受信手段で受信された前記画像提出要求に含まれる位置情報と時間情報とに基づいて特定される範囲で撮像された画像を抽出する。当該構成とすることで、より適切に画像を抽出することができる。
【０２５７】
なお、当該画像撮像装置は、現在の撮像状態を検出する撮像状態検出手段を更に具備し、前記判定手段は、前記撮像状態検出手段における検出結果に基づいて、前記画像撮像手段で撮像された画像がネットワーク側からの画像提出要求に基づいて提出可能な画像であるかを判定しても良い。前記撮像状態検出手段は、自装置が移動体に取り付けられているかを検出し、前記判定手段は、前記撮像状態検出手段において自装置が移動体に取り付けられていると検出されている場合に、前記画像撮像手段で撮像された画像をネットワーク側からの画像提出要求に基づいて提出可能な画像であると判定することができる。
【０２５８】
なお、前記格納手段は、前記判定結果において、ネットワーク側からの画像提出要求に基づいて提出可能な画像であると判定された画像を第１のフォルダに格納し、前記判定結果において、ネットワーク側からの画像提出要求に基づいて提出不可能な画像であると判定された画像を第２のフォルダに格納する構成をとることも可能である。
【０２５９】
画像撮像装置で撮像される画像を提出しないプライベート用の画像と提出できるパブリック用の画像とに分けて、個別のフォルダで分けて管理する。そして、後者のフォルダに格納されている画像のみ検索対象として必要に応じて画像を送信する構成とすることで、プライバシー保護の観点を高めることができる。
【０２６０】
（実施の形態３）
実施の形態２では、フォルダで２種類の画像を適切に管理することを試みているため、画像撮像記憶装置のように１つの装置で撮像と記憶を行う場合は、管理が容易であるものの、撮像と記憶の各機能を別の装置に振り分けて撮像記憶システムとする場合には、画像の管理が煩雑になる。
【０２６１】
すなわち、システム内の装置間で画像の送受信による移動が行われるが、その最中にプライベート画像であったかパブリック画像であったかの区分けを維持しておく必要があるが、このような場合にはフォルダ管理では、プロトコルが複雑になると言った問題がある。
【０２６２】
本実施の形態３にかかる画像撮像記憶装置及び画像撮像記憶システムは、実施の形態２にかかる画像撮像記憶装置及び画像撮像記憶システムと同様、プライベート情報を多く含む画像を適切に保護しつつも画像収集効率を維持することを実現することを特徴としながら、更に画像管理を容易にすることを特徴とする。以下、図面を用いて説明する。但し、実施の形態１、２で説明した部分については、発明の明確化のため一部説明を省略する。
【０２６３】
本実施の形態３に係る画像管理システムは、図１で示した画像管理システムと略同一であるため、図１を援用して説明する。
【０２６４】
図２４は、本実施の形態３に係る画像撮像・記憶装置９００ａの構成を示すブロック図である。画像撮像・記憶装置９００ａは、画像撮像部１１０と、位置情報取得部１２０と、時刻情報取得部１３０と、記憶部１５０と、画像検索情報受信部１７０と、画像送信部１８０と、撮像状態検出部６１０と、撮像状態判定部６２０と、操作入力部６３０と、関連付け部９４０と、を備える。関連付け部９４０以外は、実施の形態２で説明した各部の構成と略同一であるため、説明を一部省略する。
【０２６５】
撮像状態判定部６２０は、撮像状態検出部６１０における検出結果に基づいて、画像撮像部１１０で撮像した画像が提出可能な画像であるか提出不可能な画像であるかを判定する。撮像状態判定部６２０における判定結果は、関連付け部９４０に送られる。
【０２６６】
関連付け部９４０は、画像撮像部１１０より送られてきた画像と位置情報取得部１２０より受け取った位置情報及び時刻情報取得部１３０より受け取った時刻情報とを関連付ける。ここで、関連付け部９４０は、撮像状態判定部６２０から受け取った判定結果に基づいて、当該画像がネットワーク側へ提出可能な画像であるか、それともプライベートな提出不可能な画像であるかに関する情報である提出可否情報を合わせて関連付ける。関連付け部９４０は、当該画像と当該位置情報及び時刻情報とを関連付けた状態で当該画像を記憶部１５０に格納する。
【０２６７】
記憶部１５０は、提出可能か不可能か毎のフォルダは設けられず、関連付け部９４０から格納される画像を同一フォルダに格納する。但し、当該記憶する画像を管理する画像管理ファイルには、提出可能な画像であるかに関する情報を合わせて関連付けられる。
【０２６８】
図２５は、当該画像管理ファイルの一例である。画像のファイル名、画像の撮影位置（取得位置）、画像の撮影時刻（取得時刻）、に加えて当該画像が提出可能な画像であるかを示す提出可否ビットが合わせて対応付けられている。ここでは、「１」が提出可能な画像であることを、「０」がプライベートに撮影された提出不可能な画像であることを示している。
【０２６９】
画像検索部１７０は、画像検索情報受信部１６０で受信された、該当する条件を満たす画像の検索を行い、該当画像の提出を要求するための情報である画像検索情報に基づいて、記憶部１５０に記憶されている画像のうち、当該提出可否ビットが１に設定されている画像の中から該当画像があるかの検索を行う。
【０２７０】
すなわち、画像検索部１７０は、記憶部２５０に記憶されている画像のうち、ネットワーク側からの画像提出要求（画像検索情報）に基づいて提出可能な画像であることを示す提出可否ビットが１に設定されている画像であって、画像提出要求に含まれる位置情報及び時間情報に基づいて特定される範囲で撮像された画像があるかを検索する。
【０２７１】
画像検索部１７０における検索の結果、上記３つの条件、すなわち、（１）ネットワーク側からの画像提出要求に基づいて提出可能な画像であると示されていること、（２）画像提出要求で特定される位置範囲で撮像された画像であること、（３）画像提出要求で特定される時間範囲で撮像された画像であること、の条件を満たす画像があれば、画像抽出部１０８０は、当該画像を抽出し、通信部２９０がネットワーク側へ送信することで画像提出要求で要求されている画像をネットワーク側へ提出する。
【０２７２】
図２６は、本実施の形態３における画像撮像・記憶システム９００ｂに含まれる画像撮像装置１０００ｂの構成を示すブロック図である。なお、画像撮像装置１０００ｂは、図２２に示す画像撮像装置７００ｂと比べて画像抽出部７８０が画像抽出部１０８０に、関連付け部６４０が関連付け部９４０に変更されている以外は略同一の構成をとるため説明を省略する。
【０２７３】
画像撮像装置１０００ｂにおける関連付け部９４０は、図２４で説明した画像撮像・記憶装置における関連付け部９４０と略同一であり、画像と当該画像の提出可否情報とを関連付けて画像を格納する。
【０２７４】
画像抽出部１０８０は、記憶部２５０に記憶されている画像を当該画像に関連付けられた提出可否情報と合わせて抽出し、通信部２９０に送る。そして、通信部２９０は、画像抽出部１０８０で抽出された画像を、当該画像の撮像位置及び撮像時刻に加えて、画像提出可否情報と関連付けた状態で接続された外部装置である画像記憶装置へ送信する。
【０２７５】
ここで、当該画像のヘッダ部分に撮像位置に関する情報、撮像時刻に関する情報、及び、画像提出可否情報に関する情報がそれぞれ埋めこまれた状態で送信されることにより、各情報と関連付けた状態で送信されるように構成されていても良い。また、画像抽出部１０８０が、画像提出可否情報と画像とが関連付けられた画像管理ファイルを合わせて抽出して通信部２９０に送り、当該通信部２９０が画像と共に当該画像管理ファイルも合わせて画像記憶装置に送ることで関連付けが維持されたまま画像が送信される構成であっても良い。
【０２７６】
当該画像撮像装置１０００ｂより画像を受信して記憶する画像記憶装置は、画像格納部が、提出可否情報と関連付けられた状態で受信される画像を、当該関連付けを維持したまま記憶部に格納する以外は図２３の画像記憶装置８００ｂと略同一であるため説明を省略する。なお、当該画像記憶装置において、画像検索部は、記憶部に記憶されている画像のうち、画像提出可否情報において画像提出可能と示されている画像を検索対象として検索を行うことになる。
【０２７７】
また、本実施の形態３における画像撮像・記憶システム９００ｃ、９００ｄにそれぞれ含まれる情報処理装置においても、画像格納部が、接続中の外部装置より受け取った画像を、提出可能な画像かどうかを示す画像提出可否情報と関連付けた状態で外部の情報記憶媒体に格納するか、内部の記憶部に格納するかの違いを除いて図２３の画像記憶装置８００ｂと略同一の構成をとるため説明を省略する。
【０２７８】
以上のように、本実施の形態３に係る画像記憶撮像装置は、画像を撮像する画像撮像手段と、前記画像撮像手段で撮像された画像がネットワーク側からの画像提出要求に基づいて提出可能な画像であるかを判定する判定手段と、前記判定結果において、ネットワーク側からの画像提出要求に基づいて提出可能な画像であると判定された画像に対して所定の識別子を付して記憶媒体に格納する格納手段と、外部装置との接続を確立する接続状態確立手段と、前記接続状態確立手段で前記外部装置との接続が確立された場合に、前記記憶媒体に格納されている前記ネットワーク側からの画像提出要求に基づいて提出可能な画像を、前記識別子と共に前記外部装置に送信する送信手段と、を具備する。
【０２７９】
前記記憶媒体である記憶手段は、画像撮像手段で撮像された画像が提出可能な画像であるかを示す識別子である提出可否情報を記憶することを特徴とする。ここで、画像撮像手段で撮像された画像と前記画像の撮影位置及び撮影時刻とを関連付ける関連付け手段が、前記提出可否情報を合わせて前記画像と関連付けても良い。この時、前記関連付け手段は、前記画像データのヘッダ部分に前記提出可否情報を付与することで前記関連付けを行ってもよいし、前記画像と、前記撮像位置と前記撮像時刻と、前記提出可否情報と、を対応付けた管理ファイルを生成することで前記関連付けを行っても良い。
【０２８０】
また、上述のように、現在の装置の状態を検出する検出手段と、前記検出結果に基づいて前記撮像手段で撮像される画像が提出可能であるかどうかの判定を行う判定手段と、備え、関連付け手段は、前記判定結果に基づいて前記関連付けを行っても良い。
【０２８１】
ここで、現在の装置の状態を検出する検出手段と、前記検出結果に基づいて前記画像を撮像する撮像手段における撮像モードを提出対象とする画像を撮像する第１の撮像モードと提出対象としない画像を撮像する第２の撮像モードのいずれかを選択する選択手段を備える構成であっても良い。
【０２８２】
（実施の形態４）
上記各実施の形態において、画像収集システム内に配置される中央処理サーバは、ネットワーク側より画像要求を受信し、当該画像要求を満たす画像がＤＢに記憶されている場合は、当該ＤＢより画像を読み込んで画像要求元に送信し、ＤＢに記憶されていない場合は、画像検索情報を生成して一般大衆へ送信することで画像を集めることを特徴としている。
【０２８３】
ここで、ＤＢより画像を読み出す事は高速に行うことができるものの、画像検索情報を送信してから、当該画像検索情報で求める画像を各画像撮像・記憶装置や、各画像撮像・記憶システムから回収するまでには比較的長い時間がかかる。
【０２８４】
なぜならば、画像検索情報を生成する際のタイムロス、各装置やシステムへ情報を送信する際のタイムロス、また、処理速度や記憶されている画像容量が個別異なる各装置やシステム内でそれぞれ画像を検索させることへのタイムロスなどがあるためである。
【０２８５】
ここで、画像要求を行う画像を欲するユーザの中には、すぐに画像が必要であり、時間がかかる場合は画像はいらないと言うユーザも存在する。このようなユーザとしては、例えばインターネット上でネットサーフィングしている最中に、気になった場所の画像を短時間で確認したいというユーザがいる。
【０２８６】
ここで、上記各実施の形態において中央処理サーバは、ＤＢに画像がない場合に、このようなユーザのニーズを鑑みることなく画像検索情報を生成して送信していたため、画像は収集したものの、もはやユーザはその画像に興味を示しておらず、当該画像収集が無駄な処理になるという新たな課題が生じていた。
【０２８７】
本実施の形態に係る発明は、上記課題を鑑み、ユーザの画像要求に適切に対応することができる画像収集システム（画像提供システム）を提供することを目的とする。
【０２８８】
図２７は、本実施の形態４における中央処理サーバ３２の構成を示すブロック図である。なお、図２で示す中央処理サーバ１２と同一部分については説明を省略する。
【０２８９】
中央処理サーバ３２は、画像要求処理部３４が、新たに画像収集要否確認処理を行うことを特徴とする。
【０２９０】
画像要求処理部３４は、画像要求受信部１３で受信された画像要求を処理する。
【０２９１】
画像要求処理部３４は、画像要求に含まれる画像要求位置情報と画像要求時間情報とから要求される画像の撮像位置・撮像時刻の範囲を特定する。次に、画像要求処理部３４は、画像管理情報記憶部１６にアクセスし、当該画像管理情報記憶部１６に記憶されている画像管理情報を参照して、上記撮像位置・撮像時刻の範囲で撮像された画像がＤＢ１１に記憶されているかを判定する。
【０２９２】
画像要求処理部３４は、上記判定の結果、該当画像がＤＢ１１に記憶されている場合は、画像読み出し部１７に該当画像の読み出しを指示する。具体的には、上記判定処理において画像要求に基づいて特定される位置・時間範囲内で撮像された画像をＤＢ１１より読み出す画像として決定する。画像要求処理部３４は、画像管理情報を参照して、当該読み出す画像の格納アドレスを含む画像読み出し指示を画像読み出し部１７に出力する。
【０２９３】
一方、上記判定の結果、該当画像がＤＢ１１に記憶されていない場合は、画像要求処理部１４は、画像収集要否確認処理を行う。当該画像収集要否確認処理において、第１に画像要求処理部３４は、画像収集要否確認部３５に画像収集要否確認情報の送信指示を行う。
【０２９４】
画像収集要否確認部３５は、上記送信指示に基づいて、画像要求の送信元を宛先とする画像収集要求確認情報を含めたパケットを生成して送信する。画像収集要否確認情報には、ＤＢ１１に該当画像が記憶されていないことを示す情報が含まれる。
【０２９５】
当該パケットを受け取ったユーザは、各地に分散される画像記憶システムより画像を収集したい場合は、画像収集指示を返す。画像収集要否確認部３５は、当該画像収集指示を画像要求処理部３４に返し、画像要求処理部３４は、当該画像収集指示を受け取った段階で、画像検索情報作成指示を画像検索情報生成部１９に行う。
【０２９６】
このように、本実施の形態４に係る情報処理装置は、画像を記憶する画像記憶手段に記憶されている画像の撮像位置と撮像時刻とを含む管理情報を記憶する管理情報記憶手段と、所定の位置範囲及び時刻範囲で撮像された画像を要求する画像要求を受信する画像要求受信手段と、前記画像要求で指定される前記位置範囲及び前記時刻範囲で撮像された画像が前記画像記憶手段に記憶されているかを前記管理情報に基づいて判定する判定手段と、前記判定の結果、前記画像記憶手段に記憶されていると判定された場合に前記画像記憶手段より該当する画像を読み出す読み出し手段と、前記判定の結果、前記画像記憶手段に記憶されていないと判定された場合に、前記画像要求の送信元に外部の記憶装置に対して画像の送信を要求するかを確認する確認手段と、前記確認手段における確認の結果、前記外部の記憶装置からの画像の送信が要求された場合に、前記外部の記憶装置に前記画像要求で指定される前記位置範囲及び前記時刻範囲で撮像された画像の送信を要求する要求手段と、を具備する。
【０２９７】
このように、ＤＢに要求された位置・時刻範囲で撮像された画像が記憶されているかを判定し、前記画像が記憶されていない場合に、画像要求元に対して外部の画像記憶装置（システム
）から前記位置・時刻範囲で撮像された画像を収集するかの確認を取ることで不要な画像の収集が発生することを抑えることができる。
【０２９８】
画像検索情報生成手段は、確認手段における前記確認結果に基づいて、前記画像記憶システムに前記位置・時刻範囲で撮像された画像が記憶されているかどうかの検索を実行させる画像検索情報を生成し、前記画像検索情報送信手段は、前記生成された画像検索情報を送信する。当該構成とすることで、画像を要求するユーザにとって利用しやすい画像提供システムとすることができる。
【０２９９】
なお、上記説明では、ＤＢに該当画像が記憶されているかの判定を行った後に、該当画像がない場合に確認をとる場合について説明したがこれに限るものではない。例えば、最初にユーザより送られてくる画像要求の中に、ＤＢに画像が無かった場合に、外部の画像記憶システムから画像を収集するかどうかに関する画像収集要否情報が含まれていても良い。
【０３００】
図２８は、このような場合における画像要求のフォーマットを示している。なお、新たに含まれる画像収集要求情報には、外部の画像記憶システムから画像を収集するか否かを指定する情報に加えて、当該情報で収集すると指定されている場合に、どの程度の期間収集するかに関する期間情報や、どれだけの量の画像を収集するかの画像量情報、その他当該画像収集の内容を指定する情報が合わせて含まれていても良い。このように、最初の画像要求の段階で、ＤＢに画像が無かった場合の処理手順を指示しているため、中央処理サーバと画像要求送信元との間でデータのキャッチボールが発生することを防ぐことができる。
【０３０１】
（実施の形態５）
上記各実施の形態の画像収集システムは、ＤＢにユーザからの要求条件を満たす画像が記憶されていない場合に、外部の画像記憶システムから画像の収集を試みている。ここで、当該外部の画像記憶システムから画像を収集するには、各画像記憶システムで画像検索を行う時間等のタイムロスが発生するため、画像が集まるまでに一定の時間を要する。ここで、外部の画像記憶システムにも画像が記憶されおらず、当該画像記憶システムから画像収集を試みたものの最終的に画像が集まらず、画像要求元のユーザに画像を提供できないと言った事態も想定しうる。
【０３０２】
このような場合、画像要求元のユーザからしてみれば、画像収集の結果が出るまで待ってみたものの、結局画像を手に入れることができず時間だけが無駄になると言った課題が発生することになる。
【０３０３】
本実施の形態５に係る画像収集システムは、上記課題を鑑み、プライバシーを保護しつつも、画像が画像管理システム全体の中のいずれかの場所に記憶されているかどうかを素早く判断できる画像収集システムを提供することを目的とする。以下、図面を用いて説明する。
【０３０４】
図２９は、本実施の形態５に係る画像管理システムを示す模式図である。当該画像管理システムは、図１に示す画像管理システムと比較して、各地に分散する画像記憶システムから中央処理サーバ４２へ画像管理情報が送られ、中央処理サーバ４２から各画像記憶システム１００ｎに対して画像検索情報の変わりに、画像送信要求が送られることを特徴としている。
【０３０５】
図３０は、本実施の形態５に係る中央処理サーバ４２の構成を示すブロック図である。中央処理サーバ４２は、受信部４３と、要求情報処理部４４と、記憶部４５と、第１画像管理情報記憶部４６と、第２画像管理情報記憶部４７と、読み出し部４８と、送信部４９と、画像管理情報受信部５０と、第２画像管理情報管理部５１と、画像送信要求生成部５２と、画像送信要求送信部５３と、画像受信部５４と、画像格納部５５と、を備える。
【０３０６】
受信部４３は、ネットワーク側より画像を要求するユーザからの利用可能画像一覧ファイル要求と画像要求とを受信する。また、必要に応じて地図データ要求を受信する。ここで、利用可能画像一覧ファイル要求とは、当該画像管理システム内に画像が存在していて、利用可能（提供可能）な画像の一覧ファイルの提示を要求する情報（パケット）である。また、画像要求とは、当該利用可能画像一覧の提示を受けたユーザが、当該一覧の中から指定した画像の要求を示す情報である。また、地図データ要求とは、ＤＢに記憶されている地図に関するデータの転送を要求する情報（パケット）である
【０３０７】
図３１は、上記利用可能画像一覧ファイル要求の一例を示している。利用可能画像一覧ファイル要求には、当該要求の送信元を識別する要求元識別情報と、利用可能画像一覧要求位置範囲情報と、利用可能画像一覧要求時間範囲情報とが含まれる。
【０３０８】
ここで、要求元識別情報は、例えば当該要求を出すユーザに割り当てられたユーザＩＤであっても良いし、当該ユーザの端末のＩＰアドレスであっても良いし、ＭＡＣアドレスであっても良い。
【０３０９】
利用可能画像一覧要求位置範囲情報とは、当該利用可能画像一覧ファイル要求で要求する利用可能画像一覧の位置範囲を示している。すなわち、どの位置範囲の画像についての一覧を要求するかを指定する情報である。このような情報としては、例えば複数のＧＰＳ情報を含めて、当該複数のＧＰＳ情報で囲まれる位置範囲を要求する範囲として特定する構成としても良いし、地図情報の範囲で特定しても良い。
【０３１０】
画像を要求するユーザは通常、図３２に示すように、自身の端末画面上で地図データを表示している。ユーザは自身の端末よりＨＴＴＰ（Hyper Text Transfer Protocol）等のプロトコルを用いて中央処理サーバ４２に特定範囲の地図データの送信を要求し、当該中央処理サーバ１２より送信された地図データを画面上で表示している。
【０３１１】
ユーザは、図３２に示すように、画面に表示している地図データの範囲内で、特に画像を表示したい場合は、カーソル等のＧＵＩ（Graphic User Interface）を用いて、画像の表示を希望する範囲を指定する。
【０３１２】
当該手法により指定された位置範囲が自動的に利用可能画像一覧ファイル要求内の利用可能画像一覧要求位置範囲情報にセットされる構成であっても良い。また、当該画面に表示されている地図のメッシュ番号を利用可能画像一覧ファイル要求内の利用可能画像一覧要求位置範囲情報にセットしてもよい。
【０３１３】
利用可能画像一覧要求時間範囲情報とは、当該利用可能画像一覧ファイル要求で要求する利用可能画像一覧の時間範囲を示している。すなわち、どの時間範囲の画像についての一覧を要求するかを指定する情報である。このような情報としては、例えば図３２上に別途設けられた時刻入力ブランクにユーザが希望する時間帯を指定する開始時刻と終了時刻の２つの時刻を入力して実行キーを押すことで、当該２つの時刻が利用可能画像一覧ファイル要求の利用可能画像一覧要求時間範囲情報にセットされる構成とすることができる。
【０３１４】
なお、要求する画像について位置範囲の指定のみ希望し、特に希望する時間帯がない場合は、当該利用可能画像一覧要求時間範囲情報の欄は何もセットせずヌル状態にセットしても良い。
【０３１５】
また、地図データ要求とは、ユーザが画面上に表示させる範囲の地図データの送信を要求する情報である。通常地図データは、縮尺度合いを示す複数の尺度や複数のレイヤ構成を取り、ユーザは、ＧＵＩを用いて表示させる地図の位置範囲や尺度、地図のメッシュ番号（メッシュコード）その他の情報を地図データ要求に含めて中央処理サーバ４２に送信する。
【０３１６】
受信部４３は、これらネットワーク側のユーザより送られてくる地図データ要求、利用可能画像一覧ファイル要求、画像要求を受信した場合は、これらの情報を要求情報処理部４４に送る。
【０３１７】
要求情報処理部４４は、受信部４３で受信される各種要求を処理する。
【０３１８】
要求情報処理部４４は、受信部４３より送られてくる地図データ要求で示される位置範囲の地図データを読み込む指示を読み出し部４８に出す。具体的には、要求処理部４４は、記憶部４５に記憶されている地図データのメッシュ番号と、ＤＢ１１上の地図データの格納アドレスとを関連付けた地図管理情報を参照して、地図データ要求に含まれる要求する地図の位置を示すメッシュ番号で示される地図の格納アドレスを含む地図データ読み込み指示を読み出し部４８に送る。要求情報処理部４４は、読み出した地図データを当該地図データ要求の要求元を宛先とするパケットに詰めて送信部４９に送る。
【０３１９】
また、要求情報処理部４４は、受信部４３より送られてくる利用可能画像一覧ファイル要求を受け取ると、第２画像管理情報記憶部４７に記憶されているテーブル状の第２画像管理情報を参照して、当該利用可能画像一覧要求で指定される位置・時刻範囲で撮像された画像に関する部分のみを取り出して利用可能画像一覧ファイルを生成する。
【０３２０】
要求情報処理部４４は、生成した利用可能画像一覧ファイルを上記利用可能画像一覧ファイル要求の要求元のアドレスを宛先とするパケットに格納して送信部４９へ送る。
【０３２１】
また、要求情報処理部４４は、受信部４３より送られてくる画像要求に基づいて、当該画像要求で指定される画像がＤＢ１１に格納されているかを第１画像管理情報記憶部４６に記憶されているテーブル状の第１画像管理情報を参照して確認する。
【０３２２】
確認の結果、当該画像要求で指定される画像がＤＢ１１に記憶されている場合は、要求情報処理部４４は、当該画像の読み込み指示を読み込み部４８に送り、読み出された画像を上記画像要求の要求元のアドレスを宛先とするパケットに格納して送信部４９へ送る。
【０３２３】
一方、確認の結果、当該画像要求で指定される画像がＤＢ１１に記憶されていない場合は、要求情報処理部４４は当該画像の送信を外部の画像記憶システムへ要求である画像送信要求を画像送信要求生成部５２に生成せせる指示を行う。
【０３２４】
要求情報処理部４４は、当該画像送信要求生成指示後、画像格納部５５において、当該指示に基づいて画像受信部５４で受信され、画像格納部５５においてＤＢ１１に格納された画像を読み出し、上記画像要求の要求元のアドレスを宛先とするパケットに当該画像を詰めた後に送信部４９に送る。
【０３２５】
記憶部４５は、ＤＢ１１に記憶されている地図データのメッシュ番号と当該メッシュ番号に対応する地図のＤＢ１１上の格納アドレスとを対応付けた地図管理情報を記憶する。図３３は、当該地図管理情報の一例を示している。
【０３２６】
また、記憶部４５は、個別的に第１画像管理情報記憶部４６と第２画像管理情報記憶部４７とを備えている。
【０３２７】
第１画像管理情報記憶部４６は、ＤＢ１１に記憶されている画像を管理するための管理情報であるテーブル状の第１画像管理情報を記憶する。図３４は、当該第１画像管理情報を示している。第１画像管理情報は、画像を管理するために一意に各画像に割り当てられた画像管理番号と、当該画像のファイル名と、当該画像の取得位置と、当該画像の取得時刻と、当該画像の提供者を識別する提供者識別情報と、当該画像のＤＢ１１上の格納位置を示す格納アドレスとがそれぞれ対応付けされてテーブル状に管理されている。当該第１画像管理情報は、要求情報処理部４４が画像要求に基づいてＤＢ１１から画像を読み出す際に参照される。
【０３２８】
第２画像管理情報記憶部４７は、画像管理システムに存在する画像を管理するための管理情報である。図３５は、当該第２画像管理情報を示している。第２画像管理情報は、画像を管理する画像管理番号と、画像のファイル名と、当該画像の取得位置（撮像位置）及び取得時刻（撮像時刻）と、当該画像の保有者を識別する画像保有者識別情報と、当該画像の画像記憶システム（画像記憶装置）側での保管期限と、がそれぞれ対応付けられてテーブル状に管理されている。当該第２画像管理情報は、要求情報処理部４４が利用可能画像一覧ファイル要求に基づいて利用可能画像一覧ファイルを作成する際に参照される。なお、当該第２画像管理情報と、第１画像管理情報においてそれぞれ同一画像に割り当てられる画像管理番号は共通の番号が割り当てられていても良い。第２画像管理情報は、第２画像管理情報管理部５１によって更新される。
【０３２９】
読み出し部４８は、要求情報処理部４４より出される地図データ読み込み指示や、画像データの読み込み指示にそれぞれ基づいて、当該指示と共に指定されているＤＢ１１上の格納アドレスのアクセスし、当該アドレス位置より地図データ又は画像データの読み出しを行う。
【０３３０】
送信部４９は、要求情報処理部４４で作成された各種パケットを送信する。当該パケットには、地図データを格納したパケット、利用可能画像一覧ファイルを格納したパケットや、画像データを格納したパケット、がある。
【０３３１】
画像送信要求生成部５２は、外部の画像記憶装置や画像記憶システムに対して画像送信を要求するための画像送信要求を生成する。
【０３３２】
画像送信要求送信部５３は、画像送信要求生成部５２が生成した上記画像送信要求を外部へ送信する。
【０３３３】
画像受信部５４は、上記画像送信要求に基づいて外部の画像記憶装置や画像記憶システムより送信された画像を受信する。なお、当該画像は、撮像位置、撮像時刻の他、画像提供者を識別する識別情報が関連付けられた状態で外部より送信される。これら撮像位置、撮像時刻、画像提供者識別情報といった画像管理情報は、画像データのヘッダ部分に付与されていても良いし、別途画像管理ファイルと言う形で当該画像と合わせて受信される構成であっても良い。画像受信部５４は、受信した画像を上記画像管理情報と合わせて画像格納部５５に送る。
【０３３４】
画像格納部５５は、画像受信部５４より受け取った画像をＤＢ１１に格納する。また、当該画像に関連付けられている画像管理情報を抽出して第１画像管理情報記憶部４６に格納する。なお、当該当該画像に関連付けられている画像管理情報を抽出して第１画像管理情報記憶部４６に格納する機能を有する第１画像管理情報管理部を別途設けても良い。
【０３３５】
画像管理情報受信部５０は、外部の画像記憶システムや画像記憶装置より定期的に送信される画像管理情報を受信する。当該画像管理情報は、上記外部の各システムや装置内に記憶されて存在している画像に関する情報であり、これらの画像管理情報がテーブル状に纏められた画像管理ファイルと行った形式で送られてくることもある。画像管理情報受信部５０は、当該受信した画像管理情報を第２画像管理情報管理部５１に送る。
【０３３６】
第２画像管理情報管理部５１は、画像管理情報受信部５０より受け取った画像管理情報をフォーマット加工して第２画像管理情報として第２画像管理情報記憶部４７に格納する。具体的には、第２画像管理情報記憶部４７に記憶している第２画像管理情報を読み込み、新たに受け取った画像管理情報を新たなエントリに書き入れることで第２画像管理情報を更新して行く。また、第２画像管理情報管理部５１は、第２画像管理情報に含まれる各画像に対応付けられた画像保管期限が過ぎたエントリを削除していく。画像保管期限が過ぎたエントリの画像は、当該画像が実際に記憶されている画像記憶システムや画像記憶装置において画像が削除される時期を示しているためである。当該第２画像管理情報で示される画像保管期限を越えると画像管理システムより画像が無くなることになる。
【０３３７】
次に、中央処理サーバ４２の動作について説明する。図３６は、本中央処理サーバ４２の第２画像管理情報更新処理を示している。当該更新処理は、新たな画像管理情報が受信されたことをトリガーとして更新を行う第１更新処理と、自発的に不要なエントリを第２画像管理情報から削除する第２更新処理がある。まず、第１更新処理について説明する。
【０３３８】
第２画像管理情報管理部５１は、画像管理情報受信部５０において新たに画像管理情報が受信されたかを判定する（ステップＳ７０１）。
【０３３９】
当該画像管理情報は、画像管理システム内であって画像収集システム１１外部に分散して存在する画像（撮像）記憶装置や画像（撮像）記憶システム等より定期的に送られてくる情報であり、当該装置やシステム内に記憶されている画像に関する情報である。
【０３４０】
図３７は、当該画像管理情報の一例を示している。画像管理情報には、当該情報の送信元を識別する送信元識別情報と、当該画像管理情報で通知される画像の数である画像数が先頭に付され、その後各画像について画像のファイル名、画像取得位置、画像取得時刻、画像保管期限が記されている。ここでは、Ｎ枚の画像に関して新たな通知として蛾尾図管理情報に示されている。なお、画像保管期限とは、当該画像を当該画像管理情報送信元の装置又はシステム内で記憶保管しておく期限を示している。
【０３４１】
ステップＳ７０１において、新たな画像管理情報が受信されていない場合には、第２画像管理情報管理部５１は、新たな画像管理情報が画像管理情報受信部５０で受信されて送られてくるまで待機する。
【０３４２】
一方、第２画像管理情報管理部５１は、新たに画像管理情報を受け取った場合は、第２画像管理情報を更新する（ステップＳ７０２）。具体的には、第２画像管理情報記憶部４７に記憶されている第２画像管理情報を読み出し、新たに受け取った画像管理情報を当該第２画像管理情報に合う形にフォーマット変換した上で、新たなエントリに当該画像管理情報を書き込むことで更新する。
【０３４３】
一例として、第２画像管理情報記憶部４７に図３５に示す第２画像管理情報が記憶されている状態の時点で、新たに図３８に示す画像管理情報を画像管理情報受信部５０で受信されて第２が画像管理情報管理部５１に送られた場合について説明する。なお、図３８に示す画像管理情報では、送信元識別情報に、当該画像管理情報を送信した画像保有者を識別する識別子が示されている。ここでは、56-88-91-F4-FA-C1が当該画像保有者を識別する識別子として示されている。そして、当該画像管理情報に含まれる画像に関する情報数である画像数が２枚であることを示す「２」が、更に続いて、当該２枚の画像に関する各情報が続いて示されている。
【０３４４】
第２画像管理情報管理部５１は、新たな画像管理情報を受け取ると、第２画像管理情報記憶部４７より第２画像管理情報を読み出す。第２画像管理情報では、画像管理番号Ｎｏ０８１４３５５までの画像に関する情報が登録されている。ここに、図３８に示す画像管理情報に含まれる２枚の画像に関する情報をＮｏ０８１４３３６とＮｏ０８１４３３７のエントリに登録することで、更新後の第２画像管理情報は、図３９に示す形となる。
【０３４５】
次に、第２画像管理情報管理部５１における上記第２更新処理について説明する。第２画像管理情報管理部５１は、画像管理システム全体に分散して記憶されている画像の存在を管理していることになるが、各画像は、各画像記憶システム又は画像記憶装置において記憶容量等の関係で適宜削除されていく。従って、各画像記憶システム及び画像記憶装置において削除された画像についての情報も、中央処理サーバ４２において削除する必要がある。すなわち、上記説明した第１更新処理は、新たに各画像撮像・記憶システム等で撮像されて記憶された新しい画像に関する情報を更新する処理であるのに対し、第２更新処理は、古くなって各画像撮像・記憶システム等から削除される画像に関する情報を更新する処理となる。
【０３４６】
図４０は、当該第２画像管理情報の更新処理の流れを示すフローチャート図である。
【０３４７】
第２画像管理情報管理部５１は、サーバの立ち上げと共に、内部のタイマ（時間計測回路）を起動させる（ステップＳ８０１）。第２画像管理情報管理部５１は、タイマをスタートさせてから所定の時間が経過したかを判定する（ステップＳ８０２）。所定時間経過していない場合は、所定時間経過するまで待機する。
【０３４８】
ステップＳ８０２における判定の結果、所定時間経過した場合は、第２画像管理情報記憶部４７より第２画像管理情報を読み込む（ステップＳ８０３）。第２画像管理情報管理部５１は、当該読み込んだ第２画像管理情報に登録されている各エントリのうち、画像保管期限が現在の時刻を越えている画像があるかを判定する（ステップＳ８０４）。当該判定の結果、期限を越えている画像がない場合は、再度タイマをリセットし、ステップＳ８０２に戻る。
【０３４９】
一方、ステップＳ８０４における判定の結果、保管期限を越えている画像がある場合は、第２画像管理情報管理部５１は、当該期限切れの画像のエントリを第２画像管理情報より削除する（ステップＳ８０５）。第２画像管理情報管理部５１は、期限切れの画像に関するエントリの全てを第２画像管理情報より削除することで更新した第２画像管理情報を第２画像管理情報記憶部４７に格納すると共に、ステップＳ８０６に進み、タイマをリセットする。
【０３５０】
第２画像管理情報管理部５２が、画像管理システム全体の画像記憶状況を管理することで、ネットワーク側からの画像要求に対して、必要に応じて当該画像要求で指定されている画像を記憶している画像記憶システムに対して当該画像の提出を指示することが可能となる。
【０３５１】
次に、当該画像管理システムに分散して存在する画像撮像・記憶システムについて説明する。
【０３５２】
図４１は、本実施の形態５に係る画像撮像・記憶装置１１００ａの構成を示すブロック図である。
【０３５３】
画像撮像・記憶装置１１００ａは、画像撮像部１１０と、位置情報取得部１２０と、時刻情報取得部１３０と、記憶部１５０と、関連付け部１１４０と、提出用画像管理情報生成部１１５０と、画像管理部１１６０と、画像送信要求受信部１１７０と、画像抽出部１１８０と、送信部１１９０と、を備える。なお、画像撮像・記憶装置１００ａと同一部分については説明を省略する。
【０３５４】
関連付け部１１４０は、画像撮像部１１０で撮像された画像に、位置情報取得部１２０で取得された位置情報と、時刻情報取得部１３０で取得された時刻情報とを、それぞれ撮像位置及び撮像時刻として関連付けた状態で記憶部１５０に格納する。ここで、関連付け部１１４０は、当該関連付けをテーブル状の画像管理情報を作成・更新することで行う。
【０３５５】
図４２は、当該関連付け部１１４０が作成・更新する画像管理情報（画像管理ファイル）の一例である。画像管理情報には、装置内で画像を管理するために一意に割り当てられる画像管理番号、画像のファイル名を示す画像ファイル名、画像撮像位置を示す画像取得位置情報、画像撮像時刻を示す画像取得時刻情報、送信済みビット、当該画像を記憶部１５０で記憶しておく期限を示した画像保管期限、及び、当該画像の記憶部１５０での格納位置を示す格納アドレス、がそれぞれ関連付けられている。なお、ここで、送信済み判定ビットとは、後述する提出用画像管理情報生成部１１５０において生成される提出用画像管理情報によって既にネットワーク側に通知された画像に関する情報であるかを指定する１ビットの情報である。また、画像管理情報で示される画像保管期限は、記憶部１５０の空き容量等に関する情報に基づいて決定されても良い。
【０３５６】
提出用画像管理情報生成部１１６０は、ネットワーク側（画像収集システム側）に提出する提出用の画像管理情報を管理する。当該提出用の画像管理情報は、自装置で新たに撮像されて記憶されている画像の更新情報として提出用画像管理情報生成部１１５０で生成される。
【０３５７】
提出用画像管理情報生成部１６０は定期的に、関連付け部１１４０で作成・更新されて記憶部１５０に記憶されている画像管理情報にアクセスし、まだネットワーク側に通知していない画像に関する情報があるかを判定する。
【０３５８】
一例として、記憶部１５０に記憶されている画像管理情報が図４２の状態である場合、送信済み判定ビットの値から、画像管理番号Ｎｏ００１０、Ｎｏ００１１の２枚の画像について、前回までの処理によって既に提出用の画像管理情報として生成されてネットワーク側に送信済みであることが分かる。一方、Ｎｏ００１２、Ｎｏ００１３の２枚の画像については、送信済み判定ビットが０であり、提出用画像管理情報生成部１１６０が前回の生成処理により提出用画像管理情報を生成してから、新たに画像撮像部１１０で撮像され、関連付け部１１４０における関連付け処理を経て記憶部１５０に記憶された画像であることを示している。
【０３５９】
従って、提出用画像管理情報生成部１１５０は、記憶部１５０に記憶されている画像管理情報を読み込み、当該画像管理情報内に記されている送信済みビットが０であるエントリの中から必要な情報を抽出する。ここで言う必要な情報とは、画像を特定するための画像ファイル名、画像撮像位置を示す画像取得位置情報、画像撮像時刻を示す画像取得時刻情報、及び、自装置内における当該エントリで示される画像の保管期限を示す画像保管期限となる。
【０３６０】
なお、画像を特定するための情報として、画像ファイル名に買えて画像管理番号を用いても良い。どちらを用いるかは画像管理システムで構築されるプロトコルに依存するが、画像に関する情報まで含めた秘匿性を高めるという観点からは画像管理番号を用いる方が良い場合がある。ユーザによっては画像ファイル名に、当該画像に関する有機的な情報を含む名前を付けるユーザもいるため、装置が無機的に各画像に割り当てる情報として画像管理番号を利用すると好ましい。ここでは、当該画像を特定する情報として、画像ファイル名を用いることとする。
【０３６１】
図４３は、提出用画像管理情報生成部１１６０が、図４２から未提出画像に関して必要な情報を抽出して生成した提出用画像管理情報を示している。提出用画像管理情報生成部１１６０は、当該生成した提出用画像管理情報を更にフォーマット変換して図３７で示す画像管理情報とする。すなわち、画像を保管している自装置を識別する情報を先頭の送信元識別情報とし、画像数を２枚、第１画像ファイル名をSRC100103.jpeg、・・・という形に置き換えてパケットに格納した上で送信部１１９０に送る。
【０３６２】
また、提出用画像管理情報生成部１１６０は、記憶部１５０に記憶されている画像管理情報を更新する。すなわち、図４２において、新たにSRC100103.jpgとSRC100104.jpgの画像に関する情報を提出用画像管理情報に纏めてネットワーク側に通知したため、図４４に示すように送信済み判定ビットの値を更新する。
【０３６３】
画像管理部１１６０は、記憶部１５０に記憶されている画像の管理を行う。具体的には、画像管理部１１６０は、画像管理情報を参照し、当該画像管理情報で示される画像保管期限と時刻情報取得部１３０で取得される現在の時刻とを比較し、既に期限を越えている画像を記憶部１５０における記憶領域確保のために削除する。同時に、画像管理部１１６０は、画像管理情報に示される当該期限切れの画像のエントリを削除する。
【０３６４】
画像送信要求受信部１１７０は、中央処理サーバ４２より送信される画像送信要求を受信する。当該画像送信要求は、過去に提出した画像管理情報に基づいて中央処理サーバ４２が自装置に記憶されている画像の送信を要求する場合に送られる情報である。
【０３６５】
図４５は、当該画像送信要求の一例を示している。先頭に送信元識別情報として、当該画像送信要求を送信した中央処理サーバ４２を識別する情報が付されている。続いて、当該画像送信要求に対して割り当てられた画像送信要求番号が付されている。当該画像送信要求番号は、画像送信要求自体を管理するために用いられる番号である。すなわち、当該番号は、どの画像送信要求に基づいて提出された画像であるかを中央処理サーバ４２が管理しやすいために割り振られた番号である。
【０３６６】
画像送信要求番号に続いて、第１の宛先である宛先１識別情報が配置され、更に続いて当該宛先１で記憶されている画像であって送信を要求する画像を特定する情報が並べられている。ここでは、宛先１識別情報は、当該宛先１の装置が過去に提出用の画像管理情報を送信した際に、当該画像管理情報で記した識別ＩＤと同一の識別情報が付される。ここでは、装置のＭＡＣアドレスが装置を識別する情報として用いられるものとする。図４５の例では、１〜ＫのＫ個の宛先に対する画像送信要求であり、第１の宛先にはＮ枚の画像の送信を、宛先ＫにはＭ枚の画像を送信することを要求していることが分かる。
【０３６７】
画像送信要求受信部１１７０は、受信した上記画像送信要求が自装置宛であるかを判定する。具体的には、画像送信要求に含まれる複数の宛先識別情報と自装置固有の識別情報とを比較することで、画像送信要求に自装置固有の識別情報を宛先とする情報が含まれているかを判定する。自装置固有の識別情報が画像送信要求に含まれている場合は、当該画像送信要求を画像抽出部１１８０に送る。
【０３６８】
画像抽出部１１８０は、画像送信要求受信部１１７０より送られてきた画像送信要求の中から、自装置の識別情報に続いて記される画像を特定する画像ファイル名を抽出し、当該画像ファイル名で特定される画像を記憶部１５０から抽出する。
【０３６９】
画像抽出部１１８０は、抽出した画像を送信部１１９０に送る。この時、画像抽出部１１８０は送信する画像を管理する画像管理ファイルを合わせて作成して送信部１１９０に送っても良い。当該画像管理ファイルには、抽出した画像ファイル名、撮像位置及び撮像時刻、画像提供者である自装置を識別する情報、対応する画像送信要求番号、が記されていると中央処理サーバ４２側において、管理が容易となる。なお、ここでいう画像送信要求番号は、当該画像を抽出する際に用いられた画像送信要求に含まれる画像送信要求番号のことである。当該情報も合わせて送信されることで、中央処理サーバ側で、どの要求に対する応答として送信された画像等であるのかの把握が容易となる。
【０３７０】
送信部１１９０は、提出用画像管理情報生成部１１５０より送られてきた提出用の画像管理情報を予め登録してある中央処理サーバ４２のＩＰアドレスを宛先とするパケットに詰めて送信する。また、送信部１１９０は、画像抽出部１１８０より送られてくる画像と上記画像管理ファイルとを中央処理サーバ４２宛のパケットに詰めて送信する。
【０３７１】
次に、画像撮像・記憶装置１１００ａの動作について説明する。なお、画像の撮像処理〜撮像位置等との関連付け処理〜記憶部への格納処理までの一連の処理については、図８に示す処理と略同一であるため説明を省略する。
【０３７２】
図４６は、画像撮像・記憶装置１１００ａにおける提出用の画像管理情報の生成・送信処理の流れの一例を示している。提出用画像管理情報生成部１１５０は、図示しない所定時間を計測する時間計測タイマを作動させる（ステップＳ１００１）。提出用画像管理情報生成部１１５０は、上記タイマを作動させてから所定時間が経過したかを判定する（ステップＳ１００２）。所定時間経過した場合は、提出用画像管理情報生成部１１５０は、記憶部１５０に記憶されている画像管理情報を読み込む（ステップＳ１００３）。
【０３７３】
次に、提出用画像管理情報生成部１１５０は、ステップＳ１００３で読み出した画像管理情報において、まだネットワーク側へ送信（通知）していない画像に関する情報があるかを判定する（ステップＳ１００４）。具体的には、提出用画像管理情報生成部１１５０は、画像管理情報に設けられた送信済み判定ビットの欄が「未送信」であることを示す「０」となっているエントリが画像管理情報内に含まれているかを判定することで、新たに撮像されている画像があるかを判定する。
【０３７４】
ステップＳ１００４における判定の結果、新たな画像は撮像されておらず、ネットワーク側へ通知していない画像が記憶されていない場合は、ステップＳ１００８に進む。一方、画像撮像部１１０で新たな画像が撮像されていて記憶部１５０に記憶されている場合には、当該画像に関する情報をまだネットワーク側が知りえない状況であるため、当該画像の存在をネットワーク側に知らせるための処理を行う。すなわち、ステップＳ１００４における判定の結果、画像管理情報に設けられた送信済み判定ビットの欄が「未送信」であることを示す「０」となっているエントリが画像管理情報内に含まれている場合は、ステップＳ１００５に進む。
【０３７５】
提出用画像管理情報生成部１１５０は、提出用の画像管理情報を生成する（ステップＳ１００５）。具体的には、提出用画像管理情報生成部１１５０は、ステップＳ１００４で判定した画像管理情報に含まれるエントリの内、送信済み判定ビットが「０」であるエントリの画像に関する情報を所定のフォーマットに纏めて提出用の画像管理情報を生成する（ステップＳ１００５）。当該生成された提出用の画像管理情報は、送信部１１９０に送られ、送信部１１９０でパケットに詰められてネットワーク側（中央処理サーバ４２）に送信される（ステップＳ１００６）。
【０３７６】
更に提出用画像管理情報生成部１１５０は、画像記憶情報の送信済み判定ビットが「０」であったエントリを「１」に書き換えることで提出用画像管理情報を更新する（ステップＳ１００７）。そして、提出用画像管理情報生成部１１５０は、タイマをリセットし（ステップＳ１００８）、ステップＳ１００２に戻って所定時間が経過するのを改めて待つ。
【０３７７】
上記処理に従って、各地に分散している各画像記憶装置や画像記憶システムと画像収集システムとの間で画像の存在に関する情報共有を図ることが可能となる。
【０３７８】
次に、画像撮像・記憶装置１１００ａにおける画像更新処理の流れについて図４７を用いて説明する。画像管理部１１６０は、図示しない所定時間を計測する時間計測タイマを作動させる（ステップＳ１１０１）。画像管理部１１６０は、上記タイマを作動させてから所定時間が経過したかを判定する（ステップＳ１１０２）。所定時間経過した場合は、画像管理部１１６０は、記憶部１５０に記憶されている画像管理情報を読み込む（ステップＳ１１０３）。
【０３７９】
画像管理部１１６０は、読み込んだ画像管理情報で示される各画像の中で、当該画像の保管期限が現在の時刻を越えている画像があるかを判定する（ステップＳ１１０４）。当該判定の結果、保管期限切れの画像が無ければ、ステップＳ１１０７に進む。一方、当該判定の結果、保管期限が切れている画像が記憶部１５０に記憶されている場合は、画像管理部１１６０は当該期限切れの画像を削除する（ステップＳ１１０５）。更に、画像管理部１１６０は、当該削除した画像のエントリをステップＳ１１０３で読み込んだ画像管理情報の中から削除することで画像管理情報を更新し、更新した画像管理情報を記憶部１５０に戻す（ステップＳ１１０６）。そして、画像管理部１１６０は、時間計測タイマをリセットし（ステップＳ１１０７）、ステップＳ１１０２に戻って改めて所定の時間経過することを待つ。
【０３８０】
このように画像管理部１１６０が記憶部１５０に記憶される画像を適宜削除することで、揚力に限りがある記憶媒体で構成される記憶部１５０が画像データで埋め尽くされてしまい、新しく撮像した画像を記憶できなくなると言った事態を防いでいる。
【０３８１】
また、当該画像の削除は、画像管理情報で管理している画像保管期限に基づいて画像撮像・記憶装置１１００ａによって行われ、当該画像保管期限は、予め図４６に示す画像管理情報の提出処理によって画像収集システム側でも共有されている。従って、当該画像の削除に関して、画像収集システム側と分散されている記憶システム側との間で同期が取れているため、既に記憶システム側で削除されているにもかかわらず、画像収集システム側から当該画像の提出要求が出されることを防いでいる。
【０３８２】
次に、画像撮像・記憶装置１１００ａにおける画像提出処理について図４８を用いて説明する。画像送信要求受信部１１７０は、画像収集システム側（中央処理サーバ４２）より画像送信要求が受信されることを待つ（ステップＳ１２０１）。画像送信要求受信部１１７０は、新たな画像送信要求を受信した場合に、当該受信した画像送信要求が自装置宛の画像送信要求であるかを判定する（Ｓ１２０２）。なお図４５のように、１つの画像送信要求内で複数の装置に対して画像の提出を要求する形態をとる場合には、画像送信要求受信部１１７０は、当該受信した画像送信要求内に、自装置を宛先とする部分が含まれているかを判定する。
【０３８３】
ステップＳ１２０２における判定の結果、当該画像送信要求内に自装置のＭＡＣアドレスなど自装置を識別する情報が含まれていない場合は、当該受信した画像送信要求は自装置宛のものではないとしてステップＳ１２０１に戻り、次の画像送信要求が受信されることを待つ。一方、ステップＳ１２０２における判定の結果、当該画像送信要求内に自装置のＭＡＣアドレスなど自装置を識別する情報が含まれている場合は、ステップＳ１２０３に進む。
【０３８４】
画像抽出部１１８０は、画像送信要求受信部１１７０より受け取った画像送信要求で示されている自装置宛の部分で指定されている画像を特定する情報に基づいて記憶部１５０より画像を抽出する（ステップＳ１２０３）。当該画像を特定する情報としては、画像ファイル名としても良いし画像管理番号としても良い。図４６で画像収集システム側へ送信した画像管理情報に含めた画像を特定する情報と同一の種類の情報が当該画像送信要求で送られてくる。当該画像を特定する情報は、すなわち、自装置の記憶部に記憶されている画像の中から当該情報で特定する画像を選び出すための情報である。
【０３８５】
画像抽出部１１８０は、ステップＳ１２０３で抽出した画像を、当該抽出した画像に関する画像管理情報と合わせて送信部１１９０に送り、送信部１１９０より画像収集システム側に送信される（ステップＳ１２０４）。その後、ステップＳ１２０１に戻り、新たに画像送信要求が受信されることを待つ。
【０３８６】
このように、画像撮像・記憶装置１１００ａにおいて、受信した画像送信要求に基づいて画像が抽出されて送信されることで、画像収集システムは、ネットワーク側より出された画像要求に基づいて画像を収集することが可能となる。
【０３８７】
また、当該方法では、画像撮像・記憶装置１１００ａは、画像送信要求が自装置宛の要求であるかの判定処理、及び、記憶部１５０からファイル名等の画像を特定する情報で指定される画像を抽出する抽出処理を行うことで、画像を提出することができる。
【０３８８】
従って、実施の形態１のように、画像検索情報に基づいて多大な回数無駄な画像検索を行うことで、自装置のリソースや電力を無駄に消費することを抑えることができると共に、画像収集システム側にとっても、予め画像管理システム全体でどのような画像が存在しているのかを認識できるため、柔軟な画像収集を行うことが可能となる。
【０３８９】
すなわち、画像収集システムにおいて、既に外部の記憶システムより画像を回収して、自システム内のＤＢに格納している画像は、ネットワーク側からの要求に応答して画像を提出できるし、ＤＢに未格納の画像であっても、外部の記憶システム内に存在している画像は適切に回収することができる。
【０３９０】
なお、本実施の形態における画像記憶装置１３００ｂや、情報処理装置１４００ｃの構成は、図４９や図５０のようになるが、それぞれ図１４、図１６、と図４１に含まれる既に説明済みの機能ブロックを組み合わせたものであるため、ここでは詳細な説明は省略する。一例を挙げると、画像記憶装置１３００ｂは、通信部３１０と、記憶部３５０と、画像送信要求受信部１１７０と、送信部１１９０とを少なくとも有する。
【０３９１】
ここで、通信部３１０は、画像撮像装置１２００ｂと通信を行うブロックであり、具体的には画像を撮像する画像撮像装置で撮像された画像と、前記画像の撮像位置と撮像時刻に関する情報を含む画像管理情報とを受信する受信機能を有する。また、記憶部３５０は、通信部３１０で受信された画像撮像装置１２００ｂで撮像された画像を記憶する。また、送信部１１９０は、より詳しくは、通信部３１０で受信された前記画像の撮像位置と撮像時刻に関する情報を含む画像管理情報を送信する画像管理情報送信部と、画像送信要求受信部で受信された送信要求で要求される（指定される）画像を送信する画像送信部とに分かれる。
【０３９２】
画像送信要求受信部１１７０は、記憶部に記憶されている画像の送信要求を受信する。画像抽出部１１８０は、画像送信要求受信部１１７０で受信された画像送信要求に基づいて記憶部３５０より該当する画像を抽出して送信部１１９０、より詳しくは画像送信部に送る。ここで、画像送信要求には、自装置を識別する情報と画像を特定する情報が含まれているため、画像送信要求受信部１１７０は、当該画像送信要求に含まれる識別情報を自装置の識別情報と比較して自装置宛の画像送信要求かを第１に判定できる。自装置宛の画像送信要求は、画像抽出部１１８０に送られ、当該画像抽出部１１８０が、画像送信要求に含まれる画像を特定する情報に基づいて記憶部３５０に記憶されている画像の中から当該特定される画像を抽出する。
【０３９３】
ここで、このような画像を特定する情報は、画像のファイル名であっても良いが、秘匿性の観点からは、自装置１３００ｂにおいて記憶部３５０に記憶される画像に一意に割り当てられる画像番号又は画像撮像装置１２００ｂにおいて撮像される画像に一意に割り当てられる画像番号を利用するとより好ましい。
【０３９４】
ここで、画像記憶装置１３００ｂは、画像撮像装置１２００ｂとの接続状態を確立する接続状態確立部を更に具備し、通信部は、前記接続状態確立部が画像撮像装置との接続状態を確立した後で、画像撮像装置より送信される前記画像及び前記画像管理情報とを受信する。
【０３９５】
なお、情報処理装置１４００ｃにおいて、画像抽出部１４８０は、図４１の画像抽出部１１８０と比較して外部の情報記憶媒体より画像送信要求受信部１１７０で受信された画像送信要求で指定される画像を抽出する点が異なっている。その他は、情報処理装置１４００ｃは、画像記憶装置１３００ｂと略同一であるため説明を省略する。
【０３９６】
なお、通信部３１０は、画像撮像装置１２００ｂと通信を行うが、通信機能のうち、送信機能は制御信号の送信程度であり、ほとんどは画像や画像管理情報の受信が主機能となるため、通信部３１０は、単に受信部と呼ばれることもある。
【０３９７】
以上のように、本実施の形態６にかかる情報収集システムは、外部に点在する画像記憶システム（画像記憶装置）から、当該画像記憶システム（画像記憶装置）で記憶されている画像に関する情報を受信する受信手段と、前記受信した画像に関する情報を記憶する記憶手段と、前期記憶手段で記憶されている前記画像に関する情報に基づいて特定される画像の送信を前記画像記憶システム（画像記憶装置）に対して要求する要求手段と、を備える。当該構成によれば、予め外部に分散して存在する記憶システムより、当該システム内に存在する画像の情報の通知を受けておくことで、画像収集の必要が出た後の処理を単純化することができる。
【０３９８】
また、本実施の形態６に係る情報処理システムは、画像を記憶している複数の画像記憶装置と接続されている画像収集システムであって、前記画像記憶装置に記憶されている画像に関する情報である画像管理情報を受信する画像管理情報受信手段と、前記受信した画像管理情報を記憶する画像管理情報記憶手段と、画像要求を受信する画像要求受信手段と、前記画像要求受信手段で受信される前記画像要求で要求されている条件を満たす画像が前記複数の画像記憶装置に記憶されているかを前記画像管理情報記憶手段に記憶されている前記画像管理情報を参照して判定する判定手段と、前記判定の結果に基づいて、前記画像要求で要求されている条件を満たす画像が前記複数の画像記憶装置に記憶されている場合に、前記画像要求で要求されている条件を満たす画像が記憶されている画像記憶装置に対して前記画像要求で要求されている条件を満たす画像の送信を要求する要求手段と、を具備する。なお、ここで言う画像管理情報は上述した第２画像管理情報に対応する。当該構成によれば、予め外部に分散して存在する記憶システムより、当該システム内に存在する画像の情報の通知を受けておくことで、画像収集の必要が出た後の処理を単純化することができる。
【０３９９】
また、前記要求手段における前記要求に基づいて前記画像記憶装置より送信される画像を受信する画像受信手段と、前記画像受信手段で受信した画像を記憶媒体に格納する画像格納手段と、を更に具備する。当該構成により、外部に分散して存在する小型の画像記憶装置より適切に画像を回収してシステム側の大型の画像記憶装置（画像記憶媒体）に格納しておくことができる。
【０４００】
また、前記画像格納手段によって前記記憶媒体に格納された画像に関する情報である格納済み画像管理情報を記憶する格納済み画像管理情報記憶手段と、前記記憶媒体より画像を読み出す読み出し手段と、を更に具備し、前記判定手段は、前記画像要求受信手段で受信される前記画像要求で要求されている条件を満たす画像が前記記憶媒体に記憶されているかを前記格納済み画像管理情報記憶手段に記憶されている前記格納済み画像管理情報を参照して判定し、前記読み出し手段は、前記判定の結果に基づいて前記画像要求で要求されている条件を満たす画像が前記記憶媒体に記憶されている場合に、前記画像要求で要求されている条件を満たす画像を読み出す。なお、ここで言う格納済み画像管理情報とは上述した第１画像管理情報に対応する。当該構成とすることで、まずは、読み込みまでに時間がかからないシステム側の画像記憶媒体に画像が記憶されていないかを判定しておくことで、当該画像記憶媒体に必要な画像が記憶されている場合は当該画像記憶媒体にアクセスして画像を読み込んで要求元に送信することができる。
【０４０１】
また、前記判定手段は、前記格納済み画像管理情報を参照した第１の前記判定を行い、前記第１の判定の結果、前記画像要求受信手段で受信される前記画像要求で要求されている条件を満たす画像が前記記憶媒体に記憶されていない場合に、前記画像管理情報を参照した第２の前記判定を行う。当該構成とすることで、まずは、読み込みまでに時間がかからないシステム側の画像記憶媒体に画像が記憶されていないかを判定しておくことで、外部の複数の画像記憶装置へ不要な検索処理を発生させることを抑えることができる。
【０４０２】
また、前記画像管理情報には、画像記憶装置に記憶されている画像の撮像位置及び撮像時刻に関する情報が含まれ、前記格納済み画像管理情報には、前記記憶媒体に記憶されている画像の撮像位置及び撮像時刻に関する情報が含まれ、前記画像要求には、要求する画像の撮像位置及び撮像時刻を特定する情報が含まれる。より好ましくは、前記格納済み画像管理情報において、前記画像格納手段が前記記憶媒体に格納した画像のファイル名と、前記画像の撮像位置と、前記画像の撮像時刻と、前記画像の前記記憶媒体における格納アドレスと、が関連付けられている。また、より好ましくは、前記画像管理情報において、前記画像のファイル名と、前記画像の撮像位置と、前記画像の撮像時刻と、前記画像が記憶されている前記画像記憶装置を識別する識別情報と、が関連付けられている。また、より好ましくは、前記画像記憶装置において前記画像に割り当てられた前記画像を管理する画像番号が前記画像管理情報において更に関連付けられている。当該構成とすることで有効な画像を絞り込むことができる。
【０４０３】
前記判定手段は、前記画像要求に含まれる前記要求する画像の撮像位置及び撮像時刻を特定する情報に基づいて特定される位置及び時間範囲で撮像された画像が前記記憶媒体又は前記画像記憶装置のいずれかに記憶されているかの判定を行う。
【０４０４】
また、前記要求手段は、前記画像要求で要求されている条件を満たす画像が記憶されている画像記憶装置を識別する識別情報と、前記画像記憶装置において記憶されている前記画像要求で要求されている条件を満たす画像を特定する画像特定情報と、を含む画像送信要求を送信することで、前記画像要求で要求されている条件を満たす画像の送信を要求する。ここで、前記画像のファイル名であっても良いし、前記画像の撮像位置及び撮像時刻であっても良いし、、前記画像番号であっても良い。いずれの方法でも、当該画像送信要求に基づいて、外部の画像記憶装置から適切に要求する画像が抜き出されて画像が提出される。
【０４０５】
また、本実施の形態６に係る画像収集システムの別の態様は、画像を記憶している複数の画像記憶装置と接続されている画像収集システムであって、前記画像記憶装置に記憶されている画像に関する情報である画像管理情報を受信する画像管理情報受信手段と、前記受信した画像管理情報を記憶する画像管理情報記憶手段と、利用可能画像情報要求を受信する利用可能画像情報要求受信手段と、前記画像管理情報記憶手段に記憶された前記画像管理情報を参照して、前記利用可能画像情報要求受信手段で受信される前記利用可能画像情報要求に基づいて特定される条件を満たす画像に関する情報を纏めた利用可能画像情報を生成する利用可能画像情報生成手段と、前記利用可能画像情報を送信する利用可能画像情報送信手段と、を具備する。ここで利用可能画像情報とは、上述した利用可能画像一覧ファイルを指している。当該構成とすることで、空間的には分離して記憶されている画像であっても、どのような画像が存在していて、要求次第で利用が可能であるかを知ることができる。
【０４０６】
ここで、画像要求を受信する画像要求受信手段と、前記画像要求で要求されている画像が記憶されている画像記憶装置に対して前記画像要求で要求されている条件を満たす画像の送信を要求する要求手段と、を更に具備することで、利用可能画像情報を受け取ったユーザが当該利用可能画像情報を見た結果、当該情報で示される画像の中に欲しい画像がある場合に、回収を試みることができる。
【０４０７】
また、前記要求手段における前記要求に基づいて前記画像記憶装置より送信される画像を受信する画像受信手段と、前記画像受信手段で受信した画像を記憶媒体に格納する画像格納手段と、を具備することで、システム側の記憶媒体（データベース）に受信した画像を記憶しておくことで、同一画像に対して何度も外部の画像記憶装置に送信要求が飛ぶことを防ぐことができる。
【０４０８】
なお、前記画像格納手段によって前記記憶媒体に格納された画像に関する情報である格納済み画像管理情報を記憶する格納済み画像管理情報記憶手段と、前記画像要求受信手段で受信される前記画像要求で要求されている画像が前記記憶媒体に記憶されているかを前記格納済み画像管理情報記憶手段に記憶されている前記格納済み画像管理情報を参照して判定する判定手段と、前記判定の結果に基づいて前記画像要求で要求されている画像が前記記憶媒体に記憶されている場合に、前記画像要求で要求されている条件を満たす画像を読み出す読み出し手段と、を具備すると同一画像に対して何度も外部の画像記憶装置に送信要求が飛ぶことを防ぐことができる。
【０４０９】
また、前記画像管理情報には、画像記憶装置に記憶されている画像を特定する情報と、前記画像の撮像位置及び撮像時刻に関する情報が含まれ、前記格納済み画像管理情報には、前記記憶媒体に記憶されている画像を特定する情報と、前記画像の撮像位置及び撮像時刻に関する情報が含まれ、前記利用可能画像情報要求には、情報の提示を要求する利用可能な画像の撮像位置範囲及び撮像時間帯を特定する情報が含まれる。
【０４１０】
より好ましくは、前記格納済み画像管理情報において、前記画像格納手段が前記記憶媒体に格納した画像のファイル名と、前記画像の撮像位置と、前記画像の撮像時刻と、前記画像の前記記憶媒体における格納アドレスと、が関連付けられている。また、より好ましくは、前記画像管理情報において、前記画像のファイル名と、前記画像の撮像位置と、前記画像の撮像時刻と、前記画像が記憶されている前記画像記憶装置を識別する識別情報と、が関連付けられている。またより好ましくは、前記画像記憶装置において前記画像に割り当てられた前記画像を管理する画像番号が前記画像管理情報において更に関連付けられている。
【０４１１】
利用可能画像情報を求めるユーザは、特定位置エリアにおける特定時間帯の画像を要求する利用方法が最も想定されるため、このような情報を各管理情報や利用可能画像情報要求に含めておくと良い。なお、利用可能画像情報要求には撮像時間帯を特定する情報ははずされていても良い。ユーザによっては、時間帯はどうでも良く、位置範囲のみが重要なユーザもいるためである。
【０４１２】
前記利用可能画像情報生成手段は、画像管理情報記憶手段に記憶された前記画像管理情報を参照して、前記利用可能画像情報要求受信手段で受信される前記利用可能画像情報要求に含まれる前記撮像位置範囲及び撮像時間帯を特定する情報に基づいて特定される位置範囲及び時間範囲で撮像された画像に関する情報を纏めた利用可能画像情報を生成する。当該構成とすることで、ユーザの所望の利用可能画像情報を生成して提供することができる。
【０４１３】
前記要求手段は、前記画像要求で要求されている条件を満たす画像が記憶されている画像記憶装置を識別する識別情報と、前記画像記憶装置において記憶されている前記画像要求で要求されている条件を満たす画像を特定する画像特定情報と、を含む画像送信要求を送信することで、前記画像要求で要求されている条件を満たす画像の送信を要求する。ここで、前記画像特定情報は、前記画像のファイル名であっても良いし、前記画像の撮像位置及び撮像時刻であっても良いし、前記画像番号であっても良い。
【０４１４】
また、本実施の形態６に係る情報処理方法は、画像を記憶している複数の画像記憶装置と接続されている画像収集システムで用いられる情報処理方法であって、前記画像記憶装置に記憶されている画像に関する情報である画像管理情報を受信する画像管理情報受信ステップと、前記受信した画像管理情報を格納する画像管理情報格納ステップと、画像要求を受信する画像要求受信ステップと、前記画像要求受信ステップで受信される前記画像要求で要求されている条件を満たす画像が前記複数の画像記憶装置に記憶されているかを前記画像管理情報格納ステップで格納されている前記画像管理情報を参照して判定する判定ステップと、前記判定の結果に基づいて、前記画像要求で要求されている条件を満たす画像が前記複数の画像記憶装置に記憶されている場合に、前記画像要求で要求されている条件を満たす画像が記憶されている画像記憶装置に対して前記画像要求で要求されている条件を満たす画像の送信を要求する送信要求ステップと、を有する。
【０４１５】
また、本実施の形態６の別態様に係る情報処理方法は、画像を記憶している複数の画像記憶装置と接続されている画像収集システムで用いられる情報処理方法であって、前記画像記憶装置に記憶されている画像に関する情報である画像管理情報を受信する画像管理情報受信ステップと、前記受信した画像管理情報を格納する画像管理情報格納ステップと、利用可能画像情報要求を受信する利用可能画像情報要求受信ステップと、前記画像管理情報格納ステップに格納された前記画像管理情報を参照して、前記利用可能画像情報要求受信ステップで受信される前記利用可能画像情報要求に基づいて特定される条件を満たす画像に関する情報を纏めた利用可能画像情報を生成する利用可能画像情報生成ステップと、前記利用可能画像情報を送信する利用可能画像情報送信ステップと、を有する。
【０４１６】
また、本実施の形態６に係る画像撮像装置は、画像を撮像する画像撮像手段と、前期撮像された画像を記憶する画像記憶手段と、前記画像記憶手段に記憶されている画像の撮像位置と撮像時刻に関する情報を含む画像管理情報を生成する画像管理情報生成手段と、前記画像管理情報を送信する画像管理情報送信手段と、を具備する。当該構成とすることで、画像収集システム側では、画像撮像装置で撮像されて記憶されている画像を把握することができる。ここで、画像管理情報送信手段は、定期的に画像管理情報を送信することが好ましい。
【０４１７】
また、前記画像管理情報生成手段は、前記画像を特定する情報と、前記画像の撮像位置及び撮像時刻と、自装置を識別する識別情報と、を関連付けた画像管理情報を生成することが好ましい。ここで、前記画像を特定する情報は、前記画像のファイル名であっても良いし、前記画像記憶手段に記憶される画像に一意に割り当てられる画像番号であっても良いし、その他の情報であっても良い。この場合、前記送信要求には、自装置を識別する識別情報と、前記画像を特定する情報と、が含まれることになる。
【０４１８】
また、本実施の形態６に係る画像記憶装置は、画像を撮像する画像撮像装置で撮像された画像と、前記画像の撮像位置と撮像時刻に関する情報を含む画像管理情報とを受信する受信手段と、前記受信手段で受信された前記画像撮像装置で撮像された画像を記憶する記憶手段と、前記受信手段で受信された前記画像の撮像位置と撮像時刻に関する情報を含む画像管理情報を送信する画像管理情報送信手段と、前記画像記憶手段に記憶されている画像の送信要求を受信する画像送信要求受信手段と、前記画像送信要求受信手段で受信された前記送信要求に基づいて画像を送信する画像送信手段と、を具備する。当該構成とすることで、画像撮像装置にネットワーク側との接続機能を備えていない場合であっても、当該画像撮像装置より画像及び画像管理情報を受け取った画像記憶装置が同等の機能を実現することができる。
【０４１９】
ここで、前記画像撮像装置との接続状態を確立する接続状態確立手段を更に具備し、前記受信手段は、前記接続状態確立手段が前記画像撮像装置との接続状態を確立した後で、前記画像撮像装置より送信される前記画像及び前記画像管理情報とを受信する。
【０４２０】
また、前記画像管理情報生成手段は、前記画像を特定する情報と、前記画像の撮像位置及び撮像時刻と、自装置を識別する識別情報と、を関連付けた画像管理情報を生成することが好ましい。ここで、前記画像を特定する情報は、前記画像のファイル名であっても良いし、前記画像記憶手段に記憶される画像に一意に割り当てられる画像番号であっても良いし、その他の情報であっても良い。この場合、前記送信要求には、自装置を識別する識別情報と、前記画像を特定する情報と、が含まれることになる。
【０４２１】
なお、上記説明では、各画像記憶装置や画像記憶システム内の情報処理装置より、提出用の画像管理情報を送信する際に画像保管期限も合わせて送信する構成を示したが、当該画像保管期限を変更する変更通知を画像収集システム側に送信できる構成としても良い。
【０４２２】
すなわち、各画像記憶装置等における記憶媒体容量は限られており、画像を格納した段階で、残りの記憶容量の残量や、今後画像保管期限を迎えて削除される画像の分の空き容量、平均的な画像格納速度や空き容量の消費速度等の情報に基づいて、関連付け部が所定のアルゴリズムで算出した期間を画像保管期限として設定することを想定している。しかしながら、例えば当該画像記憶装置が車載型の画像撮像記憶装置であり、ユーザが車を使用する頻度が例外的に増加した場合、当初予定した画像保管期限では、記憶容量が尽きてしまう可能性が出てくる。このような場合は、関連付け部、又はその他の処理部が画像保管期限更新処理を行う。
【０４２３】
すなわち、当該画像保管期限更新処理部は、記憶部における記憶媒体空き容量を監視し、当該空き容量が所定の基準値を下回った場合は、画像管理情報を読み込み、当該画像管理情報で示される各画像保管期限より前の日時に再設定した提出用の画像管理情報を作成し、当該画像管理情報が既に送信済みの画像管理情報の変更通知であることを示す識別子をつけた上で送信する。当該新たな画像管理情報を受け取った中央処理サーバ４２は、当該新たな画像管理情報を参照して既に記憶している第２画像管理情報のうち、当該更新用の新たな画像管理情報に対応する部分に修正を行う。すなわち、中央処理サーバ１２側でも、第２画像管理情報において画像保管期限を更新する。このような構成とすることで、意図せぬ記憶媒体の浪費により、予め設定した保管期限より前のタイミングで画像を削除しなければならない事態が生じても、画像収集システム側と調整を取ることが可能となる。
【０４２４】
（実施の形態７）
本実施の形態７に係る中央処理サーバ６２は、実施の形態６における中央処理サーバ４２と比較して、１つの画像管理情報で画像管理システム内の画像を管理することを特徴とする。以下図面を用いて説明する。
【０４２５】
図５１は、本実施の形態７に係る中央処理サーバ６２の構成を示すブロック図である。なお、ここでは中央処理サーバ４２との違いについてのみ説明し、共通ブロックについては説明を省略する。なお、本実施の形態７における画像管理システムは、中央処理サーバ４２が中央処理サーバ６２に置き換わったことを除いて図２９と同一であり、各画像撮像記憶装置や画像撮像記憶システム等の構成は同一である。
【０４２６】
中央処理サーバ６２は、画像管理情報記憶部６３と画像管理情報管理部６４とを具備する。画像管理情報記憶部６３は、画像管理システム全体の画像を管理するための画像管理情報を記憶する。当該画像管理情報は、図５２に示す管理テーブル状のファイルである。
【０４２７】
図５２に示す画像管理情報は、ＤＢ有無の欄が設けられている。当該ＤＢ有無の欄は、各エントリの画像がＤＢ１１に記憶されているか、外部に分散して存在する画像記憶システム等に記憶されているかを判定するための情報である。当該情報が「１」のエントリに関する画像は、ＤＢ１１に格納済みであることを示しており、従って画像保管期限は無期限を示すnullが記されている。
【０４２８】
画像格納部６５は、画像受信部５４で受信された提出画像をＤＢ１１に格納すると共に、当該画像と共に送られてくる画像管理情報を画像管理情報管理部６４に送る。当該画像格納部６５から画像管理情報管理部６４に送られる画像管理情報はＤＢ１１に格納される画像についての撮像位置等の情報である。
【０４２９】
画像管理情報管理部６４は、画像管理情報受信部５０より受け取った画像管理情報と画像格納部６５から受け取った画像管理情報を画像管理情報記憶部６３に追加で格納していく。また、画像管理情報記憶部６３に記憶されている画像管理情報を読み込み、画像保管期限が切れている期限切れのエントリを当該画像管理情報から削除する。
【０４３０】
画像管理情報管理部６４は、画像管理情報受信部５０より受け取る画像管理情報を新たに画像管理情報記憶部６３に記憶されている画像管理情報に追記して更新する場合は、ＤＢ有無の欄を０として更新する。なぜなら、画像管理情報受信部５０より受け取る画像管理情報は、外部の画像記憶システム等で記憶されている画像に関する情報であり、ＤＢ１１に当該画像は格納されていないためである。
【０４３１】
一方、画像管理情報管理部６４は、画像格納部６５より受け取る画像管理情報を新たに画像管理情報記憶部６３に記憶されている画像管理情報に追記して更新する場合は、ＤＢ有無の欄を１として更新する。なぜなら、画像格納部より受け取る画像管理情報は、外部の画像記憶システム等より提出されてＤＢ１１に格納される画像に関する情報を情報であり、ＤＢ１１に当該画像が格納されているためである。
【０４３２】
以上のように、本実施の形態７に係る中央処理サーバは、外部の一般ユーザがそれぞれ所有する画像記憶装置（又は画像記憶システム、情報処理装置等）より提出される当該画像記憶装置等に記憶されている画像に関する情報である画像管理情報と、当該画像記憶装置等より提出された画像に関する情報である画像管理情報を管理テーブルに纏めて記憶しておく。この時、当該管理テーブルで管理される画像は、データベースに記憶されている画像であるか、外部に分散して存在する民間等が各々設置した画像記憶装置に記憶されている画像であるかを判別可能な状態で管理する。当該構成とすることで、ＤＢに存在する画像のみに対する画像要求がネットワーク側より送られてきた場合などに対処が容易となる。
【０４３３】
すなわち、画像を記憶している複数の画像記憶装置と接続されている情報処理装置は、前記画像記憶装置に記憶されている画像に関する情報である画像管理情報を受信する画像管理情報受信手段と、前記受信した画像管理情報を記憶する画像管理情報記憶手段と、前記画像記憶装置より送信される画像を受信する画像受信手段と、前記画像受信手段で受信した画像を記憶媒体に格納する画像格納手段と、を具備する。ここで、前記画像格納手段によって前記記憶媒体に格納された画像に関する情報が前記画像管理情報記憶手段に記憶される画像管理情報に含まれる。すなわち、当該画像管理情報には、前記記憶媒体に記憶されているか、外部の画像記憶装置に記憶されているかが判別可能な状態で示されている。
【０４３４】
（実施の形態８）
本実施の形態８に係る画像管理システムでは、画像の提出基準等をより細かく設定できる構成を組み入れることでより適切な画像の交換を行えることを特徴とする。以下図面を用いて説明する。なお、画像管理システム全体は、中央処理サーバ４２が中央処理サーバ７２に置き換わることを除いて図２９の構成と略同一であるため説明を省略する。
【０４３５】
図５３は、本実施の形態８においてネットワーク側のユーザより送られてくる利用可能画像一覧要求の一例を示している。当該利用可能画像一覧要求では、要求元を識別する識別情報に利用可能画像一覧要求範囲特定情報が続く。ここで、利用可能画像一覧要求範囲特定情報とは、当該利用可能画像一覧要求で要求する様々な条件を特定するための情報である。図５４では、このような条件として、画像の撮像位置範囲、撮像時刻範囲に加えて、動画像であるか静止画像であるかを指定する画像タイプ、画像が値段を持って売買される場合における画像の売値を指定する画像値段範囲、要求元がどのような組織であるかを特定するための要求元種別、要求する画像をＤＢ内の画像を対象とするのか、画像管理システム全体を対象にするのかなど、画像の提出範囲の対象を特定する対象範囲、などの情報がある。また、これらの情報以外にも、画素数が解像度を指定できる構成であっても良い。
【０４３６】
図５４は、本実施の形態８に係る中央処理サーバ７２の構成を示すブロック図である。図５１に示す中央処理サーバ６２と比較して、要求情報処理部４４が要求情報処理部７４に置き換わっていることを特徴とする。その他のブロックについては、既に説明したブロックと略同一の機能を有するため、一部説明を省略する。
【０４３７】
受信部４３で受信される図５３に示す利用可能画像一覧要求は、要求情報処理部７４に送られる。要求情報処理部７４は、当該利用可能画像一覧要求を受け取ると、画像管理情報記憶部６３にアクセスして、当該記憶部に記憶されている画像管理情報を参照する。そして、利用可能画像一覧要求に含まれる利用可能画像一覧要求範囲特定情報で示される様々な条件を満たす画像に関する部分だけを上記画像管理情報から抜き出して利用可能画像一覧ファイルを生成する。
【０４３８】
図５５は、画像管理情報記憶部６３に記憶されている画像管理情報の一例である。本実施の形態における画像管理情報では、各画像に一意に割り当てられた画像管理番号、当該画像の名前である画像ファイル名、当該画像の撮像位置である画像取得位置情報、当該画像の撮像時刻である画像取得時刻情報、当該画像の保有者又は提供者を識別する画像保有者識別情報、当該画像の提供の条件として設定された値段を示す画像値段、当該画像の所有者（画像保管者）が当該画像の提出を許可する機関を示す提出許可要求先、当該画像の画像管理システム内での保管期限を示す画像保管期限、当該画像の画質、そして当該画像がＤＢに記憶されているか、分散して存在する記憶部側に記憶されているかを示すＤＢ有無、が纏められている。
【０４３９】
要求情報処理部７４は、受信部４３より受け取った利用可能画像一覧要求と画像管理情報記憶部６３とから読み出した画像管理情報とを比較して当該利用可能画像一覧要求の要求元に利用可能な画像として提示できる画像に関するエントリ部分を複製して別の管理テーブルとして纏めることで、利用可能画像一覧を生成する。
【０４４０】
例えば、利用可能画像一覧要求における利用可能画像一覧要求範囲特定情報として、画像タイプが「動画像」に、要求元識別が「警察」に、（サーチ）対象範囲がＤＢに限定する、と指定されている場合は、要求情報処理部７４は、図５５に示す画像管理情報を参照し、画像ファイル名の拡張子がmpegやaviなど動画像方式で符号化された画像であり、提出許可要求先に「警察」を含み、ＤＢ有無の欄がＤＢに画像が格納済みであることを示す「１」であるエントリを複製する。図５５の場合では、No083のみ上記利用可能画像一覧要求で指定される要求を満たしているため、要求情報処理部７４は、当該画像管理情報より、上記条件を満たすNo083のエントリを複製したものを利用可能な画像として利用可能画像一覧ファイルとして生成する。当該生成された利用可能画像一覧ファイルは、送信部４９より要求元のユーザに送信される。
【０４４１】
画像管理情報受信部５０で受信される画像管理情報にも、画像の提供に関する上記様々な条件が関連付けられている。当該画像管理情報は画像管理情報管理部６４に送られ、当該画像管理情報管理部６４は、画像図管理情報記憶部６３に記憶されている画像管理情報を更新する。この時、画像管理情報更新部６４は、受け取った画像管理情報に含まれる様々な付加情報をそれぞれ該当する位置に記す状態で画像管理情報を更新する。
【０４４２】
また、画像管理情報管理部６４は、画像格納部６５より画像管理情報を受け取った場合は、画像管理情報記憶部６３に記憶されている画像管理情報内の当該画像のエントリについて、当該エントリのＤＢ有無で「０」となっているものを「１」に書き換える更新を行う。この段階で、既に当該画像は、画像格納部６５によってＤＢ１１に格納されているためである。
【０４４３】
次に、画像撮像記憶システム側の構成について説明する。図５６は、画像撮像記憶装置１６００ａの構成を示すブロック図である。図４１に示す画像撮像記憶装置１１００ａと比較して画像提出条件設定部１６１０が新たに追加されている点が特徴であるため、このブロックを中心に説明する。
【０４４４】
画像提出条件設定部１６１０は、画像を提出する条件を設定する。具体的には、画像提出条件設定部１６１０は、図示せぬ操作入力部よりユーザから入力される条件や、所謂カメラである画像撮像部１１０のハードウェア情報をドライバー等を参照して取り出して条件の一つとする。画像提出条件設定部１６１０は、上記各種条件をまとめて画像提出条件登録情報を作成し、記憶部１５０に格納する。
【０４４５】
図５７は、画像提出条件設定部１６１０が生成する画像提出条件登録情報の一例を示している。当該情報には、画像の値段が静止画像と動画像に分かれてそれぞれ設定されている。また、画像提出を許可する画像要求先を警察と自衛隊の２組織に限定している。また、画質として１２００万画素の画像であることを示している。また、符号化フォーマットがそれぞれjpegとmpegであることを示している。
【０４４６】
提出用画像管理情報生成部１６５０は、定期的に提出用の画像管理情報を生成して送信部１１９０に送る。この時、提出用画像管理情報生成部１６５０は、上記画像提出条件登録情報の内容を反映させて提出用の画像管理情報を生成する。
【０４４７】
図５８は、当該提出用の画像管理情報の一例を示しており、今回提出する画像に関する情報に、付加情報として当該画像を提出する場合の販売価格である値段や、提出を許可する要求元に関する情報、その他当該画像の画質当画像の品質に関する情報も合わせて各画像に関連付けて記憶される。
【０４４８】
なお、その他の画像撮像記憶システムに含まれる画像記憶装置や情報処理装置についても、上記画像提出条件設定部１６１０に対応するブロックが追加されて、当該画像提出条件を反映させた上で提出用の画像管理情報を生成する以外は、図４９や図５０の構成と略同一であるため、説明は省略する。
【０４４９】
以上のように、本実施の形態では、画像記憶装置は、画像を提出する条件を設定する画像提出条件設定手段を更に具備し、記憶手段に記憶されている提出可能な画像に関する情報を纏めた画像管理情報を生成する生成手段は、前記設定された画像を提出する条件を前記提出可能な画像に関する情報として画像管理情報を生成し、送信手段は、前記生成手段が生成した前記画像管理情報を送信する。画像記憶装置より送信される前記画像管理情報を受信する中央処理サーバは、前記受信した画像管理情報を記憶する記憶手段と、ネットワーク側より取得可能（利用可能）な画像に関する情報の紹介要求を受信する受信手段と、前記紹介要求（利用可能画像情報要求）で要求される範囲で特定される撮像位置及び撮像時刻で撮像された画像が画像管理システム全体の中に存在しているかどうかを前記画像管理情報を参照して判定する判定手段と、を備える。
【０４５０】
当該構成によれば、より細やかな画像の需要と供給のマッチングを行うことができるため、画像を提供する民間人等の提供者側は安心して画像を提供することができ、また、画像を要求する警察等の組織は本当に必要な画像だけを要求することが可能となる。
【０４５１】
なお、上記説明では、提出用画像管理情報生成部１６５０が、画像提出条件設定部１６１０で設定された条件を反映させた画像管理情報を生成して、送信部１１９０より送信する場合について説明したがこれに限定されるものではない。画像管理情報自体はこれまでの画像管理情報を送信する一方、画像送信要求受信部１１７０で自装置宛の画像送信要求が受信された場合に、当該要求される画像が画像提出条件設定部で設定された条件を満たすかを判定する判定手段が備わっていても良い。すなわち、当該判定手段は、受信された画像送信要求に基づいて要求される画像を送信（提出）するかを設定された提出条件を参照して判定する。画像送信要求で示される要求条件が、前記提出条件をクリアしていない場合は、当該判定手段は画像を送信しないと判定し、提出条件を全てクリアしている場合は、画像を送信すると判定する。当該判定手段で、画像を送信すると判定された場合に、画像抽出部１１８０に画像抽出指示が飛ぶ構成であっても良い。
【０４５２】
なお、その他の画像撮像装置、画像記憶装置、情報処理装置、についても上記説明した画像撮像記憶装置と、これまでの実施の形態で説明してきた画像撮像装置、画像記憶装置、情報処理装置、との組み合わせて説明できるため、説明を省略する。
【０４５３】
（実施の形態９）
本実施の形態９に係る画像管理システムでは、画像管理情報を送信する際に、サムネイルを合わせて送信することを特徴とする。以下図面を用いて説明する。なお、画像管理システム全体は、中央処理サーバ７２が中央処理サーバ８２に置き換わることを除いて図５４の構成と略同一であるため説明を省略する。
【０４５４】
図５９は、本実施の形態９に係る中央処理サーバ８２の構成を示すブロック図である。新たにサムネイル画像格納部８３を備えることを特徴とする。画像管理情報受信部５０は、外部の画像記憶システム等より送られてくる画像管理情報とサムネイル画像を受信する。
【０４５５】
ここで、サムネイル画像とは、画像解像度や画像サイズを十分に小さくした参照画像であり、どのような画像であるかの雰囲気は読み取れるものの、詳細な画像ではないため、プライバシーが十分に保護されている画像を言う。
【０４５６】
サムネイル画像格納部８３は、画像管理情報受信部５０よりサムネイル画像を受け取り、ＤＢ１１に当該サムネイル画像を格納する。また、サムネイル画像格納部８３は、画像管理情報受信部５０より受け取った画像管理情報に当該サムネイルを格納した格納アドレスに関する情報を追加した上で画像管理情報管理部６４に画像管理情報を送る。なお、各画像記憶システム等より本画像と共にサムネイル画像が合わせて送られる場合は、画像格納部６５も本画像に加えてサムネイル画像をＤＢ１１に格納する。
【０４５７】
図６０は、画像管理情報管理部６４で管理され、画像管理情報記憶部６３に記憶される画像管理情報の一例を示している。当該画像管理情報には、新たにＳＮ有無（サムネイル画像有無）の欄と、ＳＮ格納アドレス（サムネイル画像格納アドレス）の欄が追加されている。ＳＮ有無の欄において「０」はサムネイル画像がＤＢ１１に格納されていないことを、「１」は、サムネイル画像がＤＢ１１に格納されていることを示している。
【０４５８】
図６０のケースでは、画像管理番号No0814352の画像は、本画像（正式サイズの画像）はサムネイル画像もＤＢ１１に格納されていない一方、No0814353とNo0814355は本画像についてはＤＢ１１に格納されていないものの、サムネイル画像はＤＢ１１に格納されていることを示している。
【０４５９】
要求情報処理部７４は、当該画像管理情報記憶部６３に記憶されている画像管理情報を参照して、利用可能な（紹介可能な）画像に関する情報の一覧である利用可能画像一覧ファイルを生成して送信部４９より利用可能画像一覧ファイル要求元に返すと共に、当該利用可能な画像であって、サムネイル画像がＤＢ１１に記憶されている場合は、読み出し部４８にＳＮ格納アドレスで示されるアドレス位置より当該サムネイル画像を読み出させる指示を行う。読み出し部４８で読み出されたサムネイル画像は、要求情報処理部７４にてパケットに詰められ、送信部４９より利用可能画像一覧ファイルと共に、要求元に送られる。
【０４６０】
当該構成とすることで、要求元にどのような画像が利用可能であるかをサムネイル画像を通じて認識しやすくさせることができると共に、この段階で提供するものはサムネイル画像であるため、プライバシーが高く保護されている。
【０４６１】
次に、画像撮像記憶装置１７００ａについて説明する。画像撮像記憶装置１７００ａは、新たにサムネイル画像生成部１７１０が追加された以外は、図５６に示す画像撮像記憶装置１６００ａと略同一の構成をとるため、一部説明を省略する。
【０４６２】
サムネイル画像生成部１７１０は、画像撮像部１１０で撮像された画像を入力してサムネイル画像を生成する。関連付け部１１４０は、画像撮像部１１０で撮像された画像に、当該サムネイル画像生成部１７１０で生成されたサムネイル画像とも関連付けて、当該画像とサムネイル画像とを格納する。
【０４６３】
提出用画像管理情報生成部１６５０は、提出用の画像管理情報を生成する際に、当該画像管理情報で通知する新たな画像に関してサムネイル画像がある場合には、当該サムネイル画像記憶部１５０から抽出して送信部１１９０に送る。
【０４６４】
送信部１１９０は、提出用画像管理情報生成部１６５０より送られてくる画像管理情報と、当該画像管理情報に係るサムネイル画像とを中央処理サーバ側に送信する。
【０４６５】
なお、画像撮像装置と画像記憶装置（又は画像記憶システム）とが分離して画像撮像・記憶システムが構築される場合でも、同様にサムネイル機能を追加することができる。すなわち、画像撮像装置には、上記サムネイル画像生成部１７１０が追加され、当該サムネイルが造成西部１７１０で生成されたサムネイル画像は、接続状態確立部によって接続が確立された後に画像撮像装置から画像記憶装置に正式サイズの画像と合わせて画像記憶装置（又は画像記憶システム）側に送られて記憶される。そして、画像記憶装置や画像記憶システムに含まれる情報処理装置において、提出用の画像管理情報を画像収集システム側に送る際に当該サムネイル画像も合わせて送信される構成とすることができる。
【０４６６】
（実施の形態１０）
本実施の形態１０に係る画像管理システムでは、画像が空間的に分散して記憶されているのではなく、集中した位置に仮想的に分離されて記憶されていることを特徴とする。
【０４６７】
世界の歴史は勝者が決めると言われている。すなわち、今日私達が知る歴史は戦いに勝利した者達が後世に残してきた歴史である。この歴史は、勝者の側から見た歴史であり、敗れ去った者達から見た歴史は闇に葬りさられる。
【０４６８】
すなわち、勝者が正義であり、敗者は悪である。正義の使者である勝者が激しい戦いの末、敗者を打ち負かして世界を救うと言う観点で歴史が形成される。これが「正義は勝つ」と言う所以である。勝者が常に正義として定義づけられるのだから、正義が勝つのは当然である。勝者が正義に昇華される為である。
【０４６９】
勝者が行った蛮行は闇に葬り去られ、敗れさった罪無き人々が、蛮人であったと伝えられる。真実は闇の中である。
【０４７０】
古代の歴史は、現代に残された書物から読み解いていくしかない。しかし、この古文書も著者の主観により書かれているため客観性が担保されているとは保障できない。西暦１８００年以降からは撮像機の発明により、文章ではなく映像等の画像により当時の様子が記録されており、書物と比べて歴史を客観的に検討するという意味でより適切な歴史研究が可能となってきた。
【０４７１】
しかしながら、当該映像によっても、客観性が担保しきれているとは言えない。撮影者の主観によって、何を撮影するかが決定されるため、自陣に都合が悪い映像は撮影・記録せず、自陣に有利な映像のみを後世に残そうとする意図が働き得るからである。
【０４７２】
自分に都合が悪い事は知られたくないという人間の心理は不変である。しかしながら、自分の死後や十分な時を経た後であれば、その時本当は何が起きていたかの真実を後世に伝えたいという考えに変わる事は十分に考えられる。従って、遥かなる時を経て開封されるタイムカプセルに詰めることを条件とすれば、そこにはもはやプライバシーは消失していると考えることができる。すなわち、５０年前に撮影された画像に移る被写体の人物は、現代においてはもはやプライバシーを意識しなくなる。つまり、ある情報物に含まれるプライバシーという概念は時間の経過と共に衰退していくものであると言える。
【０４７３】
このような観点に立てば、既に何億台と販売され、これまで撮影されてきた画像、そして、これから更に撮影されていくであろう画像を時の経過と共に消去してしまう事はあまりにも勿体無い。一枚一枚が僅かな陳腐な情報しか含まれていなくても、後世の人達からすれば現代の生活や歴史を紐解く貴重な映像となりうるからである。
【０４７４】
従って、書物が中央図書館に集中管理されるように、画像に関しても中央図書館となりうる機構を構築して保管しておくことが歴史研究の観点からは好ましい。しかし、書物の中央図書館にはラブレターが保管されない。なぜならば、ラブレターはプライバシーが一杯に詰まった秘密文章であり、厳重な管理がなされなければ誰もそのような文章を中央図書館に提出などしたくないのである。
【０４７５】
しかし、厳重な管理を条件とした中央図書館であればどうであろうか。ローマ帝国に燦然と輝くシーザーが２０００年前に書いたであろうガリア遠征の戦略・計画が纏められた軍事文章や、歴史上偉大な劇作家であるシェークスピアが綴ったラブレターが現代に蘇ったとしたらこれほど貴重な資料はあるまい。
【０４７６】
人間は歴史から学ぶ生命体であり、人類がこれから更に高度な生命体へと進化するためには、過去の人類の過ちを振り返り、評価し、そして改善してこの現世を生き、後世の人々に伝承していくことが重要である。しかしながら、「歴史は繰り返す」という言葉が色濃く残るように、この数千年人類は同じ過ちを繰り返し、足踏みをしているのではないだろうか。技術は進歩しても、個としての成熟度という観点では古代文明の時代を生きた人々と比べてなんら成長していない未熟な生命体のままである。
【０４７７】
その要因の一つには、私達人類が歴史を適切に振り返ってこなかったからではなかろうか。一歩引いたところから私達人間を客観的に眺めて見れば、動物や昆虫と比べて知的生命体と謳って悦に浸りながらも、なんら成長していない井戸の中の蛙状態である下等生命体かもしれない。
【０４７８】
歴史研究が進まなかった理由は上述の通り、現世を必死に生きる人達にとって都合の悪い情報は闇に葬り去られてきたことにある。実際、私達は一体どのような世界を生きているのかを各々の人が主観で捉えた世界を生きているのであり、客観的にどのような世界であるかは正確には理解していない。
【０４７９】
従って、これらの情報を消去せずに残しておき、数年、数十年後に振り返ることができるシステムを構築することが求められる。
【０４８０】
実施の形態９までで説明した画像管理システムは、一定期間画像が各画像記憶装置や記憶システムに分散して記憶されるものの、分散されて存在する画像記憶装置等は記憶容量の問題や管理能力の限界から、画像を記憶できる期間は長くても数年が限界であり、中長期的な観点で過去を振り返るという使用目的には向いていない。
【０４８１】
このような考察の末に、新たな世界の図書館として利用可能な情報管理システムを構築することを本実施の形態１０は目的としている。
【０４８２】
但し、このような情報管理システムの維持には多大な金を必要とする。従って、単に後世に真実を残すと言うモチベーションだけでは、このような情報管理システムを構築する事は、理想であって現実ではない。従って、このような情報管理システムでは、上記最終目的を実現しつつも、システム運用の中で別に収益をあげてシステム維持管理費用をまかなえるビジネスモデルの中に組み入れる必要がある。以下、図面を用いて説明する。
【０４８３】
図６２は、本実施の形態１０に係る情報管理システムを示す概念図である。なお情報管理システムとは画像管理システムを上位概念化したシステムである。少なくとも画像を記憶するデータベース（ＤＢ）２００１と、情報処理装置である中央処理サーバ２００２とを含む情報収集システム２０００と分離して、情報取得・記憶システム２１００ａ、２１００ｂ、２１００ｃ、２１００ｄが点在している。
【０４８４】
図６３は、ＤＢ２００１を示す図である。ＤＢ２００１は複数の情報記憶媒体が並列に接続された大型の情報記憶装置であり、図６３に示すように、ＤＢ２００１の記憶部は、複数のドメインに分割されている。
【０４８５】
ＤＢ２００１の各ドメインは、外部の情報取得装置を所有するユーザに割り当てられる。
【０４８６】
図６４は、中央処理サーバ２００２の構成を示すブロック図である。中央処理サーバ２００２は、データ受信部２００３と、アクセス認証部２００４と、アクセス認証情報記憶部２００５と、データ格納部２００６と、データ管理ファイル受信部２００７と、データ管理テーブル管理部２００８とデータ管理テーブル記憶部２００９と、受信部２０１０と、要求情報処理部２０１１と、送信部２０１２と、読み込みアクセス許可判定部２０１３と、アクセス条件記憶部２０１４と、読み込み部２０１５と、を備える。
【０４８７】
データ受信部２００３は、外部の情報処理・記憶システムより送られてくる各種データを受信する。ここで、データ受信部２００３は、上記データの受信に先立って当該情報処理・記憶システムより送られてくる認証要求を合わせて受信する。
【０４８８】
当該認証要求は、外部の情報処理・記憶システムがデータをＤＢ２００１に格納するのに先立って中央処理サーバ２００２と接続を確立するために送られる接続要求である。当該接続要求には、当該認証要求の送信元を識別する識別情報とパスワードが少なくとも含まれる。なお、送信元を識別する識別情報は、情報処理・記憶システムに含まれる当該認証要求を送信する装置を識別する情報であっても良いし、当該装置のユーザを識別する識別情報であっても良い。データ受信部２００３は、受信した認証要求をアクセス認証部２００４に送り、受信した各種データをデータ格納部２００６に送る。
【０４８９】
アクセス認証部２００４は、受け取った認証要求に基づいてアクセス認証を行う。アクセス認証部２００４は、アクセス認証情報記憶部２００５に記憶されているアクセス認証情報を参照してアクセス認証を行う。
【０４９０】
アクセス認証情報記憶部２００５は、アクセス認証のためのアクセス認証情報を記憶する。図６５は当該アクセス認証情報の一例を示している。アクセス認証情報には、各ユーザに一意に割り当てられたユーザ管理番号と、当該ユーザに割り当てられたＤＢ２００１のドメイン、そしてユーザＩＤと認証パスワードが、それぞれ関連付けられている。
【０４９１】
アクセス認証部２００４は、データ受信部２００３より受け取った認証要求に含まれるユーザを識別する識別情報とパスワードの組み合わせが、アクセス認証情報に含まれているかを判定する。当該判定の結果、当該組み合わせが含まれている場合は、正当なアクセスであるとしてアクセス許可を出す。アクセス認証部２００４は、アクセス認証情報で対応付けられている割り当てドメインに関する情報をデータ格納部２００６に伝える。
【０４９２】
データ格納部２００６は、データ受信部２００３で受信されるデータをＤＢ２００１で細分化されたドメインであって、アクセス認証部２００４から通知されたドメインへ書き込む。
【０４９３】
データ管理情報受信部２００７は、上記外部の情報取得・記憶システムよりデータと共に送られてくるデータ管理情報を受信する。ここで、データ管理情報とは、上記データを管理するための情報であり、具体的に上記データに関する参照情報である。このようなデータ管理情報には、上記データの取得時刻、データサイズ、データ種別（拡張子）、作成者ＩＤ等がある。また、データの種類が画像である場合は、当該画像の撮像位置や撮像時刻も当該データ管理情報に含まれる。データ管理情報受信部２００７は、受信したデータ管理情報をデータ管理テーブル管理部２００８に送る
【０４９４】
データ管理テーブル管理部２００８は、データ管理情報受信部２００７より受け取ったデータ管理情報とデータ格納部２００６より受け取った当該データの格納アドレスとに基づいてデータ管理テーブルを新たに生成してデータ管理テーブル記憶部２００９に格納する。
【０４９５】
ここで、データ管理テーブル管理部２００８が管理するデータ管理テーブルは、データの種類や取得日時等によって異なるファイルに細分化されていることが好ましい。無数のデータを扱うため、１つの管理テーブルで管理しようとすると後述する要求情報処理部２０１１が行う検索効率が下がるためである。
【０４９６】
図６６は、データ管理テーブル記憶部２００９に記憶されるデータ管理テーブル群を示している。データ管理テーブル管理部２００８によって日時毎及びデータ種別事に管理ファイルが作成されてデータ管理テーブル記憶部２００９に記憶されている。例えば、２０１１年１０月７日に作成されたｐｄｆファイルに関する情報は、管理テーブルＮｏ０４−００３の管理テーブルに記されている。
【０４９７】
また、図６７には、画像データを管理するデータ管理テーブルを示している。データ管理テーブル管理２００８は、データ管理情報で示されるデータの種類が画像である場合は、図６７に示す画像用の管理テーブルにその情報を更新していく。
【０４９８】
例えば、大阪で２０１１年１０月４日に撮影された静止画像については、管理テーブルＮｏ．Ｐｉｃ０１−００１の管理テーブルにその情報が記される。当該画像に関するデータ管理テーブルも、データ管理テーブル記憶部２００９に記憶される。
【０４９９】
図６８は、上記管理テーブルＮｏ．Ｐｉｃ０１−００１を示している。当該テーブルにはデータ管理番号と画像ファイル名、画像撮像位置及び撮像時刻が関連付けられている。なお、当該データ管理番号とは、ＤＢ２００１に記憶されているすべてのデータに対して一意に割り当てられる番号であり、データ管理テーブル管理部２００８が各データ管理テーブルを作成及び更新する際に、新たに追加するデータに対して一意に割り当てていく。
【０５００】
受信部２０１０は、ネットワーク側より利用可能データ一覧要求と、データ要求と、を受け取る。受信部２０１０で受信された利用可能データ一覧要求は要求情報処理部２０１１に送られる。また、受信部２０１０で受信されたデータ要求は読み込みアクセス認証部２０１３に送られる。
【０５０１】
要求情報処理部２０１１は、利用可能データ一覧要求を受け取ると、データ管理テーブル記憶部２００９に格納されている複数のデータ管理テーブルの中から適切なデータ管理テーブルを読み出し、当該データ管理テーブルの中からさらに利用可能データ一覧要求で指定される条件を満たすデータに関する情報を抽出する。そして要求情報処理部２０１１は、当該情報を纏めた利用可能データ一覧を生成し、送信部２０１２より要求元に送信する。
【０５０２】
当該利用可能データ一覧要求を受け取った要求元のユーザは当該利用可能データ一覧で示されるデータの中から欲するデータを指定してデータ要求を送信する。当該データ要求が受信部２０１０で受信されると読み込みアクセス許可判定部２０１３に送られる。
【０５０３】
読み込みアクセス許可判定部２０１３は、受け取ったデータ要求に基づいて当該データ要求で要求されるデータの転送を許可するかの判定を行う。
【０５０４】
アクセス条件記憶部２０１４は、ＤＢ２００１に記憶されている各種データに対するアクセスの条件をアクセス条件管理テーブルとして記憶している。図６９は、当該アクセス条件管理テーブルの一例を示している。データ管理番号は、データ管理ファイル記憶部２００９に記憶されるデータ管理ファイルで記されるデータ管理番号と同期が取れている。アクセス条件管理テーブルでは、データ管理番号で示されるデータへのアクセス条件が纏められている。
【０５０５】
読み込みアクセス許可判定部２０１３は、受けとったデータ要求で指定されているデータ管理番号のデータに課せられているアクセス条件を上記アクセス条件管理テーブルより読み取る。読み込みアクセス許可判定部２０１３は、データ要求で指定されている各条件と上記読み取った条件とを比較し、すべての条件をクリアしているかを判定する。
【０５０６】
読み込みアクセス許可判定部２０１３は、上記判定の結果、受け取ったデータ要求がデータを転送するための条件を満たしている場合は、読み込み部２０１５に当該データ管理番号のデータの読み込みを指示する。
【０５０７】
読み込み部２０１５は、読み込みアクセス許可判定部２０１３よりデータの読み込み指示を受けると、当該指示で指定されているデータ管理番号の画像をＤＢ２００１より読み込む。
【０５０８】
ここで、読み込み部２０１５は、一旦データ管理テーブル記憶部２００９より当該データ管理番号で示されるデータの情報が記されているデータ管理テーブルを参照し、当該管理テーブル内で示されている格納アドレス位置よりデータを読み出して送信部２０１２に送る。
【０５０９】
送信部２０１２は、読み込み部２０１５より受けとったデータを要求元へ送信する。また、要求情報処理部２０１１で生成された利用可能画像一覧要求を要求元に送信する。
【０５１０】
次に各データ取得記憶装置２１００ａについて説明する。データ取得記憶装置２１００ａは画像を取得したりドキュメントファイルを生成したりして様々なデータを取得する。データ取得記憶装置２１００ａは取得したデータを一旦内部に記憶しておく記憶部を有していると共に、中央処理サーバ２００２と接続を確立するための接続状態確立部を備える。当該接続に必要となるＩＤ情報やパスワード情報は記憶部の中に記憶されている。接続状態確立部は、中央処理サーバ２００２に接続する際に、当該ＩＤ情報と、パスワード情報と、接続を要求することを示す識別情報とを含むアクセス要求パケットを生成して中央処理サーバ２００２に送信する。当該中央処理サーバ２００２でアクセス認証が成功した旨の通知を受けると、記憶部に記憶されているデータを中央処理サーバ２００２経由でデータベース２００１に記憶させる。
【０５１１】
ここで、各データ取得記憶装置等で取得された各種データは、情報収集システム側のデータベース２００１に集中して管理されるものの、データベース２００１において記憶領域が仮想的に分割されており、各記憶領域にアクセスするためには認証処理を必要とする構成を採用している。従って情報収集システム側の人間も許可無くデータベース２００１内の各領域を除く事はできないためプライバシーが保たれている。
【０５１２】
なお、データ取得記憶装置２１００ａにはデータを送信するに先立ってデータを暗号化する暗号化部を備えていることが好ましい。
【０５１３】
その他データ取得・記憶システム２１００ｂ、２１００ｃ、２１００ｄは、これまでの実施の形態で説明した画像撮像・記憶システムと上記データ取得記憶装置２１００ａとを組み合わせることで実現できるため、説明を省略する。
【０５１４】
なお、上記実施の形態１から１０について単独で実施しても良いし、組み合わせて実施してもよい。
【０５１５】
なお、本発明の画像撮像記録装置を自車両の事故時の証拠として用いる従来のドライブレコーダとして利用できることは言うまでも無い。また、画像データ等を改竄できないようにデータを暗号化して記録部に記録するよう構成しておいてもよい。また、本発明の画像撮像記憶装置は、自家用車だけではなく、人間、ペット、トラック、バス、タクシー、バイク、電車、自転車、ベビーカーなどのように、さまざまな移動可能な移動体に搭載し、位置情報及び時間情報と対応付けて画像を記録することができる。また、上記説明では本願発明の装置は画像を撮像記憶する撮像記憶装置として説明したが、画像を記憶する機能を有するカーナビゲーション装置であっても良いし、画像を記憶する機能を有する無線受信装置やビデオカメラであってもよい。また、上記説明では画像記憶装置を車に搭載する場合に関して説明したが、予め上記の画像記憶装置を車体に組み込んで画像記憶機能を有する車としても良い。
【０５１６】
また、本発明では、ネットワーク側より送られてくる画像要求や利用可能画像情報要求は、民間機関からの画像提出要請となることが想定され、これらの運用をスムースとするために画像収集システム内に画像情報管理会社を設置するとなお良い。画像情報管理会社には、依頼者からの画像提出要求依頼を受理する受理部門がある。画像提出要求の依頼書には、画像提出を求める位置・時刻範囲、画像提出を求める期間、画像提出に対して支払う金銭的な報酬、提出された画像の使用目的などの情報が含まれている。また、画像情報管理会社には、依頼内容を所定のフォーマットに取り纏めて、画像検索情報を作成する作成部門がある。画像検索情報は無線通信媒体を介して複数の画像記録装置へ送信される。また、画像情報管理会社は、複数の画像記録装置から提出される画像及び画像を管理する管理ファイルを受信する。画像情報管理会社は、必要に応じて同一の案件について受信した複数の画像記録装置からの管理ファイルに基づいて提出画像一覧ファイルを作成する作成部門がある。提出画像一覧ファイルは依頼者へ提出され、が依頼者から最終的に指定された画像について依頼者へ提出する。このように画像提出を要求する依頼者と画像記録装置の間に画像の流通を管理する存在を導入することでより、適切な画像収集システムを構築することが出来る。
【０５１７】
また、上記の記録手段において、画像と取得位置及び取得時刻との対応付けとして、画像データの取得位置及び取得時刻を画像データのファイル名に書き込んだり、画像データのヘッダ部分に埋め込む処理を行う処理手段をさらに具備していても良い。この変換処理手段は、その他ＭＡＣアドレスのように本装置が持つ固有のＩＤや本装置の所有者に割り当てられたＩＤなども合わせてファイル名に書き込んだり、画像データのヘッダ部分に埋め込んでも良い。このような情報は、警察や画像情報管理会社が画像提供者を特定するために使われる。
【０５１８】
なお上記説明では画像（撮像）記憶装置を識別する識別情報としてＭＡＣアドレスを通知する構成を想定したがこれに限るものではない。例えば、画像記録装置は個人情報管理会社に保管されている個人情報管理ファイル上での自装置の登録番号を記録し、提出する画像や付加情報管理ファイルに当該登録番号を含めて送信する構成であっても良い。画像情報管理会社は当該付加情報管理ファイルに示されている登録番号を個人情報管理会社に通知することで、当該登録番号の画像提供者の口座番号を個人情報管理会社から知得し、対価金銭を振り込む構成であっても良い。
【０５１９】
なお、上記各実施形態で説明した中央処理サーバ、画像撮像記憶装置、画像記憶装置、増俸処理装置等は、それぞれデータを暗号化及び復号する暗号化・復号手段を備えていても良い。外部装置とのデータの送受信を伴う場合は、各装置は内部の暗号化・復号手段で、暗号化を行った後に、画像や画像管理情報等を送信する構成であるとより好ましい。この場合、装置間で使用する暗号鍵と復号鍵は予め配布されていても良いし、別ルートを介して送受信に先立って配布されても良い。画像情報管理会社や警察等から複数の暗号鍵が定期的に送信され、画像記録装置の通信部において受信された当該複数の暗号鍵が、暗号化・復号部内にあるＲＡＭなどの情報記録媒体に暗号鍵番号と対応付けられて一定期間記録される。暗号鍵を管理する暗号鍵管理ファイルには、暗号鍵番号及び対応する暗号鍵が記録されている場所を示す開始アドレス等が記録される。画像検索情報には案件毎に画像を暗号化する暗号鍵を特定する暗号鍵番号が含まれる。暗号鍵番号はシステムコントローラの制御に従って暗号化処理部へ出力され、暗号化処理部は、当該暗号鍵番号と対応する案件について抽出された画像を暗号化する際に暗号鍵管理ファイルを参照し、当該暗号鍵番号に基づいて特定される暗号鍵を用いて暗号化を行う。このように構成することも可能である。また暗号鍵は送信される場合に限らず、予め暗号化処理部内のＲＯＭに複数の暗号鍵が記録され、画像検索情報に含まれる暗号鍵番号に従って暗号鍵を選択して抽出した画像を暗号化する構成であっても良い。
【０５２０】
なお、使用者からの入力により設定される値段に関しては、時間帯や位置に応じて異なる値段を設定できるよう構成されても良い。車の交通量が多い時間や都心などでは、画像記録装置を搭載した車も多く走るため、画像の価値は下がる。依頼者は、金銭対価として高い値段を設定しなくても、画像を得られる可能性が高いためである。一方、車が少ない田舎では画像の価値が高くなる。このような状況に柔軟に応じることを可能とする構成であることが望ましい。対比処理部は、使用者によって入力された基準値を記録した設定ファイルを読み込み、受信した画像検索情報に含まれる位置情報及び時間情報により特定される位置及び時間について設定されている値段と、画像検索情報に含まれる金銭情報との対比を行うよう構成されていてい良い。
【０５２１】
なお、画像撮像（記憶）装置を車載カメラとして使用する場合は、車載カメラは車の前方を撮影する場合に限定せず、例えば車の後方を撮影するよう設置しても良いし、複数のカメラで複数の方向を撮影して記録するよう構成してもよい。後方を撮影する場合、車内の映像も同時に取得できるため、車内に不審者が乗り込んできた場合などにも有効に対応できる。また、この場合、前方カメラで撮影した画像は、記録する際に前方を撮影していることを示す”Ｆｒｏｎｔ”の情報を合わせて記録し、後方カメラで撮影した画像は、”Ｂａｃｋ”の情報を合わせて画像管理ファイルに記録するようにすると、後の管理が簡略化できる。また、複数の車載カメラの中には赤外線カメラや暗視カメラなどが含まれていても良い。このような特殊カメラで撮影することにより、より捜査に有効な画像を取得できる。
【０５２２】
また、上記説明では記録部内に記録されてから一定期間経過した時点で画像データが消去されることを想定して説明したがこれに限定されるものではない。例えば記録部の空き記録容量の状況に応じて画像データが消去される構成としてもよいし、画像検索情報に基づいて抽出された画像や、その抽出範囲周辺の画像に関しては通常の記録期間よりも長い期間記録するよう構成しても良い。
【０５２３】
また、一定期間経過した画像データを、より高い圧縮率の圧縮方式で再エンコードを行った後、さらに一定期間記録した場合に消去する構成としてもよい。一定期間経過した画像データは、システムコントローラの制御に従って画像符合化部に出力され、再エンコードが行われた後に再び記録部に一定期間記録される。この構成とすることで、より長い期間画像を保管できる上に、古い画像はより小さいサイズのデータとして記録されることで記録容量の圧迫を防ぐことができる。また、この再エンコードは複数回にわたって行われ、古くなるほど小さいサイズの画像データとして記録される構成としてもよい。また、動画像データの場合はフレームレートを落として再エンコードしても良い。その他、画像データの消去方法は、情報記録媒体の記録容量や空き容量などを踏まえて、独自の方法で自動消去される構成であってもよい。
【０５２４】
また、本発明のカメラ部（画像撮像部）で撮影される画像を車間距離の測定や人物の存在検出等に用いてもよい。この場合、前方を走る車と風景の境界を検出し、検出結果から車間距離を推定する演算を行う演算部や、撮影された画像内に人物がいるかを判断するために、予め人物のパターンを複数記録したＲＯＭと、画像内にＲＯＭに記録されたパターンと一致する特徴があるかのマッチング処理を行うマッチング部等が別途必要となる。また、撮影された画像から白帯を検出し、走行位置を自動修正する運転補助システムに用いることも可能である。
【０５２５】
なお、本発明の画像記録装置を自車両の事故時の証拠として用いる従来のドライブレコーダとして利用できることは言うまでも無い。また、画像データ等を改竄できないようにデータを暗号化して記録部に記録するよう構成しておいてもよい。
【０５２６】
また、画像の圧縮方式としては、ＭＰＥＧ２、Ｈ．２６４／ＡＶＣ、ＪＰＥＧ、ＴＩＦＦ等既存の圧縮方式を用いて圧縮しても良いし、車から撮影する映像は、時間方向に高い相関性があるため、新たに別の圧縮方式を開発しても良い。また、今後の圧縮技術の進歩に従って最新の圧縮技術を適宜採用することが可能である。
【０５２７】
また、上記説明では本願発明の装置は画像を記録する画像記録装置として説明したが、画像を記録する機能を有するカーナビゲーション装置であっても良いし、画像を記録する機能を有する無線受信装置やビデオカメラであってもよい。また、上記説明では画像記録装置を車に搭載する場合に関して説明したが、予め上記の画像記録装置を車体に組み込んで画像記録機能を有する車としても良い。
【０５２８】
また、上記で説明した各装置の各部等は、それぞれ半導体集積回路を用いて実現されてもよい。ここで集積回路はＬＳＩ、ＶＬＳＩ，ＵＬＳＩと称されることもある。
【０５２９】
また、上記で説明した各装置の各部等は、それぞれＣＰＵ（Central Processing Unit）等の小型マイクロコンピュータに所定のソフトウェアであるプログラムを実行させることで実現されていても良い。
【０５３０】
その他、本願の発明の範囲を逸脱しない限りにおいて適宜設計変更が可能である。
【産業上の利用可能性】
【０５３１】
本発明に係る画像収集システムは、犯罪捜査に利用することが可能である。また、世界の歴史を保存する情報図書館として応用することが可能である。複数の撮像装置で撮像される画像が空間的又は仮想的に分離されて記憶されるため、プライバシーを保護しつつこれらのシステムを構築することができる。
【符号の説明】
【０５３２】
１０  画像収集システム                    
１１  画像記憶データベース                １２  中央処理サーバ
１３  画像要求受信部                      １４  画像要求処理部
１５  画像要求記憶部                      １６  画像管理情報記憶部
１７  画像読み出し部                      １８  画像送信部
１９  画像検索情報生成部                  ２０  画像検索情報送信部
２１  画像受信部                          ２２  画像格納部
１００  画像撮像記憶装置（システム）
１１０  画像撮像部                        １２０  位置情報取得部
１３０  時刻情報取得部                    １４０  関連付け部
１５０  記憶部                                      １６０  画像検索情報受信部
１７０  画像検索部                        １８０  画像送信部
２００  画像撮像装置
２５０  記憶部                            ２７０  接続状態確立部
２８０  画像抽出部                        ２９０  通信部
３００  画像記憶装置
３１０  通信部                            ３２０  接続状態確立部
３３０  画像格納部                        ３５０  記憶部
３６０  画像検索情報受信部                ３７０  画像検索部
３８０  画像送信部
４００  情報処理装置
４１０  画像受信部                          ４２０  時刻情報取得部
４３０  画像格納部                          ４５０  記憶部
４６０  関連付け部                          
５００  情報記憶媒体
【図１】
0005947044.tif 000002
【図２】
0005947044.tif 000003
【図３】
0005947044.tif 000004
【図４】
0005947044.tif 000005
【図５】
0005947044.tif 000006
【図６】
0005947044.tif 000007
【図７】
0005947044.tif 000008
【図８】
0005947044.tif 000009
【図９】
0005947044.tif 000010
【図１０】
0005947044.tif 000011
【図１１】
0005947044.tif 000012
【図１２】
0005947044.tif 000013
【図１３】
0005947044.tif 000014
【図１４】
0005947044.tif 000015
【図１５】
0005947044.tif 000016
【図１６】
0005947044.tif 000017
【図１７】
0005947044.tif 000018
【図１８】
0005947044.tif 000019
【図１９】
0005947044.tif 000020
【図２０】
0005947044.tif 000021
【図２１】
0005947044.tif 000022
【図２２】
0005947044.tif 000023
【図２３】
0005947044.tif 000024
【図２４】
0005947044.tif 000025
【図２５】
0005947044.tif 000026
【図２６】
0005947044.tif 000027
【図２７】
0005947044.tif 000028
【図２８】
0005947044.tif 000029
【図２９】
0005947044.tif 000030
【図３０】
0005947044.tif 000031
【図３１】
0005947044.tif 000032
【図３２】
0005947044.tif 000033
【図３３】
0005947044.tif 000034
【図３４】
0005947044.tif 000035
【図３５】
0005947044.tif 000036
【図３６】
0005947044.tif 000037
【図３７】
0005947044.tif 000038
【図３８】
0005947044.tif 000039
【図３９】
0005947044.tif 000040
【図４０】
0005947044.tif 000041
【図４１】
0005947044.tif 000042
【図４２】
0005947044.tif 000043
【図４３】
0005947044.tif 000044
【図４４】
0005947044.tif 000045
【図４５】
0005947044.tif 000046
【図４６】
0005947044.tif 000047
【図４７】
0005947044.tif 000048
【図４８】
0005947044.tif 000049
【図４９】
0005947044.tif 000050
【図５０】
0005947044.tif 000051
【図５１】
0005947044.tif 000052
【図５２】
0005947044.tif 000053
【図５３】
0005947044.tif 000054
【図５４】
0005947044.tif 000055
【図５５】
0005947044.tif 000056
【図５６】
0005947044.tif 000057
【図５７】
0005947044.tif 000058
【図５８】
0005947044.tif 000059
【図５９】
0005947044.tif 000060
【図６０】
0005947044.tif 000061
【図６１】
0005947044.tif 000062
【図６２】
0005947044.tif 000063
【図６３】
0005947044.tif 000064
【図６４】
0005947044.tif 000065
【図６５】
0005947044.tif 000066
【図６６】
0005947044.tif 000067
【図６７】
0005947044.tif 000068
【図６８】
0005947044.tif 000069
【図６９】
0005947044.tif 000070
【図７０】
0005947044.tif 000071